(57)【要約】      （修正有）【課題】インターネット上の各ＷＥＢサイトの発信する情報の種類や目的および手段から、各ＷＥＢサイトの属性を判定し、前記判定した各ＷＥＢサイトの属性を記録する。【解決手段】構成要素判定処理と属性要素判定処理の工程を用意し、ＷＥＢサイトを判定する。構成要素判定は構成要素データテーブルを参照し、判定対象のＷＥＢサイトのコードやドメインおよびＵＲＬデータから該当要素の検出判定処理を行う。構成要素判定は、属性要素データテーブルを参照し、属性要素に該当する属性値と、前記作成・保存された構成要素の該当数データを乗算して属性要素スコアを算出し、属性要素スコアを加算したサイト属性スコアをサイト属性毎に算出する。【選択図】図７
2010157006.tif 000002
【特許請求の範囲】
【請求項１】
上記課題を解決する本発明は、各ユーザーが、検索したいＷＥＢサイトのキーワードを入力するための入力手段と、入力されたキーワードデータをデータベースにアクセス可能なサーバーに送受信する通信手段と、データベースの検索結果および検索結果の表示データを送受信する通信手段と、検索結果を該ユーザーの端末に表示させる表示手段と、
を実現させるインターネット上のＷＥＢサイトのデータベースシステムにおいて、各ＷＥＢサイトの発信する情報の種類や手段からサイトの属性を判定し、前記判定した各ＷＥＢサイトの属性を記録する手法を実現させるデータベースシステムおよび手法を実現させるために、
属性判定対象のＷＥＢサイトの
構成要素判定処理を行う工程と、属性要素判定処理を行う工程と、
を含むことを特徴とするインターネット上の各ＷＥＢサイト属性判定方法。
【請求項２】
前記インターネット上の各ＷＥＢサイト属性判定方法の成果物は、少なくともデータベースとして保存・読み込み・更新が可能なこと、
を特徴とする、請求項１記載のインターネット上の各ＷＥＢサイト属性判定方法。
【請求項３】
前記インターネット上の各ＷＥＢサイト属性判定方法において、
属性要素判定処理を行う工程において、
判定されうるサイトの属性判定は、判定された構成要素は、カテゴリー化された属性要素において属性値を参照した結果、ポイントが与えられていること、
を特徴とする、請求項１記載のインターネット上の各ＷＥＢサイト属性判定方法。
【請求項４】
前記インターネット上の各ＷＥＢサイト属性判定方法において、
属性要素判定処理を行う工程において、
ハイパーリンク先のファイルの属性の数が一定以上に達すると、
指定されたサイト属性に該当する可能性があるとして、
属性値によるポイントが与えられていること、
を特徴とする、請求項１記載のインターネット上の各ＷＥＢサイト属性判定方法。
【請求項５】
前記インターネット上の各ＷＥＢサイト属性判定方法において、
属性要素判定処理を行う工程において、
ハイパーリンク先のあるファイルの属性の構成率が、
全体のハイパーリンク先のファイル属性の構成に対して、
一定以上の値に達した場合、
指定されたサイト属性に該当する可能性があるとして、
属性値によるポイントが与えられていること、
を特徴とする、請求項１記載のインターネット上の各ＷＥＢサイト属性判定方法。
【請求項６】
前記インターネット上の各ＷＥＢサイト属性判定方法において、
構成要素判定処理を行う工程において、
判定対象のＷＥＢサイトがコードに使用しているハイパーリンク先のファイル拡張子を元に、構成要素判定処理を行うこと
を特徴とする、請求項１記載のインターネット上の各ＷＥＢサイト属性判定方法。
【請求項７】
前記インターネット上の各ＷＥＢサイト属性判定方法において、
構成要素判定処理を行う工程において、
少なくともインターネットドメインを元に、構成要素判定処理を行うこと
を特徴とする、請求項１記載のインターネット上の各ＷＥＢサイト属性判定方法。
【請求項８】
前記インターネット上の各ＷＥＢサイト属性判定方法において、
構成要素判定処理を行う工程において、
少なくとも判定対象のＷＥＢサイトのファイル拡張子を元に、構成要素判定処理を行うこと
を特徴とする、請求項１記載のインターネット上の各ＷＥＢサイト属性判定方法。
【請求項９】
前記インターネット上の各ＷＥＢサイト属性判定方法において、
構成要素判定処理を行う工程において、
少なくとも判定対象のＷＥＢサイトがコードに使用しているタグデータを元に、構成要素判定処理を行うこと
を特徴とする、請求項１記載のインターネット上の各ＷＥＢサイト属性判定方法。
【請求項１０】
前記インターネット上の各ＷＥＢサイト属性判定方法において、
構成要素判定処理を行う工程において、
当発明のデータベース作成者もしくはアドミニストレーターによって設定されたサイト属性判定に有効なキーワードを、判定対象のＷＥＢサイトがコードに使用しているかを判定する構成要素判定処理を行うこと
を特徴とする、請求項１記載のインターネット上の各ＷＥＢサイト属性判定方法。
【請求項１１】
前記インターネット上の各ＷＥＢサイト属性判定方法において、
構成要素判定処理を行う工程において、
判定されるＵＲＬが指し示すページと同様のＵＲＬを含む該ＷＥＢページの下層に設置されているとみなす事が可能なＷＥＢページのＵＲＬから該ＷＥＢページの性質を判定する構成要素判定処理を行うこと
を特徴とする、請求項１記載のインターネット上の各ＷＥＢサイト属性判定方法。
【請求項１２】
前記インターネット上の各ＷＥＢサイト属性判定方法において、
構成要素判定処理を行う工程において、
判定されるＷＥＢサイトの目的を、アドミニストレーターによる経験則的に既に明白である項目として設定された値が判定中の該ＷＥＢサイトに該当するかを判定する構成要素判定処理を行うこと
を特徴とする、請求項１記載のインターネット上の各ＷＥＢサイト属性判定方法。
【請求項１３】
前記インターネット上の各ＷＥＢサイト属性判定方法において、
構成要素判定処理を行う工程において、
判定されるＷＥＢサイトのソースコードに含まれる外部リンクの設定における構造、あるいは、構成、もしくは性質によって該ＷＥＢサイトの性質を判定する構成要素判定処理を行うこと
を特徴とする、請求項１記載のインターネット上の各ＷＥＢサイト属性判定方法。
【請求項１４】
前記インターネット上の各ＷＥＢサイト属性判定方法において、
構成要素判定処理を行う工程において、
判定されるＷＥＢページ全体のソースコードのデータ容量やデータ容量の変遷によって該ＷＥＢサイトの性質を判定する構成要素判定処理を行うこと
を特徴とする、請求項１記載のインターネット上の各ＷＥＢサイト属性判定方法。
【請求項１５】
前記インターネット上の各ＷＥＢサイト属性判定方法において、
構成要素判定処理を行う工程において、
判定されるＷＥＢページのＵＲＬから、
該ＷＥＢサイトの性質を判定する構成要素判定処理を行うこと
を特徴とする、請求項１記載のインターネット上の各ＷＥＢサイト属性判定方法。
【請求項１６】
インターネット上の各ＷＥＢサイト属性判定方法において、
請求項６記載のハイパーリンク先のファイル拡張子を元に、
構成要素判定処理を行う工程において、
該指定されたハイパーリンク先のファイル形式、あるいはまた、電子ファイルデータの拡張子が、
書き換え不能処理な電子文書データファイルとして判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項１７】
インターネット上の各ＷＥＢサイト属性判定方法において、
請求項６記載のハイパーリンク先のファイル拡張子を元に、
構成要素判定処理を行う工程において、
ハイパーリンク先のページのＵＲＬの末尾が本来のデータ容量に比べて少量のデータ量に加工されていることを表すデータファイルとして判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項１８】
インターネット上の各ＷＥＢサイト属性判定方法において、
請求項６記載のハイパーリンク先のファイル拡張子を元に、
構成要素判定処理を行う工程において、
ハイパーリンク先のページのＵＲＬの末尾が、実行バイナリーデータファイル、
あるいは実行プログラムデータとして判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項１９】
インターネット上の各ＷＥＢサイト属性判定方法において、
請求項６記載のハイパーリンク先のファイル拡張子を元に、
構成要素判定処理を行う工程において、
ＷＥＢページの中に、該ＷＥＢページ以外の外部プログラムの処理を利用してＷＥＢページの表示をおこなうソースコードが含まれており、そのコードによりブラウザに表示される項目が、動画データとして再生可能なフォーマットに変換されたデジタルデータとして判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項２０】
インターネット上の各ＷＥＢサイト属性判定方法において、
請求項９記載の少なくとも判定対象のＷＥＢサイトがコードに使用しているタグデータを元に、
構成要素判定処理を行う工程において、
ＷＥＢページの中に、電子メールアドレスを入力する項目が表示されており、該ＷＥＢサイトのデータベース等へ入力された電子メールアドレスを送信する手法を行う指示をだす命令が、該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項２１】
インターネット上の各ＷＥＢサイト属性判定方法において、
請求項９記載の少なくとも判定対象のＷＥＢサイトがコードに使用しているタグデータを元に、
構成要素判定処理を行う工程において、
ＷＥＢページの中に、該ＷＥＢサイトのユーザーが該ＷＥＢサイトへユーザーが入力したデータの反映を目的として、
任意の情報を入力する項目が表示されており、
入力した情報をユーザー自身の意図とタイミングによって、選択およびマウスクリックを行うことで、該ＷＥＢサイトのデータベース等へユーザーが入力した情報を送信し、該ＷＥＢサイトへ反映させる事を可能にする機能関数としてのフォームやタグデータが、該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項２２】
インターネット上の各ＷＥＢサイト属性判定方法において、
請求項９記載の少なくとも判定対象のＷＥＢサイトがコードに使用しているタグデータを元に、
構成要素判定処理を行う工程において、
ＷＥＢページの中に、該ＷＥＢサイトのユーザーが該ＷＥＢサイトへユーザーが入力したデータの反映を目的として、
任意の情報を入力する項目が表示されており、
入力した情報をユーザー自身の意図とタイミングによって、選択およびマウスクリックを行うことで、該ＷＥＢサイトのデータベース等へユーザーが入力した情報を送信し、該ＷＥＢサイトへ反映させる事を可能にする機能関数としてのフォームやタグデータが
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項２３】
インターネット上の各ＷＥＢサイト属性判定方法において、
請求項９記載の少なくとも判定対象のＷＥＢサイトがコードに使用しているタグデータを元に、
構成要素判定処理を行う工程において、
ＷＥＢページの中に、該ＷＥＢサイトのユーザーが該ＷＥＢサイトへユーザーが入力したデータの検索を目的として、
任意の情報を入力する項目が表示されており、
入力した情報をユーザー自身の意図とタイミングによって、選択およびマウスクリックを行うことで、該ＷＥＢサイトの検索システムへ送信する事を可能にする機能関数としてのフォームやタグデータが該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項２４】
インターネット上の各ＷＥＢサイト属性判定方法において、
請求項９記載の少なくとも判定対象のＷＥＢサイトがコードに使用しているタグデータを元に、
構成要素判定処理を行う工程において、
ＷＥＢページの中に、該ＷＥＢサイトのアドミニストレーターもしくは運用者に対して、ユーザーが電子メール送信やデータベース等への情報の送信を行なう目的で、ユーザー自身の意図とタイミングによって、選択およびマウスクリックを行うことで、ＷＥＢページの閲覧を行なっているブラウザ以外の外部プログラムの起動を可能にする機能関数としてのフォームやタグデータが該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項２５】
インターネット上の各ＷＥＢサイト属性判定方法において、
請求項９記載の少なくとも判定対象のＷＥＢサイトがコードに使用しているタグデータを元に、
構成要素判定処理を行う工程において、
ＷＥＢページ中に、外部プログラムを読み込み、該ＷＥＢページの同一コンテンツとして表示を行いえるバイナリーファイルの読み込み指示が該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項２６】
インターネット上の各ＷＥＢサイト属性判定方法において、
請求項９記載の少なくとも判定対象のＷＥＢサイトがコードに使用しているタグデータを元に、
構成要素判定処理を行う工程において、
画像を用いたハイパーリンクをあらわすソースがソース上に含まれており、その指定されたハイパーリンク先が外部の画像ファイルへの遷移を目的としており、遷移先の元画像ファイルが、該ＷＥＢサイトには縮小された縦横のキャンパスサイズ画像として表示されているとアドミニストレーターが想定し任意に設定した値に該当するタグデータが
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項２７】
インターネット上の各ＷＥＢサイト属性判定方法において、
請求項６記載のハイパーリンク先のファイル拡張子を元に、
構成要素判定処理を行う工程において、
画像をもちいたハイパーリンクをあらわすソースがソース上に含まれており、その指定されたハイパーリンク先が外部ページであり、アドミニストレーターが、遷移元の画像ファイルの縦横の任意の長さが広告として使用される頻度の高い任意の長さであるとして判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項２８】
インターネット上の各ＷＥＢサイト属性判定方法において、
請求項９記載の少なくとも判定対象のＷＥＢサイトがコードに使用しているタグデータを元に、
構成要素判定処理を行う工程において、
ユーザーの該ＷＥＢページ内での商品の売買を管理するシステムの名称を表す文字列またはそれに準ずる画像がソース上に含まれており、
その文字列および画像からユーザーの該ＷＥＢページ内での商品の売買を管理するシステムへデータの送受信をする事を可能にする機能関数としてのフォームやタグデータが該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項２９】
インターネット上の各ＷＥＢサイト属性判定方法において、
請求項９記載の少なくとも判定対象のＷＥＢサイトがコードに使用しているタグデータを元に、
構成要素判定処理を行う工程において、
入力した情報をユーザー自身の意図とタイミングによって、選択およびマウスクリックを行うことで、該ＷＥＢサイトのデータベース等へユーザーが入力した情報を送信し、該ＷＥＢサイトやデータベース等へ反映させる事を可能にする機能関数としてのフォームやタグデータが該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項３０】
インターネット上の各ＷＥＢサイト属性判定方法において、
請求項９記載の少なくとも判定対象のＷＥＢサイトがコードに使用しているタグデータを元に、
構成要素判定処理を行う工程において、
他のＷＥＢページから該ＷＥＢページへの遷移を目的としたリンクの作成を希望するアクセスを行なうことにより、自動的に該ＷＥＢページからアクセス元の指定するＷＥＢページへリンクを作成する事を可能にする機能関数としてのフォームやタグデータが該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項３１】
インターネット上の各ＷＥＢサイト属性判定方法において、
請求項９記載の少なくとも判定対象のＷＥＢサイトがコードに使用しているタグデータを元に、
構成要素判定処理を行う工程において、
文字列または画像をもちいたハイパーリンクをあらわすソースがソース上に含まれており、
該ソース上にて表記されたハイパーリンク先ＷＥＢページのＵＲＬに、アドミニストレーターが任意の広告仲介サービス業者独自の広告として認識が可能な文字列が
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項３２】
インターネット上の各ＷＥＢサイト属性判定方法において、
請求項９記載の少なくとも判定対象のＷＥＢサイトがコードに使用しているタグデータを元に、
構成要素判定処理を行う工程において、
文字列または画像をもちいたハイパーリンクをあらわすソースがソース上に含まれており、
該ソースコード上で、アドミニストレーターが、
ＷＥＢブラウザに表示される項目の任意の縦横のキャンパスサイズの長さがブログパーツとして使用される頻度の高い範囲として指定した値で構成されているとして判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項３３】
インターネット上の各ＷＥＢサイト属性判定方法において、
請求項１２記載のアドミニストレーターによる経験則的に既に明白である項目として設定された値が判定中の該ＷＥＢサイトに該当するかを判定する構成要素判定処理を行う工程において、
そのソースがあらわすハイパーリンク先が、
ユーザーの該ページの閲覧を抑制する目的で任意外部ページ（主に大手ポータルサイトなど）である
として判断しうる状況が、
該ＷＥＢサイトのソース上に存在するかを判定する事を特徴とする、
請求項１記載のインターネット上の各ＷＥＢサイト属性判定方法。
【請求項３４】
インターネット上の各ＷＥＢサイト属性判定方法において、
請求項１２記載のアドミニストレーターによる経験則的に既に明白である項目として設定された値が判定中の該ＷＥＢサイトに該当するかを判定する構成要素判定処理を行う工程において、
ＷＥＢページの背景を指定するソースコードまたはスタイルシート上のソースコードにおいて、
アドミニストレーターが任意の色指定データとして設定した、該ＷＥＢページの背景部分を表示するよう指定している
として判断しうる状況が、
該ＷＥＢサイトのソース上に存在するかを判定する事を特徴とする、
請求項１記載のインターネット上の各ＷＥＢサイト属性判定方法。
【請求項３５】
インターネット上の各ＷＥＢサイト属性判定方法において、
請求項１２記載のアドミニストレーターによる経験則的に既に明白である項目として設定された値が判定中の該ＷＥＢサイトに該当するかを判定する構成要素判定処理を行う工程において、
文字列または画像をもちいたハイパーリンクをあらわすソースがソース上に含まれており、
該ソースがあらわすハイパーリンク先のページのＵＲＬが、アドミニストレーターが任意に設定した他のサービス業者が提供するＵＲＬである
として判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項３６】
インターネット上の各ＷＥＢサイト属性判定方法において、
請求項１２記載のアドミニストレーターによる経験則的に既に明白である項目として設定された値が判定中の該ＷＥＢサイトに該当するかを判定する構成要素判定処理を行う工程において、
ハイパーリンクをあらわすソースがソース上に含まれており、
該ソースがあらわすハイパーリンク先のページのＵＲＬが、アドミニストレーターが任意に設定した就労に関する求人を目的として提供されている他のサービス業者が提供するＵＲＬである
として判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項３７】
インターネット上の各ＷＥＢサイト属性判定方法において、
請求項１２記載のアドミニストレーターによる経験則的に既に明白である項目として設定された値が判定中の該ＷＥＢサイトに該当するかを判定する構成要素判定処理を行う工程において、
ハイパーリンクをあらわすソースがソース上に含まれており、
該ソースがあらわすハイパーリンク先のＵＲＬが、アドミニストレーターが任意に設定した外部のＷＥＢページサービスを利用して特定の場所を指し示す地図を表示するＵＲＬであるか、または、該ＷＥＢページサービスを表示させるページへの画面遷移を促すリンクを表すソースコードが含まれている
として判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項３８】
インターネット上の各ＷＥＢサイト属性判定方法において、
請求項１２記載のアドミニストレーターによる経験則的に既に明白である項目として設定された値が判定中の該ＷＥＢサイトに該当するかを判定する構成要素判定処理を行う工程において、
文字列または画像をもちいたハイパーリンクをあらわすソースがソース上に含まれており、
該ソースがあらわすハイパーリンク先ＵＲＬが、アドミニストレーターが任意に設定した企業の個人情報保護に関して一定の要件を満たしている事業者であるか審査、調査をおこなう団体であることが認識可能なＵＲＬである
として判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項３９】
インターネット上の各ＷＥＢサイト属性判定方法において、
請求項１２記載のアドミニストレーターによる経験則的に既に明白である項目として設定された値が判定中の該ＷＥＢサイトに該当するかを判定する構成要素判定処理を行う工程において、
文字列または画像をもちいたハイパーリンクをあらわすソースがソース上に含まれており、
該ソースが、ＷＥＢサイトの中の該ページの位置を、階層構造の上位ページへのリンクのリストで簡潔に記述したものが含まれる
として判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項４０】
インターネット上の各ＷＥＢサイト属性判定方法において、
請求項１２記載のアドミニストレーターによる経験則的に既に明白である項目として設定された値が判定中の該ＷＥＢサイトに該当するかを判定する構成要素判定処理を行う工程において、
該ＷＥＢサイトのソース上にアドミニストレーターが任意に設定したキャンパスサイズ以上の画像データを表示させる指示を行っている
として判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項４１】
インターネット上の各ＷＥＢサイト属性判定方法において、
請求項１３記載の判定されるＷＥＢサイトのソースコードに含まれる外部リンクの性質によって構成要素判定処理を行う工程において、
文字列または画像をもちいたハイパーリンクをあらわすソースがソース上に含まれており、該ソースがあらわすリンク中に、アドミニストレーターが任意に設定した広告媒体に成功報酬を与える形態を成立させる識別子を含むＷＥＢページである
として判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項４２】
インターネット上の各ＷＥＢサイト属性判定方法において、
請求項１３記載の判定されるＷＥＢサイトのソースコードに含まれる外部リンクの性質によって構成要素判定処理を行う工程において、
文字列または画像をもちいたハイパーリンクをあらわすソースがソース上に含まれており、該ソースがあらわすハイパーリンク先外部ページが、サーバー側で動的にＷＥＢサイトデータを生成することによって、動的なＷＥＢページ作成を実現すること可能としたＷＥＢページである
として判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項４３】
インターネット上の各ＷＥＢサイト属性判定方法において、
請求項１３記載の判定されるＷＥＢサイトのソースコードに含まれる外部リンクの性質によって構成要素判定処理を行う工程において、
文字列または画像をもちいたハイパーリンクをあらわすソースがソース上に含まれており、該ソースがあらわすハイパーリンク先外部ページが、サーバー側とクライアント側が通信を行う際の外部からのアクセスをできる限り遮断し、匿名性の高いページであることを示すＵＲＬである
として判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項４４】
インターネット上の各ＷＥＢサイト属性判定方法において、
請求項１３記載の判定されるＷＥＢサイトのソースコードに含まれる外部リンクの性質によって構成要素判定処理を行う工程において、
文字列または画像をもちいたハイパーリンクをあらわすソースがソース上に含まれており、該ソースがあらわすハイパーリンク先外部ページが、サーバー側でのプログラムの処理結果に基づいて動的に生成・送出されるＷＥＢページである
として判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項４５】
インターネット上の各ＷＥＢサイト属性判定方法において、
請求項１３記載の判定されるＷＥＢサイトのソースコードに含まれる外部リンクの性質によって構成要素判定処理を行う工程において、
文字列または画像をもちいたハイパーリンクをあらわすソースがソース上に含まれており、該ソースがあらわすハイパーリンク先外部ページが、ＵＲＬドメインから任意の外国のＷＥＢサイトのものである
として判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項４６】
インターネット上の各ＷＥＢサイト属性判定方法において、
請求項１４記載の判定されるＷＥＢページ全体のソースコードのデータ容量やデータ容量の変遷によって構成要素判定処理を行う工程において、
該ＷＥＢページ全体のソースコードのデータ容量が前回同ＷＥＢページを巡回した際のＷＥＢページ全体のソースコードのデータ容量よりも大きくなっている
と判断しうる状況が、
該ＷＥＢサイトのソース上に存在するかを判定する
請求項１記載のインターネット上の各ＷＥＢサイト属性判定方法。
【請求項４７】
インターネット上の各ＷＥＢサイト属性判定方法において、
請求項１４記載の判定されるＷＥＢページ全体のソースコードのデータ容量やデータ容量の変遷によって構成要素判定処理を行う工程において、
該ＷＥＢページ全体のソースコードのデータ容量が前回同ＷＥＢページを巡回した際のＷＥＢページ全体のソースコードのデータ容量よりも小さくなっている
と判断しうる状況が、
該ＷＥＢサイトのソース上に存在するかを判定する
請求項１記載のインターネット上の各ＷＥＢサイト属性判定方法。
【請求項４８】
インターネット上の各ＷＥＢサイト属性判定方法において、
請求項１４記載の判定されるＷＥＢページ全体のソースコードのデータ容量やデータ容量の変遷によって構成要素判定処理を行う工程において、
該ＷＥＢページ全体のソースコードのデータ容量が別途規定した任意の容量よりも大きくなっている
と判断しうる状況が、
該ＷＥＢサイトのソース上に存在するかを判定する
請求項１記載のインターネット上の各ＷＥＢサイト属性判定方法。
【請求項４９】
インターネット上の各ＷＥＢサイト属性判定方法において、
請求項１４記載の判定されるＷＥＢページ全体のソースコードのデータ容量やデータ容量の変遷によって構成要素判定処理を行う工程において、
該ＷＥＢページ全体のソースコードのデータ容量が別途規定した任意のデータ容量よりも小さくなっている
と判断しうる状況が、
該ＷＥＢサイトのソース上に存在するかを判定する
請求項１記載のインターネット上の各ＷＥＢサイト属性判定方法。
【請求項５０】
インターネット上の各ＷＥＢサイト属性判定方法において、
請求項１４記載の判定されるＷＥＢページ全体のソースコードのデータ容量やデータ容量の変遷によって構成要素判定処理を行う工程において、
該ＷＥＢページ全体のソースコードのデータ容量が同ＷＥＢページを巡回する度に、前回同ＷＥＢページを巡回した際のＷＥＢページ全体のソースコードのデータ容量よりも大きくなっている
と判断しうる状況が、
該ＷＥＢサイトのソース上に存在するかを判定する
請求項１記載のインターネット上の各ＷＥＢサイト属性判定方法。
【請求項５１】
インターネット上の各ＷＥＢサイト属性判定方法において、
請求項１５記載の判定されるＷＥＢページのＵＲＬから構成要素判定処理を行う工程において、
ＵＲＬの示すドメインから、任意の言語を理解するＷＥＢサイトのユーザーに関連した情報配信を行っているＷＥＢサイトであるか、
を判定する
請求項１記載のインターネット上の各ＷＥＢサイト属性判定方法。
【請求項５２】
インターネット上の各ＷＥＢサイト属性判定方法において、
請求項１５記載の判定されるＷＥＢページのＵＲＬから構成要素判定処理を行う工程において、
ＵＲＬの示すドメインから、任意の国の公的機関の配信するＷＥＢサイトか
を判定する
請求項１記載のインターネット上の各ＷＥＢサイト属性判定方法。
【請求項５３】
インターネット上の各ＷＥＢサイト属性判定方法において、
請求項１５記載の判定されるＷＥＢページのＵＲＬから構成要素判定処理を行う工程において、
ＵＲＬの示すドメインが、アドミニストレーターが任意に設定したドメインであるか
を判定する
請求項１記載のインターネット上の各ＷＥＢサイト属性判定方法。
【請求項５４】
インターネット上の各ＷＥＢサイト属性判定方法において、
請求項１５記載の判定されるＷＥＢページのＵＲＬから構成要素判定処理を行う工程において、
ＵＲＬ末尾の示すドメインが、アドミニストレーターが任意に設定した汎用性の低いもの、あるいは、汎用性の高いものとして設定された以外のドメインであるか
を判定する
請求項１記載のインターネット上の各ＷＥＢサイト属性判定方法。
【請求項５５】
インターネット上の各ＷＥＢサイト属性判定方法において、
請求項１５記載の判定されるＷＥＢページのＵＲＬから構成要素判定処理を行う工程において、
該ＷＥＢサイトのＵＲＬが「ＮＮＮＮ−ＮＮ−ＮＮ」「／ＮＮＮＮ／ＮＮ／ＮＮ」（Ｎは年月日を表す数字および漢数字などの文字列。）など、アドミニストレーターが任意に設定した日付をあらわすと想定される文字列および表示構成を行っているか
を判定する
請求項１記載のインターネット上の各ＷＥＢサイト属性判定方法。
【請求項５６】
インターネット上の各ＷＥＢサイト属性判定方法において、
請求項１５記載の判定されるＷＥＢページのＵＲＬから構成要素判定処理を行う工程において、
該ＷＥＢサイトが属する上位ディレクトリＵＲＬデータもしくはドメイン名からアドミニストレーターが任意に設定した主要ブログサービス内ページであるか
を判定する
請求項１記載のインターネット上の各ＷＥＢサイト属性判定方法。
【請求項５７】
インターネット上の各ＷＥＢサイト属性判定方法において、
請求項１５記載の判定されるＷＥＢページのＵＲＬから構成要素判定処理を行う工程において、
該ＷＥＢサイトが属する上位ディレクトリＵＲＬデータもしくはドメイン名からアドミニストレーターが任意に設定した主要インターネットＥＣサービス内ページであるか
を判定する
請求項１記載のインターネット上の各ＷＥＢサイト属性判定方法。
【請求項５８】
インターネット上の各ＷＥＢサイト属性判定方法において、
請求項１５記載の判定されるＷＥＢページのＵＲＬから構成要素判定処理を行う工程において、
該ＷＥＢページが、ＵＲＬから、サーバー側で動的にＷＥＢサイトデータを生成することによって、動的なウェブページを実現することを主な目的としたＷＥＢページであるか
を判定する
請求項１記載のインターネット上の各ＷＥＢサイト属性判定方法。
【請求項５９】
インターネット上の各ＷＥＢサイト属性判定方法において、
請求項１５記載の判定されるＷＥＢページのＵＲＬから構成要素判定処理を行う工程において、
該ＷＥＢページが、サーバー側とクライアント側が通信を行う際の外部からのアクセスをできる限り遮断する、匿名性の高いページであると判定されるＵＲＬであるか
を判定する
請求項１記載のインターネット上の各ＷＥＢサイト属性判定方法。
【請求項６０】
インターネット上の各ＷＥＢサイト属性判定方法において、
請求項１５記載の判定されるＷＥＢページのＵＲＬから構成要素判定処理を行う工程において、
該ＷＥＢページが、ＵＲＬから、サーバー側でのプログラムの処理結果に基づいて動的に生成・送出されるＷＥＢページであるか
を判定する
請求項１記載のインターネット上の各ＷＥＢサイト属性判定方法。
【請求項６１】
インターネット上の各ＷＥＢサイト属性判定方法において、
請求項１１記載の
判定されるＵＲＬが指し示すページと同様のＵＲＬを含む該ＷＥＢページの下層に設置されているとみなす事が可能なＷＥＢページのＵＲＬＤＢ上での数で
構成要素判定処理を行う工程において、
該ＷＥＢページのＵＲＬが指し示すページと同様のＵＲＬを含む該ＷＥＢページの下層に設置されているとみなす事が可能なＷＥＢページのＵＲＬＤＢ上での数が、常に一定であるとして判断しうる状況が、
該ＷＥＢサイトのソース上に存在するかを判定する事を特徴とする、
請求項１記載のインターネット上の各ＷＥＢサイト属性判定方法。
【請求項６２】
インターネット上の各ＷＥＢサイト属性判定方法において、
請求項１１記載の
判定されるＵＲＬが指し示すページと同様のＵＲＬを含む該ＷＥＢページの下層に設置されているとみなす事が可能なＷＥＢページのＵＲＬＤＢ上での数で
構成要素判定処理を行う工程において、
該ＷＥＢページのＵＲＬが指し示すページと同様のＵＲＬを含む該ＷＥＢページの下層に設置されているとみなす事が可能なＷＥＢページのＵＲＬＤＢ上での数が、定期的に増えているとして判断しうる状況が、
該ＷＥＢサイトのソース上に存在するかを判定する事を特徴とする、
請求項１記載のインターネット上の各ＷＥＢサイト属性判定方法。
【請求項６３】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「￥１００」「￥５９８０」など、「￥Ｎ」（Ｎは金額を表す数字および漢数字などの文字列。）、または「Ｎ円」など、数値を表す文字列に隣接して金銭単位を表す文字列が、該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項６４】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「ありがとうございました」「Ｔｈａｎｋ  ｙｏｕ」など、ユーザーの購入に対する謝意を意味する文字列が、該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項６５】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「個人情報取扱いについて」など、企業等が取得し、利用する個人情報等を対象として、その利用に関わる基本的な指針を示す文字列、またはその内容を含むページへのリンクとしての文字列が、該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項６６】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「１８歳以上」、「１８歳未満」など、「Ｎ歳以上」「Ｎ歳以下」、または「ｏｖｅｒＮ」「ｕｎｄｅｒＮ」（Ｎは年齢を表す数字および漢数字などの文字列。）など、数値を表す文字列に隣接して年齢を表す文字列が、該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項６７】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「創業Ｎ年」「ＳｉｎｃｅＮ」など、「Ｎ（Ｎは年数を表す数字および漢数字などの文字列。）創業年月を表す文字列が、該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項６８】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「１０月１５日」など、「Ｎ月Ｎ日」（Ｎは日時を表す数字および漢数字などの文字列。）、または「Ｎ／Ｎ」など、数値を表す文字列に隣接して年月日を表す文字列が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項６９】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「プライバシーポリシー」など、個人情報の取り扱いの際の基準・方針を示す文字列、またはその内容を含むページへのリンクとしての文字列が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項７０】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「スレッド」「スレ」「ｔｈｒｅａｄ」など、特定の話題に属する複数の記事をまとめたものを表す文字列が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項７１】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「０８／１２／０２  ３：１０」など、「Ｎ／Ｎ／  Ｎ：Ｎ」（Ｎは年月日時を表す数字および漢数字などの文字列。）、または「Ｎ年Ｎ月Ｎ日  Ｎ時Ｎ分」、など、数値を表す文字列と、年月日・日時を表す文字列が隣接しているとして判断しうる状況が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項７２】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「ＢＢＳ」「掲示板」など、ＷＥＢ上の掲示板を表す文字列が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項７３】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「続きを読む」など、中途まで表示された記事の全体を表示することをユーザーが選択することを促す文字列が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項７４】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「Ｃｏｍｍｅｎｔ」、「コメント」など、該ＷＥＢサイトのコンテンツに対するユーザーのコメントの表示を意味する文字列が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項７５】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「公式ブログ」「〜のブログ」「〜‘ｓ  ＯＦＦＩＣＩＡＬ  ＢＬＯＧ」など、発信者が該ＷＥＢサイトをブログであると宣言していることを意味する文字列が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項７６】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「トラックバック」「ｔｒａｃｋｂａｃｋ」など、他ＷＥＢサイトから該ＷＥＢサイトへのリンクを作成する機能をあらわす文字列が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項７７】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「残り時間」など、該ＷＥＢサイトの提供するサービス上で使用する、ユーザーの任意の行動を制限する残り時間をあらわす文字列が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項７８】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「入札」など、該ＷＥＢサイトの提供するサービス上で使用する、売買などの契約者を決める競争契約の方法をあらわす文字列が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項７９】
インターネット上の各ＷＥＢサイト属性判定方法において、
請求項１０記載の
当発明のデータベース作成者もしくはアドミニストレーターによって設定されたサイト属性判定に有効なキーワードを、判定対象のＷＥＢサイトがコードに使用しているかを判定する構成要素判定処理を行う工程において、
「出品者」など、該ＷＥＢサイトの提供するサービス上で使用する、売買等における商品等の提供者をあらわす文字列が、
該ＷＥＢサイトのソース上に存在するかを判定し、また、前記判定項目が複数存在している場合はその個数も判定する事を特徴とする、
請求項１記載のインターネット上の各ＷＥＢサイト属性判定方法。
【請求項８０】
インターネット上の各ＷＥＢサイト属性判定方法において、
前記請求項９記載のサイト属性判定に有効なキーワードとなるテキストデータを、判定対象のＷＥＢサイトがコードに使用しているかを判定する構成要素判定処理を行う工程において、
数値を表す文字列に隣接して金銭単位を表す文字列がソース上にあり、ＷＥＢページ上に表示されている場合、
ＥＣサイト、および
インターネットオークションサイト
の属性値として該カテゴリーに該当する判断のためのポイントを付加することを特徴とする、
請求項１記載のインターネット上の各ＷＥＢサイト属性判定方法。
【請求項８１】
インターネット上の各ＷＥＢサイト属性判定方法において、
前記請求項９記載のサイト属性判定に有効なキーワードとなるテキストデータを、判定対象のＷＥＢサイトがコードに使用しているかを判定する構成要素判定処理を行う工程において、
ユーザーの購入に対する謝意を意味する文字列がソース上にあり、ＷＥＢページ上に表示されている表示されている場合、ＥＣサイト、および
インターネットオークションサイトの属性値として該カテゴリーに該当する判断のためのポイントを付加することを特徴とする、
請求項１記載のインターネット上の各ＷＥＢサイト属性判定方法。
【請求項８２】
インターネット上の各ＷＥＢサイト属性判定方法において、
前記請求項９記載のサイト属性判定に有効なキーワードとなるテキストデータを、判定対象のＷＥＢサイトがコードに使用しているかを判定する構成要素判定処理を行う工程において、
「個人情報取扱いについて」など、企業等が取得し、利用する個人情報等を対象として、その利用に関わる基本的な指針を示す文字列、またはその内容を含むページへのハイパーリンクとしての文字列がソース上にあり、ＷＥＢページ上に表示されている場合、ＥＣサイトの属性値として該カテゴリーに該当する判断のためのポイントを付加することを特徴とする、
請求項１記載のインターネット上の各ＷＥＢサイト属性判定方法。
【請求項８３】
インターネット上の各ＷＥＢサイト属性判定方法において、
前記請求項１０記載のサイト属性判定に有効なキーワードとなるテキストデータを、判定対象のＷＥＢサイトがコードに使用しているかを判定する構成要素判定処理を行う工程において、数値を表す文字列に隣接して年月日を表す文字列がソース上にあり、ＷＥＢページ上に表示されている場合、ＥＣサイトの属性値として該カテゴリーに該当する判断のためのポイントを付加することを特徴とする、
請求項１記載のインターネット上の各ＷＥＢサイト属性判定方法。
【請求項８４】
インターネット上の各ＷＥＢサイト属性判定方法において、
前記請求項９記載の、少なくとも判定対象のＷＥＢサイトがコードに使用しているタグデータを元に、構成要素判定処理を行う工程において、
ユーザーの該ＷＥＢページ内での商品の売買を管理するシステムの名称を表す文字列またはそれに準ずる画像がソース上に含まれており、
その文字列および画像からユーザーの該ＷＥＢページ内での商品の売買を管理するシステムへデータの送受信をする事を可能にする機能関数としてのフォームやタグデータがソース上に存在する場合、ＥＣサイトの属性値として該カテゴリーに該当する判断のためのポイントを付加することを特徴とする、
請求項１記載のインターネット上の各ＷＥＢサイト属性判定方法。
【請求項８５】
インターネット上の各ＷＥＢサイト属性判定方法において、
前記請求項１５記載の、判定されるＷＥＢページのＵＲＬから、構成要素判定処理を行う工程において、
該ＷＥＢページが、ＵＲＬから、サーバー側で動的にＨＴＭＬデータを生成することによって、動的なウェブページを実現することを主な目的としたＷＥＢページであると判定される場合、ＥＣサイト、およびオークションサイトの属性値として該カテゴリーに該当する判断のためのポイントを付加することを特徴とする、
請求項１記載のインターネット上の各ＷＥＢサイト属性判定方法。
【請求項８６】
インターネット上の各ＷＥＢサイト属性判定方法において、
前記請求項１５記載の、判定されるＷＥＢページのＵＲＬから、構成要素判定処理を行う工程において、
該ＷＥＢページが、ＵＲＬから、サーバー側とクライアント側が通信を行う際の外部からのアクセスをできる限り遮断する、匿名性の高いページであると判定される場合、ＥＣサイトの属性値として該カテゴリーに該当する判断のためのポイントを付加することを特徴とする、
請求項１記載のインターネット上の各ＷＥＢサイト属性判定方法。
【請求項８７】
インターネット上の各ＷＥＢサイト属性判定方法において、
前記請求項１５記載の、判定されるＷＥＢページのＵＲＬから、構成要素判定処理を行う工程において、
該ＷＥＢページが、ＵＲＬから、サーバー側でのプログラムの処理結果に基づいて動的に生成・送出されるＷＥＢページであると判定される場合、ＥＣサイトＥＣサイト、および掲示板サイト、およびブログサイト、およびオークションサイトの属性値として該カテゴリーに該当する判断のためのポイントを付加することを特徴とする、
請求項１記載のインターネット上の各ＷＥＢサイト属性判定方法。
【請求項８８】
インターネット上の各ＷＥＢサイト属性判定方法において、
前記請求項１５記載の、判定されるＷＥＢページのＵＲＬから、構成要素判定処理を行う工程において、
該ＷＥＢページが、ＵＲＬから、該ＷＥＢサイトが属する上位ディレクトリＵＲＬデータもしくはドメイン名からアドミニストレーターが任意に設定した主要インターネットＥＣサービス内ページであると判定される場合、ＥＣサイトの属性値として該カテゴリーに該当する判断のためのポイントを付加することを特徴とする、
請求項１記載のインターネット上の各ＷＥＢサイト属性判定方法。
【請求項８９】
インターネット上の各ＷＥＢサイト属性判定方法において、
前記請求項９記載の、少なくとも判定対象のＷＥＢサイトがコードに使用しているタグデータを元に、構成要素判定処理を行う工程において、
画像をもちいたハイパーリンクをあらわすソースがソース上に含まれており、その指定されたハイパーリンク先が外部ページであり、アドミニストレーターが、遷移元の画像ファイルの縦横の任意の長さが広告として使用される頻度の高い任意の長さであるとして判断しうる状況がソース上に存在する場合、ＥＣサイトの属性値として該カテゴリーに該当する判断のためのポイントを付加することを特徴とする、
請求項１記載のインターネット上の各ＷＥＢサイト属性判定方法。
【請求項９０】
インターネット上の各ＷＥＢサイト属性判定方法において、
前記請求項９記載の、少なくとも判定対象のＷＥＢサイトがコードに使用しているタグデータを元に、構成要素判定処理を行う工程において、
ＷＥＢページの中に、電子メールアドレスを入力する項目が表示されており、該ＷＥＢサイトのデータベース等へ入力された電子メールアドレスを送信する手法を行う指示をだす命令がソース上に存在する場合、ＥＣサイトの属性値として該カテゴリーに該当する判断のためのポイントを付加することを特徴とする、
請求項１記載のインターネット上の各ＷＥＢサイト属性判定方法。
【請求項９１】
インターネット上の各ＷＥＢサイト属性判定方法において、
前記請求項１０記載のサイト属性判定に有効なキーワードとなるテキストデータを、判定対象のＷＥＢサイトがコードに使用しているかを判定する構成要素判定処理を行う工程において、「創業Ｎ年」「ＳｉｎｃｅＮ」など、「Ｎ（Ｎは年数を表す数字および漢数字などの文字列。）創業年月を表す文字列がソース上にあり、ＷＥＢページ上に表示されている場合、ＰＲおよび告知サイトの属性値として該カテゴリーに該当する判断のためのポイントを付加することを特徴とする、
請求項１記載のインターネット上の各ＷＥＢサイト属性判定方法。
【請求項９２】
インターネット上の各ＷＥＢサイト属性判定方法において、
前記請求項１０記載のサイト属性判定に有効なキーワードとなるテキストデータを、判定対象のＷＥＢサイトがコードに使用しているかを判定する構成要素判定処理を行う工程において、「プライバシーポリシー」など、個人情報の取り扱いの際の基準・方針を示す文字列、またはその内容を含むページへのリンクとしての文字列がソース上にあり、ＷＥＢページ上に表示されている場合、ＰＲおよび告知サイトの属性値として該カテゴリーに該当する判断のためのポイントを付加することを特徴とする、
請求項１記載のインターネット上の各ＷＥＢサイト属性判定方法。
【請求項９３】
インターネット上の各ＷＥＢサイト属性判定方法において、
前記請求項１２記載の、判定されるＷＥＢサイトの目的を、アドミニストレーターによる経験則的に既に明白である項目として設定された内容によって構成要素判定処理を行う工程において、
ハイパーリンクをあらわすソースがソース上に含まれており、
該ソースがあらわすハイパーリンク先のページのＵＲＬが、アドミニストレーターが任意に設定した就労に関する求人を目的として提供されている他のサービス業者が提供するＵＲＬであるとして判断しうる場合、ＰＲおよび告知サイトの属性値として該カテゴリーに該当する判断のためのポイントを付加することを特徴とする、
請求項１記載のインターネット上の各ＷＥＢサイト属性判定方法。
【請求項９４】
インターネット上の各ＷＥＢサイト属性判定方法において、
前記請求項９記載の、少なくとも判定対象のＷＥＢサイトがコードに使用しているタグデータを元に、構成要素判定処理を行う工程において、
ＷＥＢページの中に、電子メールアドレスを入力する項目が表示されており、該ＷＥＢサイトのデータベース等へ入力された電子メールアドレスを送信する手法を行う指示をだす命令がソース上に存在する場合、ＰＲおよび告知サイトの属性値として該カテゴリーに該当する判断のためのポイントを付加することを特徴とする、
請求項１記載のインターネット上の各ＷＥＢサイト属性判定方法。
【請求項９５】
インターネット上の各ＷＥＢサイト属性判定方法において、
前記請求項１２記載の、判定されるＷＥＢサイトの目的を、アドミニストレーターによる経験則的に既に明白である項目として設定された内容によって構成要素判定処理を行う工程において、
文字列または画像をもちいたハイパーリンクをあらわすソースがソース上に含まれており、
該ソースがあらわすハイパーリンク先ＵＲＬが、アドミニストレーターが任意に設定した企業の個人情報保護に関して一定の要件を満たしている事業者であるか審査、調査をおこなう団体であることが認識可能なＵＲＬである
として判断しうる場合、ＰＲおよび告知サイトの属性値として該カテゴリーに該当する判断のためのポイントを付加することを特徴とする、
請求項１記載のインターネット上の各ＷＥＢサイト属性判定方法。
【請求項９６】
インターネット上の各ＷＥＢサイト属性判定方法において、
前記請求項１２記載の、判定されるＷＥＢサイトの目的を、アドミニストレーターによる経験則的に既に明白である項目として設定された内容によって構成要素判定処理を行う工程において、
ハイパーリンクをあらわすソースがソース上に含まれており、
該ソースがあらわすハイパーリンク先のＵＲＬが、アドミニストレーターが任意に設定した外部のＷＥＢページサービスを利用して特定の場所を指し示す地図を表示するＵＲＬであるか、または、該ＷＥＢページサービスを表示させるページへの画面遷移を促すリンクを表すソースコードが含まれている場合、ＰＲおよび告知サイトの属性値として該カテゴリーに該当する判断のためのポイントを付加することを特徴とする、
請求項１記載のインターネット上の各ＷＥＢサイト属性判定方法。
【請求項９７】
インターネット上の各ＷＥＢサイト属性判定方法において、
前記請求項８記載の、少なくとも判定対象のＷＥＢサイトのファイル拡張子を元に、
構成要素判定処理を行う工程において、該指定されたハイパーリンク先のファイル形式、あるいはまた、電子ファイルデータの拡張子が、
書き換え不能処理な電子文書データファイルとして判断しうる状況
がソース上に存在する場合、ＰＲおよび告知サイトの属性値として該カテゴリーに該当する判断のためのポイントを付加することを特徴とする、
請求項１記載のインターネット上の各ＷＥＢサイト属性判定方法。
【請求項９８】
インターネット上の各ＷＥＢサイト属性判定方法において、
前記請求項１０記載のサイト属性判定に有効なキーワードとなるテキストデータを、判定対象のＷＥＢサイトがコードに使用しているかを判定する構成要素判定処理を行う工程において、「スレッド」、「スレ」、「ｔｈｒｅａｄ」など、特定の話題に属する複数の記事をまとめたものを表す文字列がソース上にあり、ＷＥＢページ上に表示されている場合、掲示板サイトの属性値として該カテゴリーに該当する判断のためのポイントを付加することを特徴とする、
請求項１記載のインターネット上の各ＷＥＢサイト属性判定方法。
【請求項９９】
インターネット上の各ＷＥＢサイト属性判定方法において、
前記請求項１０記載のサイト属性判定に有効なキーワードとなるテキストデータを、判定対象のＷＥＢサイトがコードに使用しているかを判定する構成要素判定処理を行う工程において、「０８／１２／０２  ３：１０」など、「Ｎ／Ｎ／  Ｎ：Ｎ」（Ｎは年月日時を表す数字および漢数字などの文字列。）、または「Ｎ年Ｎ月Ｎ日  Ｎ時Ｎ分」、など、数値を表す文字列と、年月日・日時を表す文字列が隣接してソース上にあり、ＷＥＢページ上に表示されている場合、掲示板サイトの属性値として該カテゴリーに該当する判断のためのポイントを付加することを特徴とする、
請求項１記載のインターネット上の各ＷＥＢサイト属性判定方法。
【請求項１００】
インターネット上の各ＷＥＢサイト属性判定方法において、
前記請求項１０記載のサイト属性判定に有効なキーワードとなるテキストデータを、判定対象のＷＥＢサイトがコードに使用しているかを判定する構成要素判定処理を行う工程において、「ＢＢＳ」、「掲示板」など、ＷＥＢ上の掲示板を表す文字列がソース上にあり、ＷＥＢページ上に表示されている場合、ＥＣサイトの属性値として該カテゴリーに該当する判断のためのポイントを付加することを特徴とする、
請求項１記載のインターネット上の各ＷＥＢサイト属性判定方法。
【請求項１０１】
インターネット上の各ＷＥＢサイト属性判定方法において、
前記請求項１４記載の、判定されるＷＥＢページ全体のソースコードのデータ容量やデータ容量の変遷によって、
構成要素判定処理を行う工程において、
該ＷＥＢページ全体のソースコードのデータ容量が同ＷＥＢページを巡回する度に、前回同ＷＥＢページを巡回した際のＷＥＢページ全体のソースコードのデータ容量よりも大きくなっている
と判断しうる状況
がソース上に存在する場合、掲示板サイトの属性値として該カテゴリーに該当する判断のためのポイントを付加することを特徴とする、
請求項１記載のインターネット上の各ＷＥＢサイト属性判定方法。
【請求項１０２】
インターネット上の各ＷＥＢサイト属性判定方法において、
前記請求項１０記載のサイト属性判定に有効なキーワードとなるテキストデータを、判定対象のＷＥＢサイトがコードに使用しているかを判定する構成要素判定処理を行う工程において、「続きを読む」など、中途まで表示された記事の全体を表示することをユーザーが選択することを促す文字列がソース上にあり、ＷＥＢページ上に表示されている場合、掲示板サイト、およびブログサイトの属性値として該カテゴリーに該当する判断のためのポイントを付加することを特徴とする、
請求項１記載のインターネット上の各ＷＥＢサイト属性判定方法。
【請求項１０３】
インターネット上の各ＷＥＢサイト属性判定方法において、
前記請求項９記載の、少なくとも判定対象のＷＥＢサイトがコードに使用しているタグデータを元に、構成要素判定処理を行う工程において、
入力した情報をユーザー自身の意図とタイミングによって、選択およびマウスクリックを行うことで、該ＷＥＢサイトのデータベース等へユーザーが入力した情報を送信し、該ＷＥＢサイトやデータベース等へ反映させる事を可能にする機能関数としてのフォームやタグデータがソース上に存在する場合、掲示板サイト、およびブログサイトの属性値として該カテゴリーに該当する判断のためのポイントを付加することを特徴とする、
請求項１記載のインターネット上の各ＷＥＢサイト属性判定方法。
【請求項１０４】
インターネット上の各ＷＥＢサイト属性判定方法において、
前記請求項９記載の、少なくとも判定対象のＷＥＢサイトがコードに使用しているタグデータを元に、構成要素判定処理を行う工程において、
ＷＥＢページの中に、該ＷＥＢサイトのユーザーが該ＷＥＢサイトへユーザーが入力したデータの反映を目的として、
任意の情報を入力する項目が表示されており、
入力した情報をユーザー自身の意図とタイミングによって、選択およびマウスクリックを行うことで、該ＷＥＢサイトのデータベース等へユーザーが入力した情報を送信し、該ＷＥＢサイトへ反映させる事を可能にする機能関数としてのフォームやタグデータ
がソース上に存在する場合、掲示板サイト、およびブログサイトの属性値として該カテゴリーに該当する判断のためのポイントを付加することを特徴とする、
請求項１記載のインターネット上の各ＷＥＢサイト属性判定方法。
【請求項１０５】
インターネット上の各ＷＥＢサイト属性判定方法において、
前記請求項９記載の、少なくとも判定対象のＷＥＢサイトがコードに使用しているタグデータを元に、構成要素判定処理を行う工程において、
ＷＥＢページの中に、該ＷＥＢサイトのユーザーが該ＷＥＢサイトへユーザーが入力したデータの検索を目的として、
任意の情報を入力する項目が表示されており、
入力した情報をユーザー自身の意図とタイミングによって、選択およびマウスクリックを行うことで、該ＷＥＢサイトの検索システムへ送信する事を可能にする機能関数としてのフォームやタグデータ
がソース上に存在する場合、掲示板サイトの属性値として該カテゴリーに該当する判断のためのポイントを付加することを特徴とする、
請求項１記載のインターネット上の各ＷＥＢサイト属性判定方法。
【請求項１０６】
インターネット上の各ＷＥＢサイト属性判定方法において、
前記請求項１４記載の、判定されるＷＥＢページ全体のソースコードのデータ容量やデータ容量の変遷によって、
構成要素判定処理を行う工程において、
該ＷＥＢページ全体のソースコードのデータ容量が前回同ＷＥＢページを巡回した際のＷＥＢページ全体のソースコードのデータ容量よりも大きくなっている
と判断しうる状況
がソース上に存在する場合、掲示板サイトの属性値として該カテゴリーに該当する判断のためのポイントを付加することを特徴とする、
請求項１記載のインターネット上の各ＷＥＢサイト属性判定方法。
【請求項１０７】
インターネット上の各ＷＥＢサイト属性判定方法において、
前記請求項１０記載のサイト属性判定に有効なキーワードとなるテキストデータを、判定対象のＷＥＢサイトがコードに使用しているかを判定する構成要素判定処理を行う工程において、「公式ブログ」「〜のブログ」「〜‘ｓ  ＯＦＦＩＣＩＡＬ  ＢＬＯＧ」など、発信者が該ＷＥＢサイトをブログであると宣言していることを意味する文字列がソース上にあり、ＷＥＢページ上に表示されている場合、ブログサイトの属性値として該カテゴリーに該当する判断のためのポイントを付加することを特徴とする、
請求項１記載のインターネット上の各ＷＥＢサイト属性判定方法。
【請求項１０８】
インターネット上の各ＷＥＢサイト属性判定方法において、
前記請求項９記載の、少なくとも判定対象のＷＥＢサイトがコードに使用しているタグデータを元に、構成要素判定処理を行う工程において、
ＷＥＢページの中に、該ＷＥＢサイトのユーザーが該ＷＥＢサイトへユーザーが入力したデータの反映を目的として、
任意の情報を入力する項目が表示されており、
入力した情報をユーザー自身の意図とタイミングによって、選択およびマウスクリックを行うことで、該ＷＥＢサイトのデータベース等へユーザーが入力した情報を送信し、該ＷＥＢサイトへ反映させる事を可能にする機能関数としてのフォームやタグデータがソース上に存在する場合、ＥＣサイトの属性値として該カテゴリーに該当する判断のためのポイントを付加することを特徴とする、
請求項１記載のインターネット上の各ＷＥＢサイト属性判定方法。
【請求項１０９】
インターネット上の各ＷＥＢサイト属性判定方法において、
前記請求項９記載の、少なくとも判定対象のＷＥＢサイトがコードに使用しているタグデータを元に、構成要素判定処理を行う工程において、
文字列または画像をもちいたハイパーリンクをあらわすソースがソース上に含まれており、
該ソースコード上で、アドミニストレーターが、
ＷＥＢブラウザに表示される項目の任意の縦横のキャンパスサイズの長さがブログパーツとして使用される頻度の高い範囲として指定した値で構成されているとして判断しうる状況がソース上に存在する場合、ブログサイトの属性値として該カテゴリーに該当する判断のためのポイントを付加することを特徴とする、
請求項１記載のインターネット上の各ＷＥＢサイト属性判定方法。
【請求項１１０】
インターネット上の各ＷＥＢサイト属性判定方法において、
前記請求項９記載の、少なくとも判定対象のＷＥＢサイトがコードに使用しているタグデータを元に、構成要素判定処理を行う工程において、
他のＷＥＢページから該ＷＥＢページへの遷移を目的としたリンクの作成を希望するアクセスを行なうことにより、自動的に該ＷＥＢページからアクセス元の指定するＷＥＢページへリンクを作成する事を可能にする機能関数としてのフォームやタグデータがソース上に存在する場合、ブログサイトの属性値として該カテゴリーに該当する判断のためのポイントを付加することを特徴とする、
請求項１記載のインターネット上の各ＷＥＢサイト属性判定方法。
【請求項１１１】
インターネット上の各ＷＥＢサイト属性判定方法において、
前記請求項９記載の、少なくとも判定対象のＷＥＢサイトがコードに使用しているタグデータを元に、構成要素判定処理を行う工程において、
文字列または画像をもちいたハイパーリンクをあらわすソースがソース上に含まれており、
該ソース上にて表記されたハイパーリンク先ＷＥＢページのＵＲＬに、アドミニストレーターが任意の広告仲介サービス業者独自の広告として認識が可能な文字列がソース上に存在する場合、ブログサイトの属性値として該カテゴリーに該当する判断のためのポイントを付加することを特徴とする、
請求項１記載のインターネット上の各ＷＥＢサイト属性判定方法。
【請求項１１２】
インターネット上の各ＷＥＢサイト属性判定方法において、
前記請求項９記載の、少なくとも判定対象のＷＥＢサイトがコードに使用しているタグデータを元に、構成要素判定処理を行う工程において、
ＷＥＢページの中に、電子メールアドレスを入力する項目が表示されており、該ＷＥＢサイトのデータベース等へ入力された電子メールアドレスを送信する手法を行う指示をだす命令がソース上に存在する場合、ブログサイトの属性値として該カテゴリーに該当する判断のためのポイントを付加することを特徴とする、
請求項１記載のインターネット上の各ＷＥＢサイト属性判定方法。
【請求項１１３】
インターネット上の各ＷＥＢサイト属性判定方法において、
前記請求項９記載の、少なくとも判定対象のＷＥＢサイトがコードに使用しているタグデータを元に、構成要素判定処理を行う工程において、
ＷＥＢページの中に、該ＷＥＢサイトのアドミニストレーターもしくは運用者に対して、ユーザーが電子メール送信やデータベース等への情報の送信を行なう目的で、ユーザー自身の意図とタイミングによって、選択およびマウスクリックを行うことで、ＷＥＢページの閲覧を行なっているブラウザ以外の外部プログラムの起動を可能にする機能関数としてのフォームやタグデータがソース上に存在する場合、ブログサイトの属性値として該カテゴリーに該当する判断のためのポイントを付加することを特徴とする、
請求項１記載のインターネット上の各ＷＥＢサイト属性判定方法。
【請求項１１４】
インターネット上の各ＷＥＢサイト属性判定方法において、
前記請求項９記載の、少なくとも判定対象のＷＥＢサイトがコードに使用しているタグデータを元に、構成要素判定処理を行う工程において、
ＷＥＢページ中に、外部プログラムを読み込み、該ＷＥＢページの同一コンテンツとして表示を行いえるバイナリーファイルの読み込み指示がソース上に存在する場合、ブログサイトの属性値として該カテゴリーに該当する判断のためのポイントを付加することを特徴とする、
請求項１記載のインターネット上の各ＷＥＢサイト属性判定方法。
【請求項１１５】
インターネット上の各ＷＥＢサイト属性判定方法において、
前記請求項９記載の、少なくとも判定対象のＷＥＢサイトがコードに使用しているタグデータを元に、構成要素判定処理を行う工程において、画像を用いたハイパーリンクをあらわすソースがソース上に含まれており、その指定されたハイパーリンク先が外部の画像ファイルへの遷移を目的としており、遷移先の元画像ファイルが、該ＷＥＢサイトには縮小された縦横のキャンパスサイズ画像として表示されているとアドミニストレーターが想定し任意に設定した値に該当する場合、ブログサイトの属性値として該カテゴリーに該当する判断のためのポイントを付加することを特徴とする、
請求項１記載のインターネット上の各ＷＥＢサイト属性判定方法。
【請求項１１６】
インターネット上の各ＷＥＢサイト属性判定方法において、
前記請求項８記載の、少なくとも判定対象のＷＥＢサイトのファイル拡張子を元に、
構成要素判定処理を行う工程において、
ＷＥＢページの中に、該ＷＥＢページ以外の外部プログラムの処理を利用してＷＥＢページの表示をおこなうソースコードが含まれており、そのコードによりブラウザに表示される項目が、動画データとして再生可能なフォーマットに変換されたデジタルデータとして判断しうる状況
がソース上に存在する場合、ブログサイト、およびアダルトサイトの属性値として該カテゴリーに該当する判断のためのポイントを付加することを特徴とする、
請求項１記載のインターネット上の各ＷＥＢサイト属性判定方法。
【請求項１１７】
インターネット上の各ＷＥＢサイト属性判定方法において、
前記請求項１２記載の、判定されるＷＥＢサイトの目的を、アドミニストレーターによる経験則的に既に明白である項目として設定された内容によって構成要素判定処理を行う工程において、
ハイパーリンクをあらわすソースがソース上に含まれており、
そのソースがあらわすハイパーリンク先が、
ユーザーの該ページの閲覧を抑制する目的で任意外部ページ（主に大手ポータルサイトなど）である
として判断しうる状況がソース上に存在する場合、アダルトサイトの属性値として該カテゴリーに該当する判断のためのポイントを付加することを特徴とする、
請求項１記載のインターネット上の各ＷＥＢサイト属性判定方法。
【請求項１１８】
インターネット上の各ＷＥＢサイト属性判定方法において、
前記請求項１２記載の、判定されるＷＥＢサイトの目的を、アドミニストレーターによる経験則的に既に明白である項目として設定された内容によって構成要素判定処理を行う工程において、
ＷＥＢページの背景を指定するソースコードまたはスタイルシート上のソースコードにおいて、
アドミニストレーターが任意の色指定データとして設定した、該ＷＥＢページの背景部分を表示するよう指定している
として判断しうる状況がソース上に存在する場合、アダルトサイトの属性値として該カテゴリーに該当する判断のためのポイントを付加することを特徴とする、
請求項１記載のインターネット上の各ＷＥＢサイト属性判定方法。
【請求項１１９】
インターネット上の各ＷＥＢサイト属性判定方法において、
前記請求項８記載の、少なくとも判定対象のＷＥＢサイトのファイル拡張子を元に、
構成要素判定処理を行う工程において、
ハイパーリンク先のページのＵＲＬの末尾が本来のデータ容量に比べて少量のデータ量に加工されていることを表すデータファイルとして判断しうる状況
がソース上に存在する場合、アダルトサイトの属性値として該カテゴリーに該当する判断のためのポイントを付加することを特徴とする、
請求項１記載のインターネット上の各ＷＥＢサイト属性判定方法。
【請求項１２０】
インターネット上の各ＷＥＢサイト属性判定方法において、
前記請求項１３記載の、判定されるＷＥＢサイトのソースコードに含まれる外部リンクの性質によって構成要素判定処理を行う工程において、
文字列または画像をもちいたハイパーリンクをあらわすソースがソース上に含まれており、該ソースがあらわすハイパーリンク先外部ページが、ＵＲＬドメインから任意の外国のＷＥＢサイトのものである
として判断しうる状況が、
ソース上に存在する場合、アダルトサイトの属性値として該カテゴリーに該当する判断のためのポイントを付加することを特徴とする、
請求項１記載のインターネット上の各ＷＥＢサイト属性判定方法。
【請求項１２１】
インターネット上の各ＷＥＢサイト属性判定方法において、
前記請求項１０記載のサイト属性判定に有効なキーワードとなるテキストデータを、判定対象のＷＥＢサイトがコードに使用しているかを判定する構成要素判定処理を行う工程において、「１８歳以上」、「１８歳未満」など、「Ｎ歳以上」「Ｎ歳以下」、または「ｏｖｅｒＮ」「ｕｎｄｅｒＮ」（Ｎは年齢を表す数字および漢数字などの文字列。）など、数値を表す文字列に隣接して年齢を表す文字列がソース上にあり、ＷＥＢページ上に表示されている場合、アダルトサイトの属性値として該カテゴリーに該当する判断のためのポイントを付加することを特徴とする、
請求項１記載のインターネット上の各ＷＥＢサイト属性判定方法。
【請求項１２２】
インターネット上の各ＷＥＢサイト属性判定方法において、
前記請求項１０記載のサイト属性判定に有効なキーワードとなるテキストデータを、判定対象のＷＥＢサイトがコードに使用しているかを判定する構成要素判定処理を行う工程において、
「残り時間」など、該ＷＥＢサイトの提供するサービス上で使用する、ユーザーの任意の行動を制限する残り時間をあらわす文字列がソース上にあり、ＷＥＢページ上に表示されている表示されている場合、オークションサイトの属性値として該カテゴリーに該当する判断のためのポイントを付加することを特徴とする、
請求項１記載のインターネット上の各ＷＥＢサイト属性判定方法。
【請求項１２３】
インターネット上の各ＷＥＢサイト属性判定方法において、
前記請求項１０記載のサイト属性判定に有効なキーワードとなるテキストデータを、判定対象のＷＥＢサイトがコードに使用しているかを判定する構成要素判定処理を行う工程において、
「入札」など、該ＷＥＢサイトの提供するサービス上で使用する、売買などの契約者を決める競争契約の方法をあらわす文字列がソース上にあり、ＷＥＢページ上に表示されている表示されている場合、オークションサイトの属性値として該カテゴリーに該当する判断のためのポイントを付加することを特徴とする、
請求項１記載のインターネット上の各ＷＥＢサイト属性判定方法。
【請求項１２４】
インターネット上の各ＷＥＢサイト属性判定方法において、
前記請求項１０記載のサイト属性判定に有効なキーワードとなるテキストデータを、判定対象のＷＥＢサイトがコードに使用しているかを判定する構成要素判定処理を行う工程において、
「出品者」など、該ＷＥＢサイトの提供するサービス上で使用する、売買等における商品等の提供者をあらわす文字列がソース上にあり、ＷＥＢページ上に表示されている表示されている場合、オークションサイトの属性値として該カテゴリーに該当する判断のためのポイントを付加することを特徴とする、
請求項１記載のインターネット上の各ＷＥＢサイト属性判定方法。
【請求項１２５】
インターネット上の各ＷＥＢサイト属性判定方法において、
前記請求項１２記載の、判定されるＷＥＢサイトの目的を、アドミニストレーターによる経験則的に既に明白である項目として設定された内容によって構成要素判定処理を行う工程において、
文字列または画像をもちいたハイパーリンクをあらわすソースがソース上に含まれており、
該ソースが、ＷＥＢサイトの中の該ページの位置を、階層構造の上位ページへのリンクのリストで簡潔に記述したものが含まれる
場合、オークションサイトの属性値として該カテゴリーに該当する判断のためのポイントを付加することを特徴とする、
請求項１記載のインターネット上の各ＷＥＢサイト属性判定方法。
【請求項１２６】
インターネット上の各ＷＥＢサイト属性判定方法において、
前記請求項１２記載の、判定されるＷＥＢサイトの目的を、アドミニストレーターによる経験則的に既に明白である項目として設定された内容によって構成要素判定処理を行う工程において、
該ＷＥＢサイトのソース上にアドミニストレーターが任意に設定したキャンパスサイズ以上の画像データを表示させる指示を行っている
として判断しうる状況が、
ソース上に存在する場合、オークションサイトの属性値として該カテゴリーに該当する判断のためのポイントを付加することを特徴とする、
請求項１記載のインターネット上の各ＷＥＢサイト属性判定方法。
【請求項１２７】
前記インターネット上の各ＷＥＢサイトの属性判定装置の成果物は、少なくともデータベースとして保存・読み込み・更新が可能なこと、
を特徴とする、請求項１記載のインターネット上の各ＷＥＢサイトの属性判定装置。
【請求項１２８】
インターネット上の各ＷＥＢサイト属性判定方法において、
前記請求項１５記載の、判定されるＷＥＢページのＵＲＬから、構成要素判定処理を行う工程において、
該ＷＥＢページが、該ＷＥＢサイトが属する上位ディレクトリＵＲＬデータもしくはドメイン名からアドミニストレーターが任意に設定した主要ブログサービス内ページであると判定される場合、ブログサイトの属性値として該カテゴリーに該当する判断のためのポイントを付加することを特徴とする、
請求項１記載のインターネット上の各ＷＥＢサイト属性判定方法。
【請求項１２９】
インターネット上の各ＷＥＢサイト属性判定方法において、
前記請求項１０記載のサイト属性判定に有効なキーワードとなるテキストデータを、判定対象のＷＥＢサイトがコードに使用しているかを判定する構成要素判定処理を行う工程において、「トラックバック」「ｔｒａｃｋｂａｃｋ」など、他ＷＥＢサイトから該ＷＥＢサイトへのリンクを作成する機能をあらわす文字列がソース上にあり、ＷＥＢページ上に表示されている場合、ブログサイトの属性値として該カテゴリーに該当する判断のためのポイントを付加することを特徴とする、
請求項１記載のインターネット上の各ＷＥＢサイト属性判定方法。
【発明の詳細な説明】
【技術分野】
【０００１】
本発明はインターネット上に存在する各ＷＥＢサイトの情報を記憶するデータベースに関するものである。
【背景技術】
【０００２】
また、通常のポータルサイトにおいては、ポータルサイトを利用するユーザーが、該ユーザーが利用している端末で検索している情報のキーワードをテキスト入力し、検索および検索結果の表示を要求すると、インターネット上でアクセスされた該ポータルサイトは、該ポータルサイトのデータベースに記憶されているデータにおいて、該ユーザーが検索依頼を行ったキーワードに該当する各ＷＥＢサイトを検索結果として判定させ、判定結果による該当ＷＥＢサイトの表示法において、該ポータルサイトの管理者が設定したソフトウェアのアルゴリズムに応じた工程を介し、該ポータルサイトの検索結果画面として、該ユーザーの利用している端末に表示させるべく該データベースの検索結果を表示させるためのデータを構築し送信する手法が一般的である。
【０００３】
前記従来の技術では各ＷＥＢサイトに入力され記憶されているテキストデータを、該ポータルサイトのデータベースのデータとして保存している手法が一般的である。
【０００４】
従来のインターネット上に存在する各ＷＥＢサイトの情報を記憶するポータルサイトのデータベースにおいて、人間の確認および編集作業工程として該ＷＥＢサイトの発信する情報の種類や属性を確認し、該ポータルサイトが規定および作成した索引属性に振り分け、データベースのデータとして記憶する、通称ディレクトリ型という手法は存在する。この場合、人間の確認作業および編集作業をポータルサイトの管理者側が行う場合もあれば、各ＷＥＢサイトの管理者が行う場合もある。
【０００５】
前記ディレクトリ型のデータベースにおいても、ユーザーが検索用のキーワードとして入力した内容が、該ポータルサイトのデータベースに記憶されているデータにおいて、該ユーザーが検索依頼を行ったキーワードに該当する各ＷＥＢサイトを検索結果として判定させ、判定結果による該当ＷＥＢサイトの表示法において、該ポータルサイトの管理者が設定した索引ルールに応じた工程を介し、該ポータルサイトの結果画面として、該ユーザーの利用している端末に表示させるべく該データベースの検索結果を表示させるためのデータを構築し送信する手法は存在する。
通常のポータルサイトにおいて、ポータルサイトを利用するユーザーが、該ユーザーが利用している端末で検索している情報のキーワードをテキスト入力し、検索および検索結果の表示を要求すると、インターネット上でアクセスされた該ポータルサイトは、該ポータルサイトのデータベースに記憶されているデータにおいて、該ユーザーが検索依頼を行ったキーワードに該当する各ＷＥＢサイトを検索結果として判定させ、判定結果による該当ＷＥＢサイトの表示法において、該ポータルサイトの管理者が設定したソフトウェアのアルゴリズムに応じた工程を介し、該ポータルサイトの結果画面として、該ユーザーの利用している端末に表示させるべく該データベースの検索結果を表示させるためのデータを構築し送信する手法は存在する。
【０００６】
前記従来の技術では各ＷＥＢサイトに入力され記憶されているテキストデータを、該ポータルサイトのデータベースのデータとして保存している手法が一般的である。
【０００７】
また、従来のインターネット上に存在する各ＷＥＢサイトの情報を記憶するポータルサイトのデータベースにおいて、人間の確認および編集作業工程として該ＷＥＢサイトの発信する情報の種類や属性を確認し、該ポータルサイトが規定および作成した索引属性に振り分け、データベースのデータとして記憶する、通称ディレクトリ型という手法は存在する。この場合、人間の確認作業および編集作業をポータルサイトの管理者側が行う場合もあれば、各ＷＥＢサイトの管理者が行う場合もある。
【０００８】
前記ディレクトリ型のデータベースにおいても、ユーザーが検索用のキーワードとして入力した内容が、該ポータルサイトのデータベースに記憶されているデータにおいて、該ユーザーが検索依頼を行ったキーワードに該当する各ＷＥＢサイトを検索結果として判定させ、判定結果による該当ＷＥＢサイトの表示法において、該ポータルサイトの管理者が設定した索引ルールに応じた工程を介し、該ポータルサイトの結果画面として、該ユーザーの利用している端末に表示させるべく該データベースの検索結果を表示させるためのデータを構築し送信する手法は存在する。
【０００９】
特許文献１は、ユーザーからウェブページの特徴に関する評価情報をから受けとってページ属性情報を更新するシステムである。このシステムは、ウェブページの特徴に関する評価情報をユーザーから受けとり、前記評価情報に応じて属性情報保持部が保持する前記ページ属性情報を更新するウェブページ属性管理システムである。
【００１０】
特許文献２は、複数の検索エンジンごとの個別のカテゴリーおよび検索条件に基づき、前記複数の各検索エンジンに渡すカテゴリーおよび検索条件を定め、前記複数の検索エンジンに渡り検索の実行を指示するリクエストを生成し、当該検索エンジンに送信する情報検索プログラムである。このシステムは、複数の検索サイトを利用して、より多彩な検索を実現することを目的とする、カテゴリーおよび検索条件を各検索エンジンごとの個別のカテゴリーおよび検索条件に依存するシステムである。
【００１１】
特許文献３は、情報検索の目的を選択するため、情報検索の目的にそれぞれ対応させて単数または複数の「付加語」をユーザーが任意に指定し、情報検索の目的に対応する所定の「付加語」に基づいて、あらかじめ用意された情報検索の目的を選択可能に一覧表示するための情報検索目的一覧表を利用し、入力された検索語に基づき行われる情報検索を制御するホームページ検索システムである。このシステムは、ユーザーが指定した単数または複数の付加語を格納し、前記格納されている付加語の内、前記選択された情報検索の目的に対応する所定の付加語に基づいて、前記入力された検索語に基づき前記所定の検索手段を利用して行われる情報検索を制御する情報検索制御ステップをコンピューターに実行させるためのシステムである。
【特許文献１】特開２００２−０１４９９４号公報
【特許文献２】特開２００３―１５７２８３号公報
【特許文献３】特開２００３−２８８３５８号公報
【発明の開示】
【発明が解決しようとする課題】
【００１２】
従来のポータルサイトのデータベースにおいては、ユーザーの要求されたキーワードに基づくデータベースの検索における検索結果の表示法に焦点をおいた技術が普通であった。
【００１３】
つまりデータベースは、ユーザーの入力したキーワードを検索し、キーワードに該当する各ＷＥＢサイトを判定し、複数該当した各ＷＥＢサイトの検索判定結果の表示法の技術のみの場合、そもそも各ＷＥＢサイトに該当キーワードのテキストデータを入力し保存させる実行者は、該ＷＥＢサイトの制作者であり、ポータルサイトのデータベース側の者とは別の目的や意思を持っている違うために。そのため、以下の不都合が生じる。
【００１４】
（１）ＷＥＢサイトの制作者および発信者側の都合により任意にキーワードを入力させることが可能なため、そのＷＥＢサイトが発信する情報とは別のキーワードをＷＥＢサイトに入力し、検索結果として表示させることが可能である。
【００１５】
（２）キーワードに利用されるテキストデータでは、そのテキストデータを含む情報が、どのような目的や形で利用されているのかを判定することが出来ない。
【００１６】
上記不都合を解決するには、従来の技術では、ポータルサイトのデータベース側にしろ、ユーザー側にしろ、人による確認作業が必要である。
【００１７】
しかし、日々世界中で刻々と新規制作および更新される全てのＷＥＢサイト全てを、ポータルサイト側の人間の作業工程において、該ＷＥＢサイトの発信する情報の種類や属性に応じて索引別に編集していくことは、人的リソースが莫大に必要となり、現実的には対応は不可能である。
【００１８】
また、上記人的リソースによる問題があるため、各ＷＥＢサイトの発信する情報の種類や属性を人為的に確認し判定・編集する手法ではなく、検索結果の表示法もしくは表示順を、技術的な課題として着目し、検索結果画面に表示させる順序に技術的な解決策を用いる手法もあるが、表示法および表示順に技術的な解決策を用いたとしても、各ＷＥＢサイトの発信する情報の種類や属性に応じて索引別に編集しているわけではないので前記不都合を解決しているとはいえない。
【００１９】
上記不都合を解決するには、該ポータルサイトのデータベースにおいて、データベースが記憶する内容を、単にテキストデータのみとして保存するのではなく、各ＷＥＢサイトの目的とその手段から、各ＷＥＢサイトの目的別および手段別による属性を判定し、記憶することができる手法およびシステムを実現させる必要がある。
【００２０】
前記内容から、インターネット上に存在する各ＷＥＢサイトの情報を記憶するデータベースに関して、各ＷＥＢサイトの発信する情報の種類や手段からサイトの属性を判定し、前記判定した各ＷＥＢサイトの属性を記録する手法を実現させるデータベースシステムおよび手法を実現させることが本発明の課題となる。
【課題を解決するための手段】
【００２１】
上記課題を解決する本発明は、各ユーザーが、検索したいＷＥＢサイトのキーワードを入力するための入力手段と、入力されたキーワードデータをデータベースにアクセス可能なサーバーに送受信する通信手段と、およびデータベースの検索結果および検索結果の表示データを送受信する通信手段と、検索結果の表示を該ユーザーの端末に表示させる表示手段と、を実現させるインターネット上のＷＥＢサイトのデータベースシステムにおいて、各ＷＥＢサイトの発信する情報の種類や手段からサイトの属性を判定し、前記判定した各ＷＥＢサイトの属性を記録する手法を実現させるデータベースシステムおよび手法を実現させるために、
各ＷＥＢサイト自体を構成するソースおよびまた、該ＷＥＢサイトにて使用しているタブ（タグ）情報およびまた、該ＷＥＢサイトからハイパーリンク設定されているＷＥＢサイトの種類や数およびまた、ドメインデータを含むＵＲＬアドレスおよびまた、該当ＷＥＢサイトのファイル形式およびまた、該当ＷＥＢサイトのデータ容量等から、該ＷＥＢサイトの構成要素を判定する処理を行い、その判定された構成要素を基に、該ＷＥＢサイトの目的や手段の属性をカテゴリー化した属性要素を判定する処理を行い、各ＷＥＢサイトの発信する情報の種類や手段からサイトの属性を判定することを特徴とする、インターネット上の各ＷＥＢサイトのデータベースシステムおよび手法である。
【００２２】
ここで本明細書に出てくる用語について説明する。
【００２３】
「構成要素」とは各ＷＥＢサイトがインターネット上で配信されるに至るまでに、人為的に実現される技術的成果項目全てに関してのことである。例えば、該ＷＥＢサイトをインターネット上で配信するための各ファイル形式およびまた、各ファイルのソースコードの種類およびまた該ソースコードに使用されている核関数やタブ（タグ）データ、または、インターネット上にてＵＲＬ（サイトアドレス）に使用されているドメイン名等が該当する。
【００２４】
ＷＥＢサイトの「サイト属性」について説明する。人為的成果物であえるＷＥＢサイトには、作成者および発信者によるＷＥＢサイトの配信上における目的、および該目的を実現させるための手段があるといえる。全ＷＥＢサイトの目的および手段を、人為的取り決めによりカテゴリー化したものをサイト属性と本明細書では呼称する。
【００２５】
次に「属性要素」について説明する。ＷＥＢサイトの目的および手段によって、カテゴリー分けされた各サイト属性には、一定のパターンがある。それは、該ＷＥＢサイトの成果物が使用している構成要素の数や種類によって分けられることが出来る。前記各ＷＥＢサイトのカテゴリー属性に該当するパターンを要素化したものが「属性要素」である。
【００２６】
各ＷＥＢサイトを判定した際に、あるカテゴリーの該当属性要素が多く判定された場合は、そのＷＥＢサイトの属性は、人為的取り決めとしてカテゴリー化された属性判定として該当するカテゴリーの目的および手段をもったサイトとして確定的な結論づけを行いえるし、逆にある該当属性要素がほとんど、あるいはまた、まったく判定されなかった場合には、そのＷＥＢサイトの属性は別の属性判定であり、そのカテゴリー化された属性がもつサイトの目的や手段を行っていないと結論を出すことができる。
【００２７】
つまり当発明では、属性要素とは、前記構成要素を基にＷＥＢサイトのサイト属性を導き出す為に算出される要素を指している。
【００２８】
各ＷＥＢサイトの発信する情報の種類や手段からサイトの属性を判定するために、各ＷＥＢサイトのサイト属性を導き出し、
各ＷＥＢサイトのサイト属性を導き出すために、属性要素を用い、
属性要素を導くために構成要素を用いている関係を、以下でより具体的に説明する。
【００２９】
従来のポータルサイトでの検索方法では、テキストデータからキーワード判定による検索を行っている。この場合、各ＷＥＢサイトの制作者および発信者の都合により検索結果の表示順位をはじめとした、ポータルサイトにおける各種検索結果情報を操作することが可能となってしまっていた。
【００３０】
上記状況から、ユーザーが従来のポータルサイトの検索結果画面から、該ユーザーが知りたい情報を発信するＷＥＢサイトにたどり着く為には、各ＷＥＢサイトの特徴など一定のパターンを見つけるだけの経験が必要であり、ポータルサイトの検索結果画面から希望する情報を発信するＷＥＢサイトにすぐにたどりつけない状況が発生していた。
しかし、各ＷＥＢサイトは、情報発信・取得の目的や手段という視点で属性区分を行うことにより、限られた数の属性に限らせることができるＷＥＢサイトがほとんどである。
【００３１】
各ＷＥＢサイトは、本発明による構成要素によって構成されており、上記各属性は決まったパターンの構成要素を使用している特徴を持っている。
各属性には、使用する構成要素の一定のパターンが存在しており、その構成要素を一定のパターンごとに分類をしたものが属性要素であり、当発明のシステムおよび手法を用いることにより、各ＷＥＢサイトに構成要素から導かれた属性要素によりサイト属性を導き出すためのデータベースシステムおよびデータベースのデータ構築・保存の手法が実現するのである。
【００３２】
本発明でのデータベースは、各ＷＥＢサイトの、サイト全体のソース、サイト自体のＵＲＬ、タグなどに記載された付加情報、ハイパーリンク情報などから、そのサイト自体がどのような構成要素を持っているか、またその構成要素をいくつ含んでいるかの検出を行う。その後、前記サイト属性を導き出すために人為的に分類されたＷＥＢサイトの特徴を導き出す為の属性要素の判定判定処理を行う。本発明は、以上のように検出・判定された構成要素、属性要素を各ＷＥＢサイトの関連情報として、データベースへ保存する。データベースに保存された属性要素および構成要素のデータは、データベース管理者もしくは各ユーザーの希望に応じて送信する事が可能である。送信された属性要素および構成要素のデータの表示法に関しては、適宜データベース管理者もしくは各ユーザーの要望に応じて変換する事ができるものとする。
【００３３】
インターネット上のＷＥＢサイトのデータベースシステムにおいて説明しているが、インターネット上ではなくても、限られたネットワーク内のデータ管理を行うためのデータベース、および、例えインターネット上であっても、ポータルサイト上のデータベースに限らず、あるショッピングモール内の、各店舗もしくは各商品・サービス等のデータベースに使用してもよい。
【発明の効果】
【００３４】
本発明のインターネット上の各ＷＥＢサイトのデータベースシステムおよび手法において、各ＷＥＢサイトの構成要素を判定する処理を行い、その判定された構成要素を基に、該ＷＥＢサイトの目的や手段の属性をカテゴリー化した属性要素を判定する処理を行うことで、各ＷＥＢサイトの発信する情報の種類や手段からサイトの属性を判定し、前記判定した各ＷＥＢサイトの属性を記録する手法を実現させるデータベースシステムおよび手法を実現させることができる。
【００３５】
また限られたネットワーク内のデータ管理を行うためのデータベース、および、例えばインターネット上にあるショッピングモール内などの、各店舗もしくは各商品・サービスの発信する情報の種類や手段からサイトの属性を判定し、前記判定した各ＷＥＢサイトの属性を記録する手法を実現させるデータベースシステムおよび手法を実現させることができる。
【発明を実施するための最良の形態】
【００３６】
以下、本発明の好ましい実施の形態を図面を参照して説明する。
【００３７】
図１は本発明により提供される、
各ユーザーが、検索したいＷＥＢサイトのキーワードを入力するための入力手段と、入力されたキーワードデータをデータベースにアクセス可能なサーバーに送受信する通信手段と、およびデータベースの検索結果および検索結果の表示データを送受信する通信手段と、検索結果の表示を該ユーザーの端末に表示させる表示手段と、を実現させるインターネット上のＷＥＢサイトのデータベースシステム、
を実施することを例に説明する為のシステムの構成を示す図である。本発明はデータベースサーバー（情報保存装置）１が用いられる。該データベースサーバーは、サービスプロバイダもしくはアドミニストレーター３において、ＷＥＢサイトユーザー４にインターネット上の各ＷＥＢサイト５の情報提供サービスを提供する為に利用される。
【００３８】
データベースサーバーは、インターネット網２を介して、情報提供するＷＥＢサイトと通信接続されているものとする。
【００３９】
データベースサーバーは、インターネット網２もしくは公衆回線や私設ケーブルといった通信リンク６を介して、データベースサーバーを操作するアドミニストレーター３と通信接続されているものとする。
【００４０】
公衆回線や私設ケーブルを介してデータベースサーバーに接続される端末としては、パーソナルコンピュータ７が接続され、前記データベースサーバーに接続される検索サイトユーザーが端末として使用する端末を総称して検索クライアントシステムとする。また検索サイトユーザーの端末として機能し、データベースサーバーに接続可能であれば、携帯端末や無線携帯電話８などをクライアントシステムとして使用してもよい。
【００４１】
ここでは限定された数のクライアントシステムを対象にして説明しているが、実際には複数のクライアントシステムが平行して公衆回線網を介してデータベースサーバー１から情報提供を受けることができる。
【００４２】
なお、当発明のデータベースサーバーを用いた情報提供サービスの好ましい構成としては、データベースサーバー１単体を公衆回線を介してインターネット網に接続し、情報提供を行ってもかまわないし、また、ＷＥＢサーバー１２とデータベースサーバー１を同じ箇所に設置し連携させるサービスサーバーシステム１１を構成して、公衆回線を介してインターネット網に接続し、情報提供を行ってもかまわない。
【００４３】
図２は本発明の実施の形態に関わるデータベースサーバー（情報保存装置）１の電子回路の構成を示すブロック図である。データベースサーバーは、各種の記憶媒体に記憶されたプログラムを読み込み、前記アドミニストレーターによって動作が制御されるコンピューターによって構成される。
【００４４】
データベースサーバーは、図２に示すように、ＣＰＵ３１、通信装置３４、記憶装置３５、メモリ３３、データベース装置３６、入力装置３２、及び上記構成された各部を双方向通信可能に接続する為のメインバス３７を具備して装置が構成される。
【００４５】
ＣＰＵ３１は、データベースサーバー全体の制御をおこなうもので、メモリ３３に格納されたプログラムやデータ等に基づいて動作することにより各種の機能を実現する。
【００４６】
データベースサーバーにおいて実行される機能としては、
外部のＷＥＢサイトの情報をデータベースに蓄積する為、通信回線を介し各サイトにアクセスし、該ＷＥＢサイトデータをメモリ３３上に蓄積する情報収集機能、
蓄積された該ＷＥＢサイトデータから、該ＷＥＢサイトの発信する情報の種類や手段からサイトの属性を判定し、前記判定した各ＷＥＢサイトの属性を記録する属性判定機能、
クライアントシステムから通信回線を介しデータベースサーバー内部のデータをＷＥＢサイト情報として提供する情報提供機能、
などが含まれている。
【００４７】
通信装置３４は、インターネット網１を介した外部との通信を制御するユニットである。なお、通信装置としては、モデムを変換装置として設けた構成やＩＳＤＮ回線との接続に介在するターミナルアダプタ（ＴＡ）、デジタルサービスユニット（ＤＳＵ）を設けた構成としてもよい。通信装置３４は通信ケーブル１５もしくは無線通信ユニットと接続されることで、通信可能となる。
【００４８】
記憶装置３５は、各種プログラムやデータを格納するためのものであって、例えばデータベースの蓄積の為に使われる各種処理プロセスデータ、その処理を実際に行うプログラムである。また、この各種処理プロセスの追加・変更を行う変更プログラムも格納される。記憶媒体に記憶されるプログラム、データは、データベースサーバー外の記憶装置から通信手段を介して受信され、使用される構成にしてもよい。
【００４９】
メモリ３３は、ＣＰＵ３１によってアクセスされる為のプログラムやデータ、またはクライアントシステムから受信した情報が格納されるもので、必要に応じて記憶装置３５、またはデータベース装置３６から読み出されて格納される。
【００５０】
データベース装置３６はＷＥＢサイトのリストや、本発明の判定によって作成された各ＷＥＢサイトの各データ、および各データを識別するための識別データなどが含まれる。
【００５１】
入力装置３２や外部からの通信手段を介してプロセスデータの追加・変更を行うことも可能である。
【００５２】
図３は本発明の実施の形態に関わるデータベースサーバーの構成例を示す機能ブロック図である。
【００５３】
データベースサーバーは、データ管理部３３、テーブル編集管理部３４、テーブルデータ格納部３１０、サイトデータ格納部３２０にて構成される。
【００５４】
データ管理部３３は、テーブルデータ格納部３１０とサイトデータ格納部３２０に格納されている各種データを、本発明を実現するために作成および生成された各種プログラム実行データにより管理する。該プログラム実行データが、テーブルデータ格納部３１０にある各種データを参照し、サイトデータ格納部３２０に作成・保存・更新される各種データを取り扱う。
【００５５】
テーブルデータ編集管理部３４は本発明のデータベース管理者によって、テーブルデータ格納部３１０に格納されている各種データベースの作成・編集・保存を管理する。
【００５６】
ＵＲＬＤＢ３２１とは、本発明の該ＷＥＢサイトの発信する情報の種類や手段からサイトの属性を判定する対象のＷＥＢサイトのＵＲＬデータが保存されている。ここに記憶されるデータは、システムが自動的に取得したＵＲＬデータを記憶してもかまわないし、アドミニストレーター３によって人為的にＵＲＬデータを入力し、記憶する手法でもかまわない。
【００５７】
要素ＤＢ３２２には、各ＷＥＢサイト別に作成される該サイトにおいて、本発明のデータベースが新たに生成するデータで、本発明の構成要素判定処理にて判定された、該ＷＥＢサイトの構成要素データ、が保存されている。
【００５８】
属性ＤＢ３２３とは、各ＷＥＢサイト別に作成される該サイトのデータベースで本発明の属性要素判定処理にて判定された、該ＷＥＢサイトの属性要素データが保存されている。
【００５９】
データ管理部３３は、ＵＲＬＤＢ３２１にある構成要素判定対象のサイトを、構成要素データテーブル３１１にしたがって該当要素の判定検出処理を行い、判定された構成要素のデータを該ＵＲＬサイトの構成要素データとして、要素ＤＢ３２２に作成・保管する機能を具備している。
【００６０】
また、同様に、データ管理部３３は、前記作成・保管された、該ＵＲＬサイトにて検出された構成要素データを元に、属性要素データテーブル３１２を参照し、該当するサイト属性項目があるかを検出する判定処理を行い、判定された構成要素に該当するポイントを参照し、該当属性のカテゴリーポイントとして加算させる。全ての属性要素の判定処理を終えた後、判定された属性要素のデータを該ＵＲＬサイトの属性要素データとして、属性ＤＢ３２３に作成・保管する機能を具備している。
【００６１】
なお本発明の実施形態では、サイトデータ格納部３２０に格納されているＵＲＬＤＢ３２１、要素ＤＢ３２２、属性ＤＢ３２３を個別データとして分けているが、１つのＤＢとして設計および構築しても良い。
【００６２】
同様に、テーブルデータ格納部３１０に格納されている構成要素データテーブル３１１および属性要素データテーブル３１２を個別データとして分けているが、１つのデータテーブルとして設計および構築しても良い。
【００６３】
検索結果表示管理部３５は検索ユーザーの端末表示用に本発明のデータベースから検索結果として判定されたデータを出力もしくはまた送信する機能を具備している。なお、検索依頼を本発明のデータベースに行う依頼主は、ＷＥＢサイトユーザー４だけではなく、他のポータルサイトシステムであってもかまわない。またＷＥＢサーバー１２とデータベースサーバー１を同じ箇所に設置し連携させるサービスサーバーシステム１１の場合は、検索依頼主がＷＥＢサイトユーザー４であり、検索結果出力管理部３５は依頼主の状況に合わせて、ＷＥＢサーバー１２との連携を取り、ＷＥＢサイトユーザー４の使用する端末のＷＥＢブラウザに合わせ、送信および出力するデータを調整する機能を具備していることが好ましい。  以上のように構成されるデータベースシステムの動作について、図４の当データベースシステムのメインフローチャートを示しながら説明する。クライアントシステムのＣＰU５１はメモリ５２に記憶されたプログラムに基づいて以下の動作を実行する。
【００６４】
ステップＳ４０１（以下「ステップ」を省略する）でメイン処理を開始した後、Ｓ４０２へ進み構成要素および機能要素判定処理開始宣言を行う。この開始宣言を行う際に、日時データをメモリ３３に記憶してもよい。
【００６５】
その後、Ｓ４０３へ進み、構成要素判定処理の開始を行う。構成要素判定処理の開始を行うと、当データベースシステムの処理は、構成要素判定処理の作業ステップに移行する。
【００６６】
図７は当発明の構成要素判定処理のフローチャートを図示したものである。
【００６７】
メインフローチャートのＳ４０３で構成要素判定処理開始が行われると、Ｓ７０１に移行する。その後、Ｓ７０２にて、構成要素判定処理を行うべきＵＲＬデータがＵＲＬＤＢ３２１に存在するかを判定する。
【００６８】
図５はＵＲＬＤＢ３２１に記憶されているＵＲＬデータの内容例を示す図である。
【００６９】
サイトＵＲＬデータ５０１に各ＷＥＢサイトのＵＲＬデータが入力されている。
【００７０】
ＵＲＬＤＢ  ＩＤ５０２に本発明のシステム内で各ＷＥＢサイトの識別用のＩＤとしてユニークのデータを付与して与える。なお、サイトＵＲＬ自体がインターネット上ではユニークのデータであるため、サイトＵＲＬをユニークの識別データとして使用する場合は、このＵＲＬＤＢ  ＩＤ５０２を用いなくても良い。
【００７１】
ＵＲＬ取得日データ欄５０３には、各ＷＥＢサイトのＵＲＬデータが、本発明のデータベースシステムに作成された日時データが入力される。なお、このＵＲＬ取得日データ欄５０３には、該当ＵＲＬデータの再取得日のデータが入力されてもかまわない。ＵＲＬ取得日データの再取得を行う基準としては、前回ＵＲＬ取得日データを取得した日時以降に、該ＷＥＢサイトが更新されたかを判定し、前回ＵＲＬ取得日データを取得した日時以降、該ＷＥＢサイトが更新された場合は、該当ＵＲＬデータを再取得することが好ましい。
【００７２】
構成要素判定日データ欄５０４には、該ＷＥＢサイトが、本発明のデータベースシステムにおいて、構成要素検索が実行されて終了した日時データが入力されている。なお、当データは、要素ＤＢ３２２の方で該ＷＥＢサイトの要素ＤＢデータとして構成要素検索がされた際に記憶される場合、このデータ欄を用意しなくてもかまわない。
【００７３】
属性要素判定日データ欄５０５には、該ＷＥＢサイトが、本発明のデータベースシステムにおいて、属性要素検索が実行されて終了した日時データが入力されている。なお、当データは、属性ＤＢ３２３の方で該ＷＥＢサイトの属性ＤＢデータとして属性要素検索がされた際に記憶される場合、このデータ欄を用意しなくてもかまわない。
【００７４】
サイトデータ欄５０６には、各サイト自体を、当データベースシステムに記憶する手法を用いる場合、各サイトのデータをサイトデータ欄にて記憶する。なお、各サイト自体のデータを記憶しない、もしくは各サイト事態の記憶は他のデータベース装置を利用する場合、このデータ欄を用意しなくてもかまわない。
【００７５】
Ｓ７０２にて、構成要素判定処理を行うべきＵＲＬデータがＵＲＬＤＢ３２１に存在するかの判定法は、各ＷＥＢサイトのＵＲＬもしくはＵＲＬＤＢ  ＩＤの項目において、ＵＲＬ取得日欄５０３の日時データと構成要素判定日欄５０４の日時データを比較し、構成要素判定日欄５０４の日時データとの比較を行い、ＵＲＬ取得日の日時データの方が構成要素判定日欄５０４の日時データよりも新しい場合、もしくは、構成要素判定日欄５０４のデータが無い場合、該ＷＥＢサイトは構成要素判定処理を行う必要が「有り」と判断する。
【００７６】
よって、各ＷＥＢサイトのＵＲＬもしくはＵＲＬＤＢ  ＩＤの項目において、ＵＲＬ取得日ラン５０３の日時データと構成要素判定日欄５０４の日時データを比較し、ＵＲＬ取得日の日時データの方が構成要素判定日欄５０４の日時データよりも古い場合、該ＷＥＢサイトは構成要素判定処理を行う必要が「無し」と判断する。
【００７７】
ここで構成要素検索を行うべきＷＥＢサイトのＵＲＬデータが「無し」と判定された場合は、ＵＲＬＤＢ３２１にある他のＵＲＬＤＢ  ＩＤにおいて、該ＷＥＢサイトは構成要素判定処理を行う必要のあるＵＲＬデータがあるかを判定する。もし、構成要素判定処理を行う必要「有り」と判定されるＵＲＬＤＢ  ＩＤがある場合は、Ｓ７０４に進むが、全てのＵＲＬＤＢ  ＩＤにおいて、構成要素検索を行うべきＷＥＢサイトのＵＲＬデータが「無し」と判定された場合は、構成要素判定処理の終了処理Ｓ７０３へ進む。
【００７８】
一方、Ｓ７０２において構成要素検索を行うべきＷＥＢサイトのＵＲＬデータが「有り」と判定された場合は、Ｓ７０４に進み、構成要素検索を行うべきＷＥＢサイトのＵＲＬデータをＵＲＬＤＢ３２１より１つ取得する。
【００７９】
図５のＵＲＬＤＢ  ＩＤ「００２」に該当するデータを確認すると、ＵＲＬ取得日ラン５０３の日時データ「２００８／９／４、１３：４０」と構成要素判定日欄５０４の日時データ「２００８／９／２、１４：２１」を比較すると、ＵＲＬ取得日の日時データの方が構成要素判定日欄５０４の日時データよりも新しいので、ＵＲＬＤＢ  ＩＤ「００２」のＷＥＢサイトは構成要素判定処理を行う必要が「有り」と判断する。
【００８０】
その後、Ｓ７０５へ進み、インターネット等の通信網を使用してＳ７０４で取得したＵＲＬにあるＷＥＢサイトにアクセスし、ＷＥＢサイトのデータをメモリ３３に保存する。なお、ここで保存されたデータを図５のＵＲＬデータに付随させて記憶させるデータとして、該当ＵＲＬサイトの要素判定処理が全て終了した際（Ｓ７１５）にサイトデータとして図５のサイトデータ欄５０６に保存してもよいし、一時保存データとして、該当ＵＲＬサイトの要素判定処理の終了であるＳ７１５に移行時に削除しても良い。一時保存データとして要素判定処理の終了時に削除する場合、図５のサイトデータ欄５０６は削除してもかまわない。
【００８１】
図６はＳ７０５で保存されたＷＥＢサイトのソースコードデータを図示したものである。なお、参照用のサイトデータはｈｔｍで記述されているが、ｈｔｍ以外の言語であるｊｓｐ、あるいはＡＳＰ、もしくはまた、ＰＨＰ等あるいは、その他の言語でもかまわない。
【００８２】
Ｓ７０５の処理が終了すると、Ｓ７０６に進み、構成要素判定処理をスタートさせる。
その後、Ｓ７０７にて要素判定項目ＩＤを初期化させ、Ｓ７０８でテーブルデータ格納部３１０に記憶されている構成要素データテーブル３１１より、初回判定項目を抽出する。
【００８３】
図８は構成要素データテーブル３１１の内容例を示す図表である。
【００８４】
判定項目ＩＤ欄８０１には判定すべき構成要素項目における本データベース上におけるユニークのＩＤデータが付与されている。
【００８５】
要素タイプ欄８０２には、判定すべき要素のタイプによって区分された内容が表示されている。なお、この項目は、本データベースの管理者の開発・運営管理の便宜上用意されたデータであるため、削除してもかまわない。
【００８６】
判定要素内容欄８０３には、各要素項目における判定内容を記述している。ここに記述されている内容が、該ＷＥＢサイトにて該当するかを構成要素判定処理で判定を行っていく。なお、本発明の明細書では、便宜上テキストにて表示されているが、システムが判定を行う場合は、プログラミング言語にて各要素判定内容の設定がされることになる。
【００８７】
構成要素データテーブルにはここに例示した以外にも適宜新規項目を加えてもよい。
【００８８】
Ｓ７０７にて要素判定項目ＩＤを初期化し、Ｓ７０８にて初回要素判定項目を抽出した後にＳ７０９の抽出された項目要素判定処理に移行した場合、Ｓ７０９にて判定される判定項目は初回判定項目になる。判定項目は構成要素データテーブル３１１に保存された判定項目ＩＤ順に順次全ての項目が判定されることになる。
【００８９】
当発明の図８で図示された初回判定項目は項目ＩＤ「ｘ＿０１＿００１」にあたり、Ｓ７０９で判定される項目は、該ＷＥＢサイトに記述されているコードに記述されている「外リンクへのファイル形式」が「読込専用ドキュメント拡張子ファイル」であるかを判定する項目が該当することになる。
【００９０】
ｘ＿０１＿００１の判定する内容を具体的に説明する。通常ＷＥＢサイトは該ＷＥＢサイトあるいはページもしくはファイル以外のＷＥＢサイトあるいはページもしくはファイルにハイパーリンクを設定させることができる。そのハイパーリンクを設定した判定中の該ＷＥＢサイトあるいはページもしくはファイル外に設定されたハイパーリンク先のＷＥＢサイトあるいはページもしくはファイルのファイル形式つまり拡張子が読込み専用のドキュメントファイルを意味するものであるかを判定する。具体的な拡張子としてはＡＤＯＢＥ  ＳＹＳＴＥＭＳ社によって開発された、電子文書のためのフォーマット「ＰＤＦ」ファイル形式などがあげられる。本発明では、仮に「ｐａｆｘ」というファイル形式つまり拡張子が読込み専用のドキュメントファイルであると仮定して説明する。
Ｓ７０９の項目要素判定処理で、判定項目が該当すると判定された場合は、Ｓ７１１に進み、該項目が判定した値を、該当ＵＲＬのＷＥＢサイトの要素ＤＢ３２２に追加更新する。その後、Ｓ７１２に進む。
なお、要素項目の判定においては、判定する項目の「有り（○）」もしくは「無し（×）」の２つの値で更新するのではなく、該当ＷＥＢページのおいて何箇所その項目フラグが判定されたかの数値データにて追加更新される手法が好ましい。
図６にて提示したＷＥＢサイトのソースコードデータ上において、該ＷＥＢページ外に設定されたハイパーリンク先のＷＥＢページで、本発明で仮想設定されたファイルのファイル形式つまり拡張子が読込み専用のドキュメントファイル「ｐａｆｘ」は存在する。しかも、前記状況の該当個数は５つ該当すると判定される。
Ｓ７０９の項目要素判定処理で、判定項目が該当すると判定されない場合は、Ｓ７１２に進み、未判定の要素判定項目がまだ残っているか、構成要素データテーブル３１１の判定項目ＩＤを参照する。
【００９１】
Ｓ７１２の処理で未判定の要素項目がまだ残っている場合は、Ｓ７１３に移行し、判定項目ＩＤを次の値に更新させる作業を行う。
【００９２】
Ｓ７１３で更新された内容を元に、構成要素データテーブル３１１より、次に判定すべき要素判定項目内容を抽出し、Ｓ７０９の項目要素判定処理に向かう。
【００９３】
Ｓ７１２で構成要素データテーブル３１１を参照した結果、未判定の要素判定項目が残っていないと判定された場合、Ｓ７１５に進み該当ＵＲＬのＷＥＢサイトの構成要素判定処理は終了処理が行われる。Ｓ７１５の終了処理では、一連のＳ７０６からＳ７１４の処理中に判定された該当判定項目を、該当ＵＲＬのＷＥＢサイトの要素データとして保存処理を行う一方で、Ｓ７１５にて該データの保存処理を実行した日時をＵＲＬＤＢ３２１、もしくは、要素ＤＢ３２２に記憶する作業を行う。
【００９４】
図９は構成要素判定処理作業にて構成要素を検索された該当ＷＥＢサイトの要素ＤＢの内容例を示す図表である。
ＵＲＬＤＢ  ＩＤ９０１に本発明のシステム内で各ＷＥＢサイトの識別用のＩＤとしてユニークのデータが付与されている。この値は、５０２のＵＲＬＤＢ  ＩＤと同一である。なお、サイトＵＲＬをユニークの識別データとして使用する場合は、このＵＲＬＤＢ  ＩＤではなく、５０１と同じサイトＵＲＬデータが入力されることになる。
【００９５】
構成要素判定日データ欄９０２には、Ｓ７１５の終了処理にて構成要素判定処理結果の保存処理を実行した日時データが入力される。なお、当データは、ＵＲＬＤＢの構成要素判定日データ５０４と同一のデータが入力されることになる。
【００９６】
各ＷＥＢサイトを表すＵＲＬＤＢ  ＩＤのもとには、９０３のように構成要素データテーブル３１１の判定項目ＩＤ順でならび、９０４のデータ欄には、各ＷＥＢサイトにおいて各構成要素の判定項目が該ＷＥＢページで該当すると判定された数値データが入力されることになる。なお、構成要素判定を行っていないＵＲＬＤＢ  ＩＤにおいて、本発明は０の数値を最初から入力しているが、０の値を入力しておかなくてもよい。
図６にて提示したＷＥＢサイトのソースコードデータ上において、該ＷＥＢページ外に設定されたハイパーリンク先のＷＥＢページで、本発明で仮想設定されたファイルのファイル形式つまり拡張子が読込み専用のドキュメントファイル「ｐａｆｘ」は５つ該当すると判定されたため、Ｓ７１１にて「５」が入力されることになる。図９ではＵＲＬＤＢ  ＩＤが００２、ｘ＿０１＿００１に該当数欄に「５」と入力されている。また、Ｓ７１５で、図９のＵＲＬＤＢ  ＩＤが００２における構成要素判定日データ欄９０２に、構成要素判定処理結果の保存処理を実行した日時データが入力される。該構成要素判定処理結果の保存処理を実行したＵＲＬＤＢ  ＩＤ「００２」の日時データは、「２００８／９／５、２０：０６」のように、図５のＵＲＬ取得日ラン５０３の日時データ「２００８／９／４、１３：４０」よりも新しいデータが入力されることになる。
【００９７】
Ｓ７１５を終えると、処理は再びＳ７０２に戻る。
【００９８】
Ｓ７０２で構成要素検索を行うべきＷＥＢサイトのＵＲＬデータが「無し」と判定された場合は、当データベースシステム上に記憶されているＵＲＬデータテーブルで構成要素検索を行うべきものは残っていないと判断し、Ｓ７０３に進み図７の構成要素判定処理が終了する。
【００９９】
Ｓ７０３に移行すると、当データベースシステムは処理をＳ４０４の構成要素判定終了処理を実行する。構成要素判定終了処理では、メモリ３３に記憶されて、今後の処理において不要なデータがあれば削除される。例えばサイトデータを保存しない場合は、Ｓ７０５で保存されたＷＥＢサイトのソースコードデータは、メモリ３３から削除されることになる。
【０１００】
Ｓ４０４を終えると、Ｓ４０５に移行し、属性要素判定処理開始を行うようになる。
【０１０１】
Ｓ４０５に移行すると処理は、属性判定処理を実行する図１０のＳ１００１に移行する。
【０１０２】
サイトの属性要素判定処理を実施する工程を、図１０および図１１のフローチャートを示しながら説明する。
【０１０３】
図１０は、ＷＥＢサイトの属性要素判定処理の工程を示すフローチャート図の前半部である。
【０１０４】
図１１は、ＷＥＢサイトの属性要素判定処理の工程を示すフローチャート図の後半部である。
【０１０５】
Ｓ１００１にて属性要素判定処理開始後、Ｓ１００２にて、属性要素判定処理を行うべきＵＲＬデータがＵＲＬＤＢ３２１に存在するかを判定する。
【０１０６】
Ｓ１００２にて、属性要素判定処理を行うべきＵＲＬデータがＵＲＬＤＢ３２１に存在するかの判定法は、各ＷＥＢサイトのＵＲＬもしくはＵＲＬＤＢ  ＩＤの項目において、ＵＲＬ取得日欄５０３の日時データと属性要素判定日欄５０５の日時データを比較し、属性要素判定日欄５０５の日時データとの比較を行い、ＵＲＬ取得日の日時データの方が属性要素判定日欄５０５の日時データよりも新しい場合、もしくは、属性要素判定日欄５０５のデータが無い場合、該ＷＥＢサイトは属成要素判定処理を行う必要の可能性があるＵＲＬデータが「有り」と判断する。
【０１０７】
よって、各ＷＥＢサイトのＵＲＬもしくはＵＲＬＤＢ  ＩＤの項目において、ＵＲＬ取得日ラン５０３の日時データと属性要素判定日欄５０５の日時データを比較し、ＵＲＬ取得日の日時データの方が属性要素判定日欄５０５の日時データよりも古い場合、該ＷＥＢサイトは属性成要素判定処理を行うＵＲＬデータが「無し」と判断する。
【０１０８】
ここで属性要素検索を行うべきＷＥＢサイトのＵＲＬデータが「無し」と判定された場合は、ＵＲＬＤＢ３２１にある他のＵＲＬＤＢ  ＩＤにおいて、該ＷＥＢサイトは属性成要素判定処理を行う必要の可能性があるＵＲＬデータがあるかを判定する。もし、可能性「有り」と判定された場合は、Ｓ１００３に進むが、全てのＵＲＬＤＢ  ＩＤにおいて、属性要素検索を行うべきＷＥＢサイトのＵＲＬデータが「無し」と判定された場合は、終了処理Ｓ１０１５へ進む。
【０１０９】
一方、Ｓ１００２において属性成要素判定処理を行う必要の可能性があるＵＲＬデータが「有り」と判定された場合は、Ｓ１００３に進み、構成要素判定日欄５０４の日時データと属性要素判定日欄５０５の日時データを比較し、最終的に該ＵＲＬＤＢ  ＩＤにおけるＷＥＢサイトが属性要素判定処理を行う必要があるかを判定する。
【０１１０】
Ｓ１００３では構成要素判定日欄５０４の日時データと属性要素判定日欄５０５の日時データを比較し、属性要素判定日欄５０５の日時データとの比較を行い、構成要素判定日欄５０４の方が属性要素判定日欄５０５の日時データよりも新しい場合、もしくは、属性要素判定日欄５０５のデータが無い場合、該ＷＥＢサイトは属性要素判定処理を行う必要があると判断し、Ｓ１００４に進み、該ＵＲＬＤＢ  ＩＤのＷＥＢサイトの属性判定処理を開始する。
【０１１１】
よって、各ＷＥＢサイトのＵＲＬもしくはＵＲＬＤＢ  ＩＤの項目において、構成要素判定日欄５０４の日時データと属性要素判定日欄５０５の日時データを比較し、属性要素判定日欄５０５の日時データとの比較を行い、構成要素判定日欄５０３の日時データの方が属性要素判定日欄５０５の日時データよりも古い場合、該ＵＲＬＤＢ  ＩＤのＷＥＢサイトは属性要素判定処理を行う必要が無いと判断し、処理はＳ１００２に移行し、他のＵＲＬＤＢ  ＩＤの属性要素判定処理を行うべきＵＲＬデータが存在するかを判定する。
【０１１２】
図５のＵＲＬＤＢ  ＩＤ「００２」に該当するデータを確認すると、ＵＲＬ取得日ラン５０３の日時データ「２００８／９／４、１３：４０」と属性要素判定日欄５０５の日時データ「２００８／９／３、１０：１５」を比較すると、ＵＲＬ取得日の日時データの方が属性要素判定日欄５０５の日時データよりも新しいので、Ｓ１００２にて、ＵＲＬＤＢ  ＩＤ「００２」のＷＥＢサイトは属性要素判定処理を行う必要が「有り」と判断する。
【０１１３】
Ｓ１００３にて、属性要素判定日欄５０５の日時データＳ７１５の構成要素判定処理結果の保存処理を実行した日時データとして入力された「２００８／９／５、２０：０６」が比較され、構成要素判定日欄５０４の方が属性要素判定日欄５０５の日時データよりも新しいため、ＵＲＬＤＢ  ＩＤ「００２」のＷＥＢサイトは属性要素判定処理を行う必要があると判断し、Ｓ１００４に進み、該ＵＲＬＤＢ  ＩＤのＷＥＢサイトの属性判定処理を開始する。
Ｓ１００４では該ＵＲＬＤＢ  ＩＤのＷＥＢサイトの属性要素判定処理要素判定処理を開始し、Ｓ１００５で判定すべき属性要素（Ｙ  ＩＤ）の初期化を行う。
【０１１４】
図１２は属性要素データテーブル３１２の内容例を示す図表である。
【０１１５】
サイト属性（Ｚ  ＩＤ）欄１２０１には、判定すべきサイトの属性における本データベース上におけるユニークのＩＤデータが付与されている。サイト属性ＩＤの種類だけ、サイトの属性をカテゴリー化しており、属性判定ができることになる。
【０１１６】
本発明では、サイト属性の種類として、
ＥＣサイト、
ＰＲおよび告知サイト、
アダルトサイト、
インターネット掲示板サイト、
ブログサイト、
インターネットオークションサイト、
の６種類のサイト属性を例示しているが、例示されたサイト属性以外にも適宜新規属性の項目を加えてもよい。
【０１１７】
属性要素（Ｙ  ＩＤ）１２０２には、各サイト属性を構築する属性要素分の項目が本発明のデータベース上におけるユニークのＩＤデータとして付与されている。
【０１１８】
各サイト属性で判定すべき属性要素（Ｙ  ＩＤ）の数や種類は、サイト属性（Ｚ  ＩＤ）欄１２０１毎に違う。
【０１１９】
なお、属性要素は本明細書に例示した以外にも適宜新規項目を加えてもよい。
【０１２０】
属性値（Ｙ  ｐｏｉｎｔ）１２０３は、個別の各属性要素項目が内在する場合、そのＷＥＢサイトのサイト属性に当てはまるという信憑性を数値化したものである。属性値（Ｙ  ｐｏｉｎｔ）１２０３は、個別の属性要素項目毎に、当データベースの開発者もしくは運用者あるいはアドミニストレーターによって、割り振られ、入力された数値である。
【０１２１】
属性値が高い属性要素が、属性要素判定処理によって判定されると、該当するサイト属性の値があがり、該サイト属性が当てはまる可能性が高くなる仕組みとなる。
【０１２２】
なお、属性値（Ｙ  ｐｏｉｎｔ）の値は、適宜、当データベースの開発者もしくは運用者が、テーブル編集管理部３４にて変更することができる状態が好ましい。
【０１２３】
各属性要素（Ｙ  ＩＤ）には、個別の構成要素判定項目ＩＤ１２０４データが与えられている。構成要素判定項目ＩＤは少なくとも１つはあるサイト属性（Ｚ  ＩＤ）欄の属性要素（Ｙ  ＩＤ）に該当することになる。また、構成要素判定項目ＩＤは複数のサイト属性（Ｚ  ＩＤ）欄の属性要素（Ｙ  ＩＤ）に該当する場合もある。なお、複数のサイト属性（Ｚ  ＩＤ）欄の属性要素（Ｙ  ＩＤ）に該当したとしても、複数のサイト属性（Ｚ  ＩＤ）欄の属性要素（Ｙ  ＩＤ）の属性値（Ｙ  ｐｏｉｎｔ）が同じであるとは限らない。
【０１２４】
これは、おなじ構成要素判定項目ＩＤであっても、サイト属性に貢献する属性要素（Ｙ  ＩＤ）としては信憑性が違う場合があるからである。なお、本明細書以外の各属性要素（Ｙ  ＩＤ）と構成要素判定項目ＩＤの組み合わせを用いてもかまわない。
【０１２５】
なお、当明細書には、説明の便宜上、属性要素データテーブル３１２の内容例を示す図表に構成要素判定項目ＩＤ１２０４の内容を表記するデータ欄として、１２０５の判定構成要素内容を表記しているが、実際の属性要素データテーブルでは削除してもよい。
Ｓ１００６で判定すべきサイト属性（Ｚ  ＩＤ）の初期化を行う。なお、本発明ではＳ１００５で判定すべき属性要素（Ｙ  ＩＤ）の初期化の工程の次に、Ｓ１００６で判定すべきサイト属性（Ｚ  ＩＤ）の初期化を行っているが、順番を逆、あるいは、同一工程で、属性要素（Ｙ  ＩＤ）とサイト属性（Ｚ  ＩＤ）の初期化を行っても良い。
【０１２６】
その後Ｓ１００７に進み、構成要素判定処理にて実行され保存された、属性要素判定処理を行うべき該各ＷＥＢサイトのＵＲＬもしくはＵＲＬＤＢ  ＩＤに該当する構成要素判定処理結果データを、要素ＤＢ３２２よりメモリ３３に読み出す。
Ｓ１００７の後、Ｓ１００８でテーブルデータ格納部３１０に記憶されている属性要素データテーブル３１２を読み出す。
【０１２７】
Ｓ１００４から、Ｓ１００８と一連の工程を移行した場合、Ｓ１００９にて抽出され判定される判定項目は、初期化されているため、初回サイト属性ＩＤの、かつ、初回属性要素判定項目が判定されることになる。
判定法としては、判定対象の属性要素判定項目に該当する構成要素判定処理データの該当数を、メモリ３３に読み込まれた要素ＤＢ３２２より参照し、１以上の数値が入力されているかを判断し、１以上の数値が入力されていれば該当すると判断する。なお、メモリ３３に読み込まれた要素ＤＢ３２２に入力されているデータが、数値ではなく、要素項目の判定においては、判定する項目の「有り（○）」もしくは「無し（×）」の２つの値で入力されている場合は、「有り（○）」と入力されている場合に、該当すると判断する。
【０１２８】
属性要素判定は属性要素データテーブル３１２に設定されたサイト属性ＩＤ順で、かつ、属性要素（Ｙ  ＩＤ）順に全てが順次判定されることになる。
【０１２９】
当発明の図１２で図示された属性要素データテーブル３１２から、初回サイト属性ＩＤはＥＣサイト（ｚ０１）にあたり、初回の属性要素判定項目は「ｙ＿０１＿００１」で、「ｘ＿０８＿００１」の「金額を表す文字列」、つまり、構成要素判定処理において、「￥１００」「￥５９８０」など、「￥Ｎ」（Ｎは金額を表す数字および漢数字などの文字列。）、または「Ｎ円」など、数値を表す文字列に隣接して金銭単位を表す文字列がソース上にあり、ＷＥＢページ上に表示されている場合には、該当すると判定される構成要素が該当したと判断され、メモリ３３に読み出された要素ＤＢ３２２に１以上の数値が入力されているかをＳ１００９にて判定する。
【０１３０】
Ｓ１０１０において、Ｓ１００９の判定で、判定中のサイト属性ＩＤの属性要素（Ｙ  ＩＤ）が該当したと判定された場合は、Ｓ１０１１に進み、該当した属性要素（Ｙ  ＩＤ）に対して割り当てられる属性値（Ｙ  ｐｏｉｎｔ）を、属性要素データテーブル３１２より参照し、Ｓ１０１２で該当ＵＲＬのＷＥＢサイトの属性ＤＢ３２３の属性要素スコア欄１３０７に追加更新する。
【０１３１】
なお、Ｓ１００９の判定で、判定中の構成要素の該当数が２以上である場合、構成要素の該当数値と属性値（Ｙ  ｐｏｉｎｔ）の乗算値を、Ｓ１０１２で該当ＵＲＬのＷＥＢサイトにおける属性ＤＢ３２３の属性要素スコア欄１３０７に追加更新する作業を行う。
【０１３２】
図１３は図６にて提示したＷＥＢサイトのソースコードデータ上において、初回サイト属性として「ＥＣサイト」というカテゴリーの、かつ、初回属性要素判定項目の属性要素判定処理作業にて属性要素スコアを判定されたＷＥＢサイトの属性ＤＢ３２３の内容例を示す図表である。
ＵＲＬＤＢ  ＩＤ１３０１に本発明のシステム内で各ＷＥＢサイトの識別用のＩＤとしてユニークのデータが付与されている。この値は、５０２および９０１のＵＲＬＤＢ  ＩＤと同一である。なお、サイトＵＲＬをユニークの識別データとして使用する場合は、このＵＲＬＤＢ  ＩＤではなく、５０１と同じサイトＵＲＬデータが入力されることになる。
【０１３３】
属性要素判定日データ欄１３０２には、Ｓ１１０４の終了処理にて属性要素判定処理が行われた日時データが入力される。なお、当データは、ＵＲＬＤＢの属性要素判定日データ５０５と同一のデータが入力されることになる。図１３の状況では、まだ、Ｓ１１０４の工程に達していないため、データは入力されていない。
【０１３４】
各ＷＥＢサイトを表すＵＲＬＤＢ  ＩＤのもとには、１３０３のように属性要素データテーブル３１２のサイト属性ＩＤが順にならび、１３０４には各サイト属性ＩＤの中で属性要素（Ｙ  ＩＤ）が順にならび、各１３０７の属性要素スコア欄には、Ｓ１００９で判定された構成要素の該当数値と該属性値（Ｙ  ｐｏｉｎｔ）の乗算値がＳ１０１２の工程で入力・更新されることになる。
サイト属性スコア欄１３０８にはＳ１１０１で集計された各属性要素スコアの数値がＳ１１０２で追加更新される。
【０１３５】
属性値（Ｙ  ｐｏｉｎｔ）欄１３０５には、該当する属性要素（Ｙ  ＩＤ）の属性要素データテーブル３１２における値を表示している。なお、この項目は、本データベースの管理者の開発・運営管理の便宜上用意されたデータであるため、削除してもかまわない。
【０１３６】
構成要素該当数欄１３０６には、Ｓ１００７で読み込まれた属性要素判定処理を行うべき該各ＷＥＢサイトのＵＲＬもしくはＵＲＬＤＢ  ＩＤに該当する構成要素判定処理結果データのデータ欄９０４に入力されている数値データが入力される。なお、この項目は、本データベースの管理者の開発・運営管理の便宜上用意されたデータであるため、削除してもかまわない。
【０１３７】
図６にて提示したＷＥＢサイトのソースコードデータ上においては、属性要素「ｙ＿０１＿００１」の構成要素判定項目に該当する「ｘ＿０８＿００１」の「金額を表す文字列」とは、構成要素判定処理において、「￥１００」「￥５９８０」など、「￥Ｎ」（Ｎは金額を表す数字および漢数字などの文字列。）、または「Ｎ円」など、数値を表す文字列に隣接して金銭単位を表す文字列がソース上にあり、ＷＥＢページ上に表示されているかを判定する構成要素である。
【０１３８】
しかし、図６にて提示したＷＥＢサイトのソースコードデータ上においては、前記項目が該当しないため、メモリ３３に読み出された要素ＤＢ３２２に「０」の数値が入力されており、Ｓ１００９にて該当しないと判断されているため、属性要素のスコア欄は属性ポイントが追加されず「０」のままとなっている。
【０１３９】
なお、本明細書の図１３の実施例では、構成要素該当数欄１３０６および属性要素スコア欄１３０７およびサイト属性スコア欄１３０８にあらかじめ「０」の値を入力する手法を用いているが、「０」の値を一切いれず、空白データの状態にしてもかまわない。
【０１４０】
Ｓ１０１２で該当ＵＲＬのＷＥＢサイトにおける属性ＤＢ３２３の属性要素スコア欄１３０７に追加更新する作業後、もしくは、Ｓ１０１０でＳ１００９における項目属性判定に該当しないと判定された場合は、Ｓ１０１３に移行し、次に判定すべき属性要素（Ｙ  ＩＤ）が存在するか、属性要素データテーブル３１２を参照する。
【０１４１】
Ｓ１０１３で未判定の属性要素（Ｙ  ＩＤ）がまだあると判定された場合は、Ｓ１０１４に移行し、属性要素（Ｙ  ＩＤ）を次の値に更新する作業を行い、更新された属性要素（Ｙ  ＩＤ）がＳ１００９にて、該各ＷＥＢサイトのＵＲＬもしくはＵＲＬＤＢ  ＩＤに該当する構成要素判定処理結果データに該当するかを判定することになる。
【０１４２】
一方、Ｓ１０１３で次に判定すべき属性要素（Ｙ  ＩＤ）が存在するか、属性要素データテーブル３１２を参照した結果、未判定の属性要素（Ｙ  ＩＤ）がないと判定された場合、Ｓ１１０１に進み、各属性要素スコアの数値を集計し、Ｓ１１０２で該サイト属性（Ｚ  ＩＤ）のポイントデータとして属性ＤＢ３２３の属性要素スコア欄１３０８に追加更新する作業を行う。
【０１４３】
Ｓ１１０２の後、Ｓ１１０３に進み、次に判定すべきサイト属性（Ｚ  ＩＤ）項目が存在するか、属性要素データテーブル３１２を参照する。
【０１４４】
Ｓ１０１３で未判定のサイト属性（Ｚ  ＩＤ）項目があると判定した場合は、Ｓ１１０６に移行し、サイト属性（Ｚ  ＩＤ）を次の値に更新させる作業を行う。
【０１４５】
Ｓ１１０６でサイト属性（Ｚ  ＩＤ）が次の値に更新すると、次のＳ１１０７で
属性要素（Ｙ  ＩＤ）の初期化を行い、Ｓ１１０９の処理に戻る。この場合、
サイト属性（Ｚ  ＩＤ）項目は前回まで判定した項目の次項目を判定することになり、かつ、属性要素（Ｙ  ＩＤ）は該サイト属性（Ｚ  ＩＤ）にある初回の項目を判定することになる。
【０１４６】
Ｓ１１０３で属性要素データテーブル３１２を参照した結果、次に判定すべきサイト属性（Ｚ  ＩＤ）項目がないと判定された場合、Ｓ１１０４で該ＵＲＬページの属性要素判定処理終了の日時データとして現在の日時データを属性要素判定日データ（５０５、１３０２、１４０２）として追加更新を行う。
【０１４７】
その後、Ｓ１００２に移行し、属性要素判定処理を行うべきＵＲＬデータがＵＲＬＤＢ３２１に存在するかを判定する。
【０１４８】
属性要素判定処理を行うべきＵＲＬデータがＵＲＬＤＢ３２１に「無し」と判定された場合は、属性要素判定処理の終了処理Ｓ１０１５へ進む。
【０１４９】
Ｓ１００２で属性要素検索を行うべきＷＥＢサイトのＵＲＬデータが「無し」と判定されるということは、当データベースシステム上に記憶されているＵＲＬＤＢ３２１内で属性要素検索を行うべきものは残っていないと判断し、Ｓ１０１５に進み図１０および１１の属性要素判定処理が終了する。
【０１５０】
Ｓ１０１５に移行すると、当データベースシステムは処理をＳ４０６に移行させ属性要素判定終了処理を実行する。属性要素判定終了処理では、メモリ３３に記憶されて、今後の処理において不要なデータがあれば削除される。
図１４は図６にて提示したＷＥＢサイトのソースコードデータ上において、本発明の属性要素判定処理が終了した後のあるＷＥＢサイトの属性ＤＢ３２３の内容例を示す図表である。
【０１５１】
属性要素判定日データ欄１４０２には、Ｓ１１０４の終了処理にて属性要素判定処理が行われた日時データが入力される。該属性要素判定処理結果の保存処理を実行したＵＲＬＤＢ  ＩＤ「００２」の日時データは、「２００８／９／６、０８：２５」のように、図５のＵＲＬ取得日ラン５０３の日時データ「２００８／９／４、１３：４０」よりも新しいデータが入力されることになる。なお、当データは、ＵＲＬＤＢの属性要素判定日データ５０５と同一のデータが入力もしくは更新入力されることになる。
【０１５２】
以下、図６にて提示したＷＥＢサイトのソースコードデータ上において、Ｓ１００９の判定で属性要素に該当すると判定された主な項目について具体的に説明する。
【０１５３】
属性要素「ｙ＿０１＿００４」の構成要素判定項目に該当する「ｘ＿０８＿００６」の「月日を表す文字列」とは、構成要素判定処理において、
「１０月１５日」など、「Ｎ月Ｎ日」（Ｎは日時を表す数字および漢数字などの文字列。）、または「Ｎ／Ｎ」など、数値を表す文字列に隣接して月日を表す文字列がソース上にあり、ＷＥＢページ上に表示されているかを判定する構成要素である。図６にて提示したＷＥＢサイトのソースコードデータ上においては、５箇所表示がされているため、「５」の値が、メモリ３３に読み出された要素ＤＢ３２２に入力されており、また、Ｓ１００９では該当すると判断され、属性要素のスコア欄は属性ポイントの「５」が乗算され「２５」が属性要素スコアとなっている。
【０１５４】
属性要素「ｙ＿０２＿００３」の構成要素判定項目に該当する「Ｘ＿０８＿００７」の「プライバシーポリシーを示す文字列」とは、構成要素判定処理において、
「プライバシーポリシー」など、個人情報の取り扱いの際の基準・方針を示す文字列、またはその内容を含むページへのリンクとしての文字列がソース上にあり、ＷＥＢページ上に表示されているかを判定する構成要素である。図６にて提示したＷＥＢサイトのソースコードデータ上においては、１箇所表示がされているため、「１」の値が、メモリ３３に読み出された要素ＤＢ３２２に入力されており、また、Ｓ１００９では該当すると判断され、属性要素のスコア欄は属性ポイントの「８０」が乗算され「８０」が属性要素スコアとなっている。
【０１５５】
属性要素「ｙ＿０４＿０１５」の構成要素判定項目に該当する「Ｘ＿０２＿００５」の「メーラー起動」とは、構成要素判定処理において、
ＷＥＢページの中に、該ＷＥＢサイトのアドミニストレーターもしくは運用者に対して、ユーザーが電子メール送信やデータベース等への情報の送信を行なう目的で、ユーザー自身の意図とタイミングによって、選択およびマウスクリックを行うことで、ＷＥＢページの閲覧を行なっているブラウザ以外の外部プログラムの起動を可能にする機能関数としてのフォームやタグデータが該ＷＥＢサイトのソース上に含まれているかを判定する構成要素である。図６にて提示したＷＥＢサイトのソースコードデータ上においては、１箇所表示がされているため、「１」の値が、メモリ３３に読み出された要素ＤＢ３２２に入力されており、また、Ｓ１００９では該当すると判断され、属性要素のスコア欄は属性ポイントの「１０」が乗算され「１０」が属性要素スコアとなっている。
図１４から判断するに、当発明のデータベースにおいては、
ＥＣサイトは２５点、
ＰＲおよび告知サイトは１９０点、
インターネット掲示板サイトは０点、
アダルトサイトは０点、
ブログサイトは１０点、
インターネットオークションサイトは０点、
の属性判定結果となった。以上の結果から、該サイトの属性判定結果としては、ＰＲおよび告知サイトの属性である可能性が非常に高いと判断しうる。ただし、ＥＣサイトの可能性も、スコアが０ではなく、ＰＲおよび告知サイトよりは可能性はかなり低いが、ありうると判断している点にも特徴がある。また、該データ自体を表示させ、どのサイトのカテゴリーや属性になりうるかの最終判断をＷＥＢサイトユーザー４に行うための、有益な情報を提供することも可能である。いずれにせよ、当発明のデータベースによって、該ＷＥＢサイトの発信する情報の種類や手段からサイトの属性を判定することが可能である。
【０１５６】
Ｓ４０６の属性要素判定終了処理を終えると、Ｓ４０７に移行し、構成要素および属性要素判定処理を終了し、本発明のデータベースにおけるメインフローチャートの処理は終了する。
【０１５７】
以上の内容によって、インターネット上に存在する各ＷＥＢサイトの情報を記憶するデータベースに関して、各ＷＥＢサイトの発信する情報の種類や手段からサイトの属性を判定し、前記判定した各ＷＥＢサイトの属性を記録する手法を実現させるデータベースシステムおよび手法が実現した。
【０１５８】
以下より本発明のインターネット上の各ＷＥＢサイトのデータベースシステムおよび手法において、各ＷＥＢサイトの構成要素を判定する処理を行い、その判定された構成要素を基に、該ＷＥＢサイトの目的や手段の属性をカテゴリー化した属性要素を判定する処理を行うことで、
各ＷＥＢサイトを、そのＷＥＢサイトの発信する情報の種類として、
ＥＣサイト、
ＰＲおよび告知サイト、
アダルトサイト、
インターネット掲示板サイト、
ブログサイト、
インターネットオークションサイト
というカテゴリーでサイト属性を分類し、各ＷＥＢサイトをそれぞれ
構成要素判定、
属性要素判定、
を行った場合の具体例を、図面を参照して説明する。
【０１５９】
なお、当明細書の説明の便宜上、構成要素判定および属性要素判定を行うサイトの種類として、ＥＣサイト、ＰＲおよび告知サイト、アダルトサイト、インターネット掲示板サイト、ブログサイト、インターネットオークションサイトと、事前に明記しているが、本発明のデータベースシステムは、構成要素判定および属性要素判定を行う以前に、各サイトの種類やサイト属性が分かっているわけではなく、あくまで、１つのＷＥＢサイトとして構成要素判定および属性要素判定を行い、その結果、各ＷＥＢサイトの発信する情報の種類や手段からサイトの属性が判定しうるものである。
【０１６０】
図１５はインターネットにアクセス可能な端末上で確認できるＥＣサイトをブラウザソフトにて表示された場合の例を示す図表である。
【０１６１】
図１６は前記ＥＣサイトのソースコードを示す図表である。
【０１６２】
ＥＣサイトとは「ｅコマースサイト」の略称で、ＷＥＢサイトの運営者もしくは管理者が、自社の商品やサービスをインターネット上で販売しているＷＥＢサイトのことを指す。「電子商店」と呼称してもかまわない。
【０１６３】
図１７はインターネットにアクセス可能な端末上で確認できるＰＲおよび告知サイトをブラウザソフトにて表示された場合の例を示す図表である。
【０１６４】
図１８は前記ＰＲおよび告知サイトのソースコードを示す図表である。
【０１６５】
ＰＲおよび告知サイトとは、本発明では、該ＷＥＢサイトの運営者もしくは配信者が運営者もしくは配信者の情報を表示するためのＷＥＢサイトである。特徴としては、該ＷＥＢサイトの運営者もしくは配信者が運営者の活動内容、所在地、活動結果、事前活動報告、活動内容のユーザーサポート内容および窓口、といった内容をＰＲおよび告知することを目的としてＷＥＢサイトのことをさす。
【０１６６】
図１９はインターネットにアクセス可能な端末上で確認できるアダルトサイトをブラウザソフトにて表示された場合の例を示す図表である。
【０１６７】
図２０は前記アダルトサイトのソースコードを示す図表である。
【０１６８】
アダルトサイトとは性的描写のコンテンツが著しいＷＥＢサイトを指す。未成年者が閲覧することによる悪影響が懸念されうるＷＥＢサイトとして、フィルタリングの対象になりうるＷＥＢサイトである。アダルトサイトの目的として、性的描写のコンテンツのサービス提供および該コンテンツの販売、もしくは、性的描写の著しいコンテンツを表示させつつ、同ＷＥＢサイト中に広告データを表示しているＷＥＢサイトを本発明ではさす。
【０１６９】
図２１はインターネットにアクセス可能な端末上で確認できるインターネット掲示板サイトをブラウザソフトにて表示された場合の例を示す図表である。
【０１７０】
図２２は前記インターネット掲示板のソースコードを示す図表である。
【０１７１】
インターネット掲示板サイトとは該ＷＥＢサイトのユーザー間で、オープンで対等な環境の中、各ユーザーが任意の基本的には文字列によるメッセージを入力および該ＷＥＢサイトへ反映させることが出来るＷＥＢサイトである。
【０１７２】
図２３はインターネットにアクセス可能な端末上で確認できるブログサイトをブラウザソフトにて表示された場合の例を示す図表である。
【０１７３】
図２４は前記ブログサイトのソースコードを示す図表である。
【０１７４】
ブログサイトとは、該ブログサイトの運営者もしくは管理者が該ブログサイトを管理する一方で、コンテンツの追加の担当をもっぱら担う点が、前記インターネット掲示板サイトにおけるユーザー間のオープンで対等な環境でない点で相違するＷＥＢサイトである。
【０１７５】
図２５はインターネットにアクセス可能な端末上で確認できるインターネットオークションサイトをブラウザソフトにて表示された場合の例を示す図表である。
【０１７６】
図２６は前記インターネットオークションサイトのソースコードを示す図表である。
インターネットオークションサイトとは、あるユーザーが希望する商品もしくはサービスの販売を行うＷＥＢサイトであるが、該商品もしくはサービスがＷＥＢサイト上で販売を行うために提示された際に、売買成立のタイミングが該商品の購入希望者が発生した時点では成立しない状況が発生しうる点が、前記ＥＣサイトと相違するＷＥＢサイトである。また、売買契約が成立する金額を、商品もしくはサービスの販売者が決定しえない状況が発生しうる点でも、前記ＥＣサイトと相違するＷＥＢサイトである。
【０１７７】
図２７は前記、ＥＣサイト、ＰＲおよび告知サイト、アダルトサイト、インターネット掲示板サイト、ブログサイト、インターネットオークションサイトのＵＲＬＤＢ３２１を参照用として図示したものである。
【０１７８】
ＵＲＬＤＢ  ＩＤのＡ００１はＥＣサイトに該当する。
【０１７９】
ＵＲＬＤＢ  ＩＤのＡ００２はＰＲおよび告知サイトに該当する。
【０１８０】
ＵＲＬＤＢ  ＩＤのＡ００３はアダルトサイトに該当する。
【０１８１】
ＵＲＬＤＢ  ＩＤのＡ００４はインターネット掲示板サイトに該当する。
【０１８２】
ＵＲＬＤＢ  ＩＤのＡ００５はブログサイトに該当する。
【０１８３】
ＵＲＬＤＢ  ＩＤのＡ００６はインターネットオークションサイトに該当する。
【０１８４】
図２８はテーブルデータ格納部３１０にある構成要素データテーブル３１１を、前記ＥＣサイト、ＰＲおよび告知サイト、アダルトサイト、インターネット掲示板、ブログサイト、インターネットオークションサイトの各サイト属性を分類するための実施例として図示したものの前半部である。
【０１８５】
図２９はテーブルデータ格納部３１０にある構成要素データテーブル３１１を、前記ＥＣサイト、ＰＲおよび告知サイト、アダルトサイト、インターネット掲示板、ブログサイト、インターネットオークションサイトの各サイト属性を分類するための実施例として図示したものの後半部である。
【０１８６】
図２８記載の要素タイプ「外部リンクのファイル形式（ｘ０１）」とは、判定されるＷＥＢサイトのソースコードに
該ＷＥＢサイト以外の
ＷＥＢサイト、もしくは、
ＷＥＢページ、あるいはまた、
ＷＥＢ上で送受信可能なデータファイル、
へのハイパーリンク設定を指示するソースが含まれており、その指定されたハイパーリンク先のファイル形式、あるいはまた、
電子ファイルデータの拡張子、
によって該ＷＥＢサイトの属性あるいは性質を判定しうると考えられる本発明の構成要素である。
【０１８７】
例として、以下の個別の特徴をふくむ。
【０１８８】
図２８記載の構成要素判定項目ＩＤ「ｘ＿０１＿００１」に該当する「読込専用ドキュメント拡張子ファイル」とは、
構成要素として文字列または画像と共にハイパーリンク設定を指示しているソース上において、その指定されたハイパーリンク先のファイル形式、あるいはまた、
電子ファイルデータの拡張子が、書き換え不能処理な電子文書データファイルである場合に該当する。具体的な書き換え不能処理な電子データファイルとしては、ＡＤＯＢＥ  ＳＹＳＴＥＭＳ社によって開発された、電子文書のためのフォーマット「ＰＤＦ」ファイル形式などがあげられる。前記書き換え不能処理な電子文書データファイルは、情報配信者にとって、電子上の公的な文書である可能性が高いことあらわすＷＥＢサイトもしくはページであることが特徴である。
【０１８９】
図２８記載の構成要素判定項目ＩＤ「ｘ＿０１＿００２」に該当する「動画・画像圧縮系拡張子ファイル」とは、
構成要素として文字列または画像をもちいたハイパーリンクをあらわすソースがソース上に含まれており、
そのソースがあらわすハイパーリンク先のページのＵＲＬの末尾が本来のデータ容量に比べて少量のデータ量に加工されていることを表すフォーマット形式の拡張子である場合に該当する。具体的には「．ｚｉｐ」「．ｌｚｈ」「．ｒａｒ」があげられる。これらのものは、あるデータをそのデータの実質的な性質を保ったまま少量のデータ容量にて、別のデータフォーマット化されたファイルであることが特徴である。
【０１９０】
図２８記載の構成要素判定項目ＩＤ「ｘ＿０１＿００３」に該当する「実行拡張子ファイル」とは、
構成要素として文字列または画像を用いたハイパーリンクをあらわすソースがソース上に含まれており、
そのソースがあらわすハイパーリンク先のページのＵＲＬの末尾から、該ファイルを実行バイナリーデータファイル、あるいは実行プログラムデータであると判断できる場合に該当する。具体的には「．ｅｘｅ」などがあげられる。
【０１９１】
図２８記載の構成要素判定項目ＩＤ「ｘ＿０１＿００４」に該当する「動画ストリーミングサイト関連」とは、
構成要素としてＷＥＢページの中に、該ＷＥＢページ以外の外部プログラムの処理を利用してＷＥＢページの表示をおこなうソースコードが含まれており、そのコードによりブラウザに表示される項目が、動画データとして再生可能なフォーマットに変換されたデジタルデータであり、該ソースコードにはハイパーリンクを表すソースコードが含まれている場合に該当する。
【０１９２】
前記該ＷＥＢページ以外の外部プログラムとしては、ネットスケープコミュニケーションズ社によって開発された、主にＷｅｂブラウザ上で動作するスクリプト言語「ＪａｖａＳｃｒｉｐｔ」などがあげられる。
【０１９３】
図８記載の要素タイプ「ｈｔｍフォーム・タグ（ｘ０２）」とは、判定されるＷＥＢサイトのソースコードに記述される機能関数としてのフォームやタグデータから、
該ＷＥＢサイトの属性あるいは性質を判定しうると考えられる本発明の構成要素である。
【０１９４】
例として、以下の個別の特徴をふくむ。
【０１９５】
図２８記載の構成要素判定項目ＩＤ「ｘ＿０２＿００１」に該当する「メールフォーム」とは、
構成要素としてＷＥＢページの中に、電子メールアドレスを入力する項目が表示されており、該ＷＥＢサイトのデータベース等へ入力された電子メールアドレスを送信する手法を行う指示をだす命令が、該ＷＥＢサイトのソース上に含まれている場合に該当する。
【０１９６】
図２８記載の構成要素判定項目ＩＤ「ｘ＿０２＿００２」に該当する「書込みボタン」とは、
構成要素としてＷＥＢページの中に、該ＷＥＢサイトのユーザーが任意の情報を入力する項目が表示されており、それらの情報をユーザー自身の意図とタイミングによって、選択およびマウスクリックを行うことで、該ＷＥＢサイトのデータベース等へユーザーが入力した情報を送信する事を可能にする機能関数としてのフォームやタグデータが該ＷＥＢサイトのソース上に含まれている場合に該当する。
【０１９７】
具体的なソース上のプログラミング言語としては、ＰＨＰ言語、ＣＧＩ言語、ＡＳＰ言語等があげられる。
【０１９８】
図２８記載の構成要素判定項目ＩＤ「ｘ＿０２＿００３」に該当する「コメント欄」とは、
構成要素としてＷＥＢページの中に、該ＷＥＢサイトのユーザーが該ＷＥＢサイトへユーザーが入力したデータの反映を目的として、
任意の情報を入力する項目が表示されており、
入力した情報をユーザー自身の意図とタイミングによって、選択およびマウスクリックを行うことで、該ＷＥＢサイトのデータベース等へユーザーが入力した情報を送信し、該ＷＥＢサイトへ反映させる事を可能にする機能関数としてのフォームやタグデータが該ＷＥＢサイトのソース上に含まれている場合に該当する。
【０１９９】
具体的なソース上のプログラミング言語としては、ＰＨＰ言語、ＣＧＩ言語、ＡＳＰ言語等があげられる。
【０２００】
図２８記載の構成要素判定項目ＩＤ「ｘ＿０２＿００４」に該当する「検索ボタン」とは、
構成要素としてＷＥＢページの中に、該ＷＥＢサイトのユーザーが該ＷＥＢサイトへユーザーが入力したデータの検索を目的として、
任意の情報を入力する項目が表示されており、
入力した情報をユーザー自身の意図とタイミングによって、選択およびマウスクリックを行うことで、該ＷＥＢサイトの検索システムへ送信する事を可能にする機能関数としてのフォームやタグデータが該ＷＥＢサイトのソース上に含まれている場合に該当する。
【０２０１】
具体的なソース上のプログラミング言語としては、ＰＨＰ言語、ＣＧＩ言語、ＡＳＰ言語等があげられる。
【０２０２】
図２８記載の構成要素判定項目ＩＤ「ｘ＿０２＿００５」に該当する「メーラー起動」とは、
構成要素としてＷＥＢページの中に、該ＷＥＢサイトのアドミニストレーターもしくは運用者に対して、ユーザーが電子メール送信やデータベース等への情報の送信を行なう目的で、ユーザー自身の意図とタイミングによって、選択およびマウスクリックを行うことで、ＷＥＢページの閲覧を行なっているブラウザ以外の外部プログラムの起動を可能にする機能関数としてのフォームやタグデータが該ＷＥＢサイトのソース上に含まれている場合に該当する。
【０２０３】
具体的なソース上のタグデータとしては、「ｍａｉｌｔｏ」等が挙げられる。
図２８記載の構成要素判定項目ＩＤ「ｘ＿０２＿００６」に該当する「インターフェースのプラグイン系データ使用」とは、
構成要素としてＷＥＢページ中に、外部プログラムを読み込み、該ＷＥＢページの同一コンテンツとして表示を行いえるバイナリーファイルの読み込み指示が該ＷＥＢサイトのソース上に含まれている場合に該当する。
【０２０４】
具体的な前記外部プログラムとしては、Ｍａｃｒｏｍｅｄｉａ社によって開発された、「Ｆｌａｓｈ」などが挙げられる。
【０２０５】
図２８記載の構成要素判定項目ＩＤ「ｘ＿０２＿００７」に該当する「サムネイルをクリックで画像拡大」とは、
構成要素としてＷＥＢページの中に、画像を用いたハイパーリンクをあらわすソースがソース上に含まれており、その指定されたハイパーリンク先が外部の画像ファイルへの遷移を目的としており、遷移先の元画像ファイルが、該ＷＥＢサイトには縮小された縦横のキャンパスサイズ画像として表示されているとアドミニストレーターが想定し任意に設定した値に該当するタグデータが該ＷＥＢサイトのソース上に含まれている場合に該当する。
【０２０６】
図２８記載の構成要素判定項目ＩＤ「ｘ＿０２＿００８」に該当する「バナー広告」とは、
構成要素として画像をもちいたハイパーリンクをあらわすソースがソース上に含まれており、その指定されたハイパーリンク先が外部ページであり、アドミニストレーターが、遷移元の画像ファイルの縦横の任意の長さが広告として使用される頻度の高い任意の長さであるとして指定した値に該当する場合に該当する。
【０２０７】
図２８記載の構成要素判定項目ＩＤ「ｘ＿０２＿００９」に該当する「買い物かご・ショッピングカート」とは、
構成要素としてＷＥＢページの中に、「ショッピングカート」「買い物かご」など、ユーザーの該ＷＥＢページ内での商品の売買を管理するシステムの名称を表す文字列またはそれに準ずる画像がソース上に含まれており、
その文字列および画像からユーザーの該ＷＥＢページ内での商品の売買を管理するシステムへデータの送受信をする事を可能にする機能関数としてのフォームやタグデータが該ＷＥＢサイトのソース上に含まれている場合に該当する。
【０２０８】
具体的なソース上のプログラミング言語としては、ＰＨＰ言語、ＣＧＩ言語、ＡＳＰ言語等があげられる。
【０２０９】
図２８記載の構成要素判定項目ＩＤ「ｘ＿０２＿０１０」に該当する「テキストＢＯＸ」とは、
構成要素としてＷＥＢページの中に、該ＷＥＢサイトのユーザーによる該ＷＥＢサイトやデータベース等への任意の情報の入力を目的として、任意の情報を入力する項目が表示されており、
入力した情報をユーザー自身の意図とタイミングによって、選択およびマウスクリックを行うことで、該ＷＥＢサイトのデータベース等へユーザーが入力した情報を送信し、該ＷＥＢサイトやデータベース等へ反映させる事を可能にする機能関数としてのフォームやタグデータが該ＷＥＢサイトのソース上に含まれている場合に該当する。
【０２１０】
具体的なソース上のプログラミング言語としては、ＰＨＰ言語、ＣＧＩ言語、ＡＳＰ言語等があげられる。
【０２１１】
図２８記載の構成要素判定項目ＩＤ「ｘ＿０２＿０１１」に該当する「トラックバック機能」とは、
構成要素として、他のＷＥＢページから該ＷＥＢページへの遷移を目的としたリンクの作成を希望するアクセスを行うことにより、自動的に該ＷＥＢページからアクセス元の指定するＷＥＢページへリンクを作成する事を可能にする機能関数としてのフォームやタグデータが該ＷＥＢサイトのソース上に含まれている場合に該当する。
図２８記載の構成要素判定項目ＩＤ「ｘ＿０２＿０１２」に該当する「アフィリエイト特有タグ」とは、
構成要素として文字列または画像をもちいたハイパーリンクをあらわすソースがソース上に含まれており、
該ソース上にて表記されたハイパーリンク先ＷＥＢページのＵＲＬに、アドミニストレーターが任意の広告仲介サービス業者独自の広告として認識が可能な文字列が含まれていると指定した値に該当する場合に該当する。
【０２１２】
図２８記載の構成要素判定項目ＩＤ「ｘ＿０２＿０１３」に該当する「ブログパーツ特有タグ」とは、
構成要素としてＷＥＢページの中に、該ＷＥＢページ以外の外部プログラムの処理を利用して同一ＷＥＢページのコンテンツとして表示をおこなうための読み込み指示がソースコードに含まれており、
該ソースコード上で、アドミニストレーターが、
ＷＥＢブラウザに表示される項目の任意の縦横のキャンパスサイズの長さがブログパーツとして使用される頻度の高い範囲として指定した値で構成されている場合に該当する。
【０２１３】
前記該ＷＥＢページ以外の外部プログラムとしては、ネットスケープコミュニケーションズ社によって開発された、主にＷｅｂブラウザ上で動作するスクリプト言語「ＪａｖａＳｃｒｉｐｔ」などがあげられる。
【０２１４】
図２８記載の構成要素判定項目ＩＤ「ｘ＿０２＿０１４」に該当する「メタタグで日本語推奨」とは、構成要素としてソースコード上のＷＥＢページの性質の定義をおこなう部分に、該ＷＥＢページが日本語での表示を推奨することが定義されている内容が表記されている場合に該当する。
【０２１５】
図２８記載の構成要素判定項目ＩＤ「ｘ＿０２＿０１５」に該当する「ＣＳＳ使用」とは、
構成要素としてソースコード上のＷＥＢページの性質の定義をおこなう部分において、ＷＥＢブラウザ上での表示方法や動作に関する部分を別ファイルにておこなっていることを定義している規格が表記されている場合に該当する。
【０２１６】
前記画面の表示方法や動作に関する部分を別ファイルにておこなっていることを定義している規格としては、「ＣＳＳ」などが挙げられる。
【０２１７】
図２８記載の構成要素判定項目ＩＤ「ｘ＿０２＿０１６」に該当する「メタタグのキーワード数」とは、構成要素としてソースコード上のＷＥＢページの性質の定義をおこなう部分に、該ＷＥＢページに含まれる内容として定義されている項目数が、アドミニストレーターが任意に設定した項目数を超えて定義されている場合に該当する。
【０２１８】
図２８記載の要素タイプ「ノウハウ」とは、判定されるＷＥＢサイトの目的を、アドミニストレーターによる経験則的に既に明白である項目として設定された内容によって該ＷＥＢサイトの性質を判定するものである。
【０２１９】
例として、以下の個別の特徴をふくむ。
【０２２０】
図２８記載の構成要素判定項目ＩＤ「ｘ＿０３＿００１」に該当する「指定サイトへのリンク」とは
構成要素として文字列または画像をもちいたハイパーリンクをあらわすソースがソース上に含まれており、
そのソースがあらわすハイパーリンク先が、
ユーザーの該ページの閲覧を抑制する目的で任意外部ページ（主に大手ポータルサイトなど）である場合に該当する。
【０２２１】
図２８記載の構成要素判定項目ＩＤ「ｘ＿０３＿００２」に該当する「背景色」とは、
構成要素としてＷＥＢページの背景を指定するソースコードまたはスタイルシート上のソースコードにおいて、
アドミニストレーターが任意の色指定データとして設定した、該ＷＥＢページの背景部分を表示するよう指定している場合に該当する。
【０２２２】
前記画面の表示方法や動作に関するスタイルシートとしては「ＣＳＳ」等が挙げられる。
【０２２３】
図２８記載の構成要素判定項目ＩＤ「ｘ＿０３＿００３」に該当する「リンク先が主要サービス内ページである」とは、
構成要素として文字列または画像をもちいたハイパーリンクをあらわすソースがソース上に含まれており、
該ソースがあらわすハイパーリンク先のページのＵＲＬが、アドミニストレーターが任意に設定した他のサービス業者が提供するＵＲＬである場合に該当する。
【０２２４】
図２８記載の構成要素判定項目ＩＤ「ｘ＿０３＿００４」に該当する「リンク先が主要求人サービス内ページである」とは、
構成要素としてハイパーリンクをあらわすソースがソース上に含まれており、
該ソースがあらわすハイパーリンク先のページのＵＲＬが、アドミニストレーターが任意に設定した就労に関する求人を目的として提供されている他のサービス業者が提供するＵＲＬである場合に該当する。
【０２２５】
図２８記載の構成要素判定項目ＩＤ「ｘ＿０３＿００５」に該当する「地図」とは、
構成要素としてハイパーリンクをあらわすソースがソース上に含まれており、
該ソースがあらわすハイパーリンク先のＵＲＬが、アドミニストレーターが任意に設定した外部のＷＥＢページサービスを利用して特定の場所を指し示す地図を表示するＵＲＬであるか、または、該ＷＥＢページサービスを表示させるページへの画面遷移を促すリンクを表すソースコードが含まれている場合に該当する。
【０２２６】
図２８記載の構成要素判定項目ＩＤ「ｘ＿０３＿００６」に該当する「プライバシーマーク」とは、
構成要素として文字列または画像をもちいたハイパーリンクをあらわすソースがソース上に含まれており、
該ソースがあらわすハイパーリンク先ＵＲＬが、アドミニストレーターが任意に設定した企業の個人情報保護に関して一定の要件を満たしている事業者であるか審査、調査をおこなう団体であることが認識可能なＵＲＬである場合に該当する。
【０２２７】
具体的団体としては、個人情報保護に関して一定の要件を満たした事業者に対し、登録商標プライバシーマークの使用を認める財団法人日本情報処理開発協会 (ＪＩＰＤＥＣ) が挙げられる。
【０２２８】
図２８記載の構成要素判定項目ＩＤ「ｘ＿０３＿００７」に該当する「ページ位置の階層構造による記述」とは、
構成要素として文字列または画像をもちいたハイパーリンクをあらわすソースがソース上に含まれており、
該ソースが、ＷＥＢサイトの中の該ページの位置を、階層構造の上位ページへのリンクのリストで簡潔に記述したものが含まれる場合に該当する。
【０２２９】
図２８記載の構成要素判定項目ＩＤ「ｘ＿０３＿００８」に該当する「一定以上の大きさの画像」とは、
構成要素として、該ＷＥＢサイトのソース上にアドミニストレーターが任意に設定したキャンパスサイズ任意のサイズ以上の画像データを表示させる指示を行っている場合に該当する。
【０２３０】
図２８記載の要素タイプ「ネットワーク関連機能」とは、判定されるＷＥＢサイトのソースコードに含まれる外部リンクの性質によって該ＷＥＢサイトの性質を判定するものである。
【０２３１】
例として、以下の個別の特徴をふくむ。
【０２３２】
図２８記載の構成要素判定項目ＩＤ「ｘ＿０４＿００１」に該当する「リンク先がアフィリエイト」とは、
構成要素として文字列または画像をもちいたハイパーリンクをあらわすソースがソース上に含まれており、該ソースがあらわすリンク中に、アドミニストレーターが任意に設定した広告媒体に成功報酬を与える形態を成立させる識別子を含むＷＥＢページである場合に該当する。
【０２３３】
図２８記載の構成要素判定項目ＩＤ「ｘ＿０４＿００２」に該当する「リンク先がＰＨＰ」とは、
構成要素として文字列または画像をもちいたハイパーリンクをあらわすソースがソース上に含まれており、該ソースがあらわすハイパーリンク先外部ページが、サーバー側で動的にＨＴＭＬデータを生成することによって、動的なウェブページを実現することを主な目的としたＷＥＢページである場合に該当する。
【０２３４】
前記ハイパーリンク先外部ページは具体的には、ＵＲＬの末尾が「．ｐｈｐ」である場合が挙げられる。
【０２３５】
図２８記載の構成要素判定項目ＩＤ「ｘ＿０４＿００３」に該当する「リンク先がＳＳＬ」とは、
構成要素として文字列または画像をもちいたハイパーリンクをあらわすソースがソース上に含まれており、該ソースがあらわすハイパーリンク先外部ページが、サーバー側とクライアント側が通信を行うさいの外部からのアクセスをできる限り遮断し、匿名性の高いページであることを示すＵＲＬである場合に該当する。
【０２３６】
前記ハイパーリンク先外部ページは具体的には、ＵＲＬが、「ｈｔｔｐｓ〜」で始まる場合が挙げられる。
【０２３７】
図２８記載の構成要素判定項目ＩＤ「ｘ＿０４＿００４」に該当する「リンク先がＣＧＩ」とは、
構成要素として文字列または画像をもちいたハイパーリンクをあらわすソースがソース上に含まれており、該ソースがあらわすハイパーリンク先外部ページが、サーバー側でのプログラムの処理結果に基づいて動的に生成・送出されるＷＥＢページである場合に該当する。
【０２３８】
前記ハイパーリンク先外部ページは具体的には、ＵＲＬの末尾が「．ｃｇｉ」である場合が挙げられる。
【０２３９】
図２８記載の構成要素判定項目ＩＤ「ｘ＿０４＿００５」に該当する「リンク先が海外サイト」とは、
構成要素として文字列または画像をもちいたハイパーリンクをあらわすソースがソース上に含まれており、該ソースがあらわすハイパーリンク先外部ページが、ＵＲＬドメインから任意の外国のＷＥＢサイトのものであると判定される場合に該当する。
【０２４０】
前記ハイパーリンク先外部ページは具体的には、ＵＲＬの末尾が「．ｃｎ」である場合が挙げられる。
【０２４１】
図２９記載の要素タイプ「ファイルサイズ」とは、判定されるＷＥＢページ全体のソースコードのデータ容量やデータ容量の変遷によって該ＷＥＢサイトの性質を判定するものである。
【０２４２】
例として、以下の個別の特徴をふくむ。
【０２４３】
図２９記載の構成要素判定項目ＩＤ「ｘ＿０５＿００１」に該当する「容量が前回よりも大きい」とは、
構成要素として該ＷＥＢページ全体のソースコードのデータ容量が前回同ＷＥＢページを巡回した際のＷＥＢページ全体のソースコードのデータ容量よりも大きくなっている場合に該当する。
【０２４４】
図２９記載の構成要素判定項目ＩＤ「ｘ＿０５＿００２」に該当する「容量が前回よりも小さい」とは、構成要素として該ＷＥＢページ全体のソースコードのデータ容量が前回同ＷＥＢページを巡回した際のＷＥＢページ全体のソースコードのデータ容量よりも小さくなっている場合に該当する。
【０２４５】
図２９記載の構成要素判定項目ＩＤ「ｘ＿０５＿００３」に該当する「容量が規定値よりも大きい」とは、
構成要素として該ＷＥＢページ全体のソースコードのデータ容量が別途規定した任意の容量よりも大きくなっている場合に該当する。
【０２４６】
図２９記載の構成要素判定項目ＩＤ「ｘ＿０５＿００４」に該当する「容量が規定値よりも小さい」とは、
構成要素として該ＷＥＢページ全体のソースコードのデータ容量が別途規定した任意のデータ容量よりも小さくなっている場合に該当する。
【０２４７】
図２９記載の構成要素判定項目ＩＤ「ｘ＿０５＿００５」に該当する「容量が増える一方」とは、
構成要素として該ＷＥＢページ全体のソースコードのデータ容量が同ＷＥＢページを巡回する度に、前回同ＷＥＢページを巡回した際のＷＥＢページ全体のソースコードのデータ容量よりも大きくなっている場合に該当する。
【０２４８】
図２９記載の要素タイプ「ＵＲＬ系」とは、判定されるＷＥＢページのＵＲＬから該ＷＥＢサイトの性質を判定するものである。
【０２４９】
例として、以下の個別の特徴をふくむ。
【０２５０】
図２９記載の構成要素判定項目ＩＤ「ｘ＿０６＿００１」に該当する「日本のドメイン」とは、構成要素として、ＵＲＬの示すドメインから、日本に関連した情報配信を行っているＷＥＢサイトであることが判定される場合に該当する。前記日本のＷＥＢサイトであることが判定されるドメインは、具体的には「．ｊｐ」等が挙げられる。
【０２５１】
図２９記載の構成要素判定項目ＩＤ「ｘ＿０６＿００２」に該当する「日本の公的ドメイン」とは、
構成要素として、ＵＲＬの示すドメインから、日本の公的ＷＥＢサイトであることが属性ドメインから判定される場合に該当する。
【０２５２】
前記日本の公的ＷＥＢサイトであると判定されるドメインは、具体的には「ｃｏ．ｊｐ」、「ｎｅ．ｊｐ」、「ｏｒ．ｊｐ」、「ｇｒ．ｊｐ」等が挙げられる。
【０２５３】
図２９記載の構成要素判定項目ＩＤ「ｘ＿０６＿００３」に該当する「ドメインが．ｃｏｍである」とは、
構成要素として、ＵＲＬの示すドメインがアドミニストレーターが任意に設定したドメインである場合に該当する。本発明の本サンプルでは「．ｃｏｍ」を指定している。
【０２５４】
図２９記載の構成要素判定項目ＩＤ「ｘ＿０６＿００４」に該当する「汎用性の低いドメインである」とは、
構成要素として、アドミニストレーターが任意に設定したＵＲＬ末尾の示すドメインが汎用性の低いもの、あるいは、汎用性の高いものとして設定された以外、である場合に該当する。
【０２５５】
図２９記載の構成要素判定項目ＩＤ「ｘ＿０６＿００５」に該当する「ＵＲＬに日付がある」とは、
構成要素として、該ＷＥＢサイトのＵＲＬが「ＮＮＮＮ−ＮＮ−ＮＮ」「／ＮＮＮＮ／ＮＮ／ＮＮ」（Ｎは年月日を表す数字および漢数字などの文字列。）など、アドミニストレーターが任意に設定した日付をあらわすと想定される文字列および表示構成を行っていると判断される場合に該当する。
【０２５６】
図２９記載の構成要素判定項目ＩＤ「ｘ＿０６＿００６」に該当する「該ページが主要ブログサービス内ページである」とは、
構成要素として、該ＷＥＢサイトが属する上位ディレクトリＵＲＬデータもしくはドメイン名からアドミニストレーターが任意に設定した主要ブログサービス内ページであることが判定できる場合に該当する。
【０２５７】
前記任意のブログサービス内ページであることが判定できるＵＲＬとは、具体的にはドメインが株式会社サイバーエージェントの提供するサービスの「ａｍｅｂｌｏ．ｊｐ」である場合等が挙げられる。
【０２５８】
図２９記載の構成要素判定項目ＩＤ「ｘ＿０６＿００７」に該当する「該ページが主要ＥＣサービス内ページである」とは、
構成要素として、該ＷＥＢサイトが属する上位ディレクトリＵＲＬデータもしくはドメイン名からアドミニストレーターが任意に設定した主要インターネットＥＣサービス内ページであることが判定できる場合に該当する。
【０２５９】
前記任意のブログサービス内ページであることが判定できるＵＲＬとは、具体的にはドメインが楽天株式会社の提供するサービスの「ｒａｋｕｔｅｎ．ｊｐ」である場合等が挙げられる。
【０２６０】
図２９記載の構成要素判定項目ＩＤ「ｘ＿０６＿００８」に該当する「該ページがＰＨＰ」とは、
構成要素として、該ＷＥＢページが、ＵＲＬから、サーバー側で動的にＨＴＭＬデータを生成することによって、動的なウェブページを実現することを主な目的としたＷＥＢページであると判定される場合に該当する。
【０２６１】
前記判定されるＵＲＬとは具体的には、該ＷＥＢページのＵＲＬの末尾が「．ｐｈｐ」である場合等が挙げられる。
【０２６２】
図２９記載の構成要素判定項目ＩＤ「ｘ＿０６＿００９」に該当する「該ページがＳＳＬ」とは、
構成要素として、該ＷＥＢページが、サーバー側とクライアント側が通信を行う際の外部からのアクセスをできる限り遮断する、匿名性の高いページであると判定されるＵＲＬである場合に該当する。
【０２６３】
前記判定されるＵＲＬとは具体的には、該ＷＥＢページのＵＲＬが「ｈｔｔｐｓ〜」で始まる場合等が挙げられる。
【０２６４】
図２９記載の構成要素判定項目ＩＤ「ｘ＿０６＿０１０」に該当する「該ページがＣＧＩ」とは、
構成要素として、該ＷＥＢページが、ＵＲＬから、サーバー側でのプログラムの処理結果に基づいて動的に生成・送出されるＷＥＢページであると判定される場合に該当する。
【０２６５】
前記判定されるＵＲＬとは具体的には、該ＷＥＢページのＵＲＬの末尾が「．ｃｇｉ」である場合等が挙げられる。
【０２６６】
図２９記載の要素タイプ「ＵＲＬ下層のファイル数」とは、判定されるＵＲＬが指し示すページと同様のＵＲＬを含む該ＷＥＢページの下層に設置されているとみなす事が可能なＷＥＢページのＵＲＬＤＢ上での数で該ＷＥＢページの性質を判定するものである。
【０２６７】
例として、以下の個別の特徴をふくむ。なお、本項目を実現させるために、該ＷＥＢページの下層ディレクトリに設置されているＷＥＢページのデータ数を判定し、記憶する手法および手段を備えることが好ましい。
【０２６８】
図２９記載の構成要素判定項目ＩＤ「ｘ＿０７＿００１」に該当する「ＵＲＬ下層のファイル数が常に同じ数である」とは、
構成要素として該ＷＥＢページのＵＲＬが指し示すページと同様のＵＲＬを含む該ＷＥＢページの下層に設置されているとみなす事が可能なＷＥＢページのＵＲＬＤＢ上での数が、常に一定である場合に該当する。なお、本項目を実現させるために、該ＷＥＢページの下層ディレクトリに設置されているＷＥＢページのデータ数を判定し、記憶する手法および手段を備えることが好ましい。
【０２６９】
図２９記載の構成要素判定項目ＩＤ「ｘ＿０７＿００２」に該当する「ＵＲＬ下層のファイル数が定期的に増えてゆく」とは、
構成要素として該ＷＥＢページのＵＲＬが指し示すページと同様のＵＲＬを含む該ＷＥＢページの下層に設置されているとみなす事が可能なＷＥＢページのＵＲＬＤＢ上での数が、定期的に増えている場合に該当する。なお、本項目を実現させるために、該ＷＥＢページの下層ディレクトリに設置されているＷＥＢページのデータ数を判定し、記憶する手法および手段を備えることが好ましい。
【０２７０】
要素タイプ「テキスト」系とは、判定されるＷＥＢサイトのソースコードに含まれ、表示される文字列の性質によって該ＷＥＢサイトの性質を判定するものである。
【０２７１】
例として、以下の個別の特徴をふくむ。
【０２７２】
図２９記載の構成要素判定項目ＩＤ「ｘ＿０８＿００１」に該当する「金額を表す文字列」とは、
構成要素として、「￥１００」「￥５９８０」など、「￥Ｎ」（Ｎは金額を表す数字および漢数字などの文字列。）、または「Ｎ円」など、数値を表す文字列に隣接して金銭単位を表す文字列がソース上にあり、ＷＥＢページ上に表示されている場合に該当する。
【０２７３】
図２９記載の構成要素判定項目ＩＤ「ｘ＿０８＿００２」に該当する「謝意を表す文字列」とは、
構成要素として、「ありがとうございました」「Ｔｈａｎｋ  ｙｏｕ」など、ユーザーの購入に対する謝意を意味する文字列がソース上にあり、ＷＥＢページ上に表示されている場合に該当する。
【０２７４】
図２９記載の構成要素判定項目ＩＤ「ｘ＿０８＿００３」に該当する「個人情報取扱いについて記す文字列」とは、
構成要素として、「個人情報取扱いについて」など、企業等が取得し、利用する個人情報等を対象として、その利用に関わる基本的な指針を示す文字列、またはその内容を含むページへのリンクとしての文字列がソース上にあり、ＷＥＢページ上に表示されている場合に該当する。
【０２７５】
図２９記載の構成要素判定項目ＩＤ「ｘ＿０８＿００４」に該当する「年齢認証文字列」とは、
構成要素として、「18歳以上」「18歳未満」など、「Ｎ歳以上」「Ｎ歳以下」、または「ｏｖｅｒＮ」「ｕｎｄｅｒＮ」（Ｎは年齢を表す数字および漢数字などの文字列。）など、数値を表す文字列に隣接して年齢を表す文字列がソース上にあり、ＷＥＢページ上に表示されている場合に該当する。
【０２７６】
図２９記載の構成要素判定項目ＩＤ「ｘ＿０８＿００５」に該当する「創業年月を表す文字列」とは、
構成要素として、「創業Ｎ年」「ＳｉｎｃｅＮ」など、「Ｎ（Ｎは年数を表す数字および漢数字などの文字列。）創業年月を表す文字列がソース上にあり、ＷＥＢページ上に表示されている場合に該当する。
【０２７７】
図２９記載の構成要素判定項目ＩＤ「ｘ＿０８＿００６」に該当する「月日を表す文字列」とは、
構成要素として、「１０月１５日」など、「Ｎ月Ｎ日」（Ｎは日時を表す数字および漢数字などの文字列。）、または「Ｎ／Ｎ」など、数値を表す文字列に隣接して月日を表す文字列がソース上にあり、ＷＥＢページ上に表示されている場合に該当する。
【０２７８】
図２９記載の構成要素判定項目ＩＤ「ｘ＿０８＿００７」に該当する「プライバシーポリシーを示す文字列」とは、
構成要素として、「プライバシーポリシー」など、個人情報の取り扱いの際の基準・方針を示す文字列、またはその内容を含むページへのリンクとしての文字列がソース上にあり、ＷＥＢページ上に表示されている場合に該当する。
構成要素判定項目ＩＤ「Ｘ＿０８＿００８」に該当する「テキスト率」とは、構成要素として該ＷＥＢページとしてブラウザ上で表示されるコンテンツ量全体の容量における、表示文字列の容量の割合がアドミニストレーターが任意に設定した値を超えた場合に該当する。
【０２７９】
図２９記載の構成要素判定項目ＩＤ「ｘ＿０８＿００９」に該当する「スレッドを表す文字列」とは、
構成要素として、「スレッド」「スレ」「ｔｈｒｅａｄ」など、特定の話題に属する複数の記事をまとめたものを表す文字列がソース上にあり、ＷＥＢページ上に表示されている場合に該当する。
【０２８０】
図２９記載の構成要素判定項目ＩＤ「ｘ＿０８＿０１０」に該当する「日付と時間を表す文字列」とは、
構成要素として、「０８／１２／０２  ３：１０」など、「Ｎ／Ｎ／  Ｎ：Ｎ」（Ｎは年月日時を表す数字および漢数字などの文字列。）、または「Ｎ年Ｎ月Ｎ日  Ｎ時Ｎ分」、など、数値を表す文字列と、年月日・日時を表すが隣接して文字列がソース上にあり、ＷＥＢページ上に表示されている場合に該当する。
【０２８１】
図２９記載の構成要素判定項目ＩＤ「ｘ＿０８＿０１１」に該当する「掲示板を表す文字列」とは、
構成要素として、「ＢＢＳ」「掲示板」など、ＷＥＢ上の掲示板を表す文字列がソース上にあり、ＷＥＢページ上に表示されている場合に該当する。
【０２８２】
図２９記載の構成要素判定項目ＩＤ「ｘ＿０８＿０１２」に該当する「記事の全体表示を表す文字列」とは、
構成要素として、「続きを読む」など、中途まで表示された記事の全体を表示することをユーザーが選択することを促す文字列がソース上にあり、ＷＥＢページ上に表示されている場合に該当する。
【０２８３】
図２９記載の構成要素判定項目ＩＤ「ｘ＿０８＿０１３」に該当する「コメントを表す文字列」とは、
構成要素として、「Ｃｏｍｍｅｎｔ」「コメント」など、該ＷＥＢサイトのコンテンツに対するユーザーのコメントの表示を意味する文字列がソース上にあり、ＷＥＢページ上に表示されている場合に該当する。
【０２８４】
図２９記載の構成要素判定項目ＩＤ「ｘ＿０８＿０１４」に該当する「ブログであることを表す文字列」とは、
構成要素として、「公式ブログ」「〜のブログ」「〜‘ｓ  ＯＦＦＩＣＩＡＬ  ＢＬＯＧ」など、発信者が該ＷＥＢサイトをブログであると宣言していることを意味する文字列がソース上のｈ１タグなどの見出しをあらわす部分にある場合に該当する。
【０２８５】
図２９記載の構成要素判定項目ＩＤ「ｘ＿０８＿０１５」に該当する「トラックバックを表す文字列」とは、
構成要素として、「トラックバック」「ｔｒａｃｋｂａｃｋ」など、他ＷＥＢサイトから該ＷＥＢサイトへのリンクを作成する機能をあらわす文字列がソース上にあり、ＷＥＢページ上に表示されている場合に該当する。
【０２８６】
図２９記載の構成要素判定項目ＩＤ「ｘ＿０８＿０１６」に該当する「残り時間を表す文字列」とは、
構成要素として、「残り時間」など、該ＷＥＢサイトの提供するサービス上で使用する、ユーザーの任意の行動を制限する残り時間をあらわす文字列がソース上にあり、ＷＥＢページ上に表示されている場合に該当する。
【０２８７】
図２９記載の構成要素判定項目ＩＤ「ｘ＿０８＿０１７」に該当する「入札を表す文字列」とは、
構成要素として、「入札」など、該ＷＥＢサイトの提供するサービス上で使用する、売買などの契約者を決める競争契約の方法をあらわす文字列がソース上にあり、ＷＥＢページ上に表示されている場合に該当する。
【０２８８】
図２９記載の構成要素判定項目ＩＤ「ｘ＿０８＿０１８」に該当する「出品者を表す文字列」とは、
構成要素として、「出品者」など、該ＷＥＢサイトの提供するサービス上で使用する、売買等における商品等の提供者をあらわす文字列がソース上にあり、ＷＥＢページ上に表示されている場合に該当する。
【０２８９】
図３０は前記各、ＥＣサイト、ＰＲおよび告知サイト、アダルトサイト、インターネット掲示板サイト、ブログサイト、インターネットオークションサイトの構成要素判定を行った後の要素ＤＢ３２２を参照用として図示した前半部である。
【０２９０】
図３１は前記各、ＥＣサイト、ＰＲおよび告知サイト、アダルトサイト、インターネット掲示板サイト、ブログサイト、インターネットオークションサイトの構成要素判定を行った後の要素ＤＢ３２２を参照用として図示した後半部である。
【０２９１】
図３２は本発明によるテーブルデータ格納部３１０にある属性要素データテーブル３１２を、前記ＥＣサイト、ＰＲおよび告知サイト、インターネット掲示板の各サイト属性を分類するための実施例として図示したものである。
【０２９２】
図３３は本発明によるテーブルデータ格納部３１０にある属性要素データテーブル３１２を、前記ブログサイト、アダルトサイト、インターネットオークションサイトの各サイト属性を分類するための実施例として図示したものである。
【０２９３】
図３４はインターネット上のＥＣサイトにおいて、本発明の属性要素判定処理が終了した後の属性ＤＢ３２３の内容例を示す図表である。
【０２９４】
ＥＣサイトは、本発明のサイト属性の分類の特徴として以下の特徴を含む。
【０２９５】
図３２記載の「ｙ＿０１＿００１」のように、「￥１００」「￥５９８０」など、「￥Ｎ」（Ｎは金額を表す数字および漢数字などの文字列。）、または「Ｎ円」など、数値を表す文字列に隣接して金銭単位を表す文字列がソース上にあり、ＷＥＢページ上に表示されている場合、ＥＣサイトの属性値として該カテゴリーに該当する判断のためのポイントを付加することが特徴である。
【０２９６】
この項目は通常、１つのサイトの中で、複数構成要素の該当数が該当する事があることが特徴である。その場合、該当数にともない、付加される属性値は変化する。
【０２９７】
図３２記載の「ｙ＿０１＿００２」のように、「ありがとうございました」「Ｔｈａｎｋ  ｙｏｕ」など、ユーザーの購入に対する謝意を意味する文字列がソース上にあり、ＷＥＢページ上に表示されている表示されている場合、ＥＣサイトの属性値として該カテゴリーに該当する判断のためのポイントを付加することが特徴である。
【０２９８】
図３２記載の「ｙ＿０１＿００３」のように、「個人情報取扱いについて」など、企業等が取得し、利用する個人情報等を対象として、その利用に関わる基本的な指針を示す文字列、またはその内容を含むページへのハイパーリンクとしての文字列がソース上にあり、ＷＥＢページ上に表示されている場合、ＥＣサイトの属性値として該カテゴリーに該当する判断のためのポイントを付加することが特徴である。
【０２９９】
図３２記載の「Ｙ＿０１＿００４」のように、「１０月１５日」など、「Ｎ月Ｎ日」（Ｎは日時を表す数字および漢数字などの文字列。）、または「Ｎ／Ｎ」など、数値を表す文字列に隣接して月日を表す文字列がソース上にあり、ＷＥＢページ上に表示されている場合、ＥＣサイトの属性値として該カテゴリーに該当する判断のためのポイントを付加することが特徴である。
【０３００】
この項目は通常、１つのサイトの中で、複数構成要素の該当数が該当する事があることが特徴である。その場合、該当数にともない、付加される属性値は変化する。
【０３０１】
図３２記載の「ｙ＿０１＿００５」のようにＷＥＢページの中に、「ショッピングカート」「買い物かご」など、ユーザーの該ＷＥＢページ内での商品の売買を管理するシステムの名称を表す文字列またはそれに準ずる画像が表示されており、その文字列および画像からユーザーの該ＷＥＢページ内での商品の売買を管理するシステムへデータの送受信する事を可能にするべく、ソース上にＰＨＰやＣＧＩ等の情報を操作するプログラム言語が含まれている場合、ＥＣサイトの属性値として該カテゴリーに該当する判断のためのポイントを付加することが特徴である。
【０３０２】
図３２記載の「ｙ＿０１＿００６」のように、該ＷＥＢページのＵＲＬの末尾が「．ｐｈｐ」であるなど、サーバー側で動的にＨＴＭＬデータを生成することによって、動的なウェブページを実現することを主な目的としたコンピューター言語で記述されている場合、ＥＣサイトの属性値として該カテゴリーに該当する判断のためのポイントを付加することが特徴である。
【０３０３】
図３２記載の「ｙ＿０１＿００７」のように、該ＷＥＢページのＵＲＬが「ｈｔｔｐｓ〜」で始まるなど、サーバー側とクライアント側が通信を行うさいの外部からのアクセスをできる限り遮断し、匿名性の高いページであることを示すＵＲＬ内でページ遷移が行われる場合、ＥＣサイトの属性値として該カテゴリーに該当する判断のためのポイントを付加することが特徴である。
【０３０４】
図３２記載の「ｙ＿０１＿００８」のように、該ＷＥＢページのＵＲＬの末尾が、「．ｃｇｉ」であるなどサーバー側でのプログラムの処理結果に基づいて動的に生成・送出されるＷＥＢページである場合、ＥＣサイトの属性値として該カテゴリーに該当する判断のためのポイントを付加することが特徴である。
【０３０５】
図３２記載の「ｙ＿０１＿００９」のように、該ＷＥＢサイトＵＲＬから知名度が高くアドミニストレーターがブログサイトとして指定した任意のサービス業者が提供する同サービス内ページである場合、ＥＣサイトの属性値として該カテゴリーに該当する判断のためのポイントを付加することが特徴である。
【０３０６】
図３２記載の「ｙ＿０１＿０１０」のように、ＷＥＢページの中に画像として表示されている項目から、外部ページへの遷移を目的としたハイパーリンクを表すソースコードが含まれており、遷移元の画像ファイルの縦横のキャンパスサイズの長さが広告画像データとして使用される頻度の高い長さで構成されている場合、ＥＣサイトおよび
ＰＲおよび告知サイト、および掲示板サイト、およびブログサイト、およびアダルトサイト、およびオークションサイトの属性値として該カテゴリーに該当する判断のためのポイントを付加することが特徴である。
【０３０７】
この項目は通常、１つのサイトの中で、複数構成要素の該当数が該当する事があることが特徴である。その場合、該当数にともない、付加される属性値は変化する。
【０３０８】
図３２記載の「ｙ＿０１＿０１１」のようにＷＥＢページの中に、ユーザーがメールアドレスを含む個人情報、またはそれ以外の任意の情報を入力する項目が表示されており、それらの情報をユーザー自身の意図により他者のメールアドレスやデータベース等へ送信する事を可能にするべく、ソース上にＰＨＰやＣＧＩ等の情報を操作するプログラム言語が含まれている場合、
ＥＣサイト、および
ＰＲおよび告知サイト、および
ブログサイト
の属性値として該カテゴリーに該当する判断のためのポイントを付加することが特徴である。
【０３０９】
図３５はインターネット上のＰＲおよび告知サイトにおいて、本発明の属性要素判定処理が終了した後の属性ＤＢ３２３の内容例を示す図表である。
【０３１０】
図３２記載の「ｙ＿０２＿００１」のように、「創業Ｎ年」「ＳｉｎｃｅＮ」など、「Ｎ（Ｎは年数を表す数字および漢数字などの文字列。）創業年月を表す文字列がソース上にあり、ＷＥＢページ上に表示されている場合、ＰＲおよび告知サイトの属性値として該カテゴリーに該当する判断のためのポイントを付加することが特徴である。
【０３１１】
図３２記載の「ｙ＿０２＿００２」のように、「プライバシーポリシー」など、個人情報の取り扱いの際の基準・方針を示す文字列、またはその内容を含むページへのハイパーリンクとしての文字列がソース上にあり、ＷＥＢページ上に表示されている場合、ＰＲおよび告知サイトの属性値として該カテゴリーに該当する判断のためのポイントを付加することが特徴である。
【０３１２】
図３２記載の「ｙ＿０２＿００３」のようにＷＥＢページの中に、外部ページへの遷移を目的としたハイパーリンクを表すソースコードが含まれており、遷移先ＷＥＢページのＵＲＬが就労に関する知名度の高い任意のサービス業者が提供する同サービス内ページで、求人を目的として提供されている任意のサービス業者が提供するものであることが認識可能なＵＲＬである場合、ＰＲおよび告知サイトの属性値として該カテゴリーに該当する判断のためのポイントを付加することが特徴である。
【０３１３】
図３２記載の「ｙ＿０２＿００５」のようにＷＥＢページの中に、外部ページへの遷移を目的としたハイパーリンクを表すソースコードが含まれており、遷移先ＷＥＢページのＵＲＬが企業の個人情報保護に関して一定の要件を満たしている事業者であるか審査、調査をおこなう団体であることが認識可能なＵＲＬである場合、ＰＲおよび告知サイトの属性値として該カテゴリーに該当する判断のためのポイントを付加することが特徴である。
【０３１４】
図３２記載の「ｙ＿０２＿００６」のようにＷＥＢページの中に、画像データとして特定の場所を指し示す地図が含まれている、または外部のＷＥＢページサービスを利用して特定の場所を指し示す地図データを表示またはそのデータを表示させるページへの画面遷移を促すハイパーリンクを表すソースコードが含まれている場合、ＰＲおよび告知サイトの属性値として該カテゴリーに該当する判断のためのポイントを付加することが特徴である。
【０３１５】
図３２記載の「ｙ＿０２＿００７」のように文字列または画像をもちいたハイパーリンクをあらわすソースがソース上に含まれており、そのソースがあらわすハイパーリンク先のページが、ＵＲＬの末尾が「．ｐｄｆ」である、書き換え不能処理が施してあるなど、電子上の公的な文書である可能性が高いことあらわすＷＥＢページである場合、ＰＲおよび告知サイトの属性値として該カテゴリーに該当する判断のためのポイントを付加することが特徴である。
【０３１６】
この項目は通常、１つのサイトの中で、複数構成要素の該当数が該当する事があることが特徴である。その場合、該当数にともない、付加される属性値は変化する。
【０３１７】
図３７はインターネット上のインターネット掲示板サイトにおいて、本発明の属性要素判定処理が終了した後の属性ＤＢ３２３の内容例を示す図表である。
【０３１８】
図３２記載の「ｙ＿０３＿００１」のように、該ＷＥＢページでブラウザ上でユーザーが視認できる表示データの内、全体の容量における文字列の容量の割合が、一定以上を超える場合、
インターネット掲示板サイトの属性値として該カテゴリーに該当する判断のためのポイントを付加することが特徴である。
【０３１９】
図３２記載の「ｙ＿０３＿００２」のように、「スレッド」「スレ」「ｔｈｒｅａｄ」など、特定の話題に属する複数の記事をまとめたものを表す文字列がソース上にあり、
ＷＥＢページ上に表示されている場合、
インターネット掲示板サイトの属性値として該カテゴリーに該当する判断のためのポイントを付加することが特徴である。
【０３２０】
この項目は通常、１つのサイトの中で、複数構成要素の該当数が該当する事があることが特徴である。その場合、該当数にともない、付加される属性値は変化する。
【０３２１】
図３２記載の「ｙ＿０３＿００３」のように、「０８／１２／０２  ３：１０」の表記における「Ｎ／Ｎ／  Ｎ：Ｎ」（Ｎは年月日時を表す数字および漢数字などの文字列。）の内の「／」や「：」の文字列、または「Ｎ年Ｎ月Ｎ日  Ｎ時Ｎ分」の表記における「年」、「月」、「日」の文字列のように、数値を表す文字列に隣接し、年月日・日時の単位を表記する文字列がソース上にあり、ＷＥＢページ上に表示されている場合、
インターネット掲示板サイトの属性値として該カテゴリーに該当する判断のためのポイントを付加することが特徴である。
【０３２２】
この項目は通常、１つのサイトの中で、複数構成要素の該当数が該当する事があることが特徴である。その場合、該当数にともない、付加される属性値は変化する。
【０３２３】
図３２記載の「ｙ＿０３＿００４」のように、「ＢＢＳ」「掲示板」など、ＷＥＢ上の掲示板を表す文字列がソース上にあり、
ＷＥＢページ上に表示されている場合、
インターネット掲示板サイトの属性値として該カテゴリーに該当する判断のためのポイントを付加することが特徴である。
【０３２４】
この項目は通常、１つのサイトの中で、複数構成要素の該当数が該当する事があることが特徴である。その場合、該当数にともない、付加される属性値は変化する。
【０３２５】
図３２記載の「ｙ＿０３＿００５」のように該ＷＥＢページ全体のソースコードの容量が同ＷＥＢページを巡回する度に、前回同ＷＥＢページを巡回した際のＷＥＢページ全体のソースコードの容量よりも大きくなっている場合、
インターネット掲示板サイトの属性値として該カテゴリーに該当する判断のためのポイントを付加することが特徴である。
【０３２６】
図３２記載の「ｙ＿０３＿００６」のように、「続きを読む」など、中途まで表示されているデータの全体を表示することをユーザーが選択することを促す文字列がソース上にあり、
全体データの表示のリクエストをユーザー自身の意図とタイミングによって、選択およびマウスクリックを行うことで、ＷＥＢページ上に表示される事を可能にする機能関数としてのフォームやタグデータが該ＷＥＢサイトのソース上に含まれている場合、
インターネット掲示板サイトの属性値として該カテゴリーに該当する判断のためのポイントを付加することが特徴である。
【０３２７】
この項目は通常、１つのサイトの中で、複数構成要素の該当数が該当する事があることが特徴である。その場合、該当数にともない、付加される属性値は変化する。
【０３２８】
図３２記載の「ｙ＿０３＿００８」のようにＷＥＢページの中に、ユーザーが任意の情報を入力する項目が表示されており、
それらの情報をユーザー自身の意図によりデータベース等の情報を管理するシステムへ送信する事を可能にすることを、ユーザー自身の意図とタイミングによって、選択およびマウスクリックを行うことで可能にする機能関数としてのフォームやタグデータが該ＷＥＢサイトのソース上に含まれている場合、
インターネット掲示板サイトの属性値として該カテゴリーに該当する判断のためのポイントを付加することが特徴である。
【０３２９】
図３２記載の「ｙ＿０３＿００９」のように、該ＷＥＢページのＵＲＬの末尾が、「．ｃｇｉ」であるなどサーバー側でのプログラムの処理結果に基づいて動的に生成・送出されるＷＥＢページであることが特徴である場合、
インターネット掲示板サイトの属性値として該カテゴリーに該当する判断のためのポイントを付加することが特徴である。
【０３３０】
図３２記載の「ｙ＿０３＿０１０」のようにＷＥＢページの中に、ユーザーが情報を探し出すことを目的に必要であると導き出した任意の情報を入力する項目が、一行程度表示されており、その近くに表示されている検索を表す文字列または画像で表された項目により、
全体データの表示のリクエストをユーザー自身の意図とタイミングによって、選択およびマウスクリックを行うことで、
ユーザーによって入力された検索キーワードのテキスト情報と、該キーワードによる検索結果依頼と、
を送信する事を可能にする機能関数としてのフォームやタグデータが該ＷＥＢサイトのソース上に含まれている場合、
インターネット掲示板サイトの属性値として該カテゴリーに該当する判断のためのポイントを付加することが特徴である。
【０３３１】
図３２記載の「ｙ＿０３＿０１１」のようにＷＥＢページの中に、画像として表示されている項目から、外部ページへの遷移を目的としたハイパーリンクを表すソースコードが含まれており、遷移元の画像ファイルの縦横のキャンパスサイズの長さが広告画像データとして使用される頻度の高い長さで構成されている場合、
インターネット掲示板サイトの属性値として該カテゴリーに該当する判断のためのポイントを付加することが特徴である。
【０３３２】
この項目は通常、１つのサイトの中で、複数構成要素の該当数が該当する事があることが特徴である。その場合、該当数にともない、付加される属性値は変化する。
【０３３３】
図３８はインターネット上のブログサイトにおいて、本発明の属性要素判定処理が終了した後の属性ＤＢ３２３の内容例を示す図表である。
【０３３４】
図３３記載の「ｙ＿０４＿００１」のように、「公式ブログ」「〜のブログ」「〜‘ｓ  ＯＦＦＩＣＩＡＬ  ＢＬＯＧ」など、発信者が該ＷＥＢサイトをブログであると宣言していることを意味する文字列が該ＷＥＢサイトのソース上に含まれている場合、
ブログサイトの属性値として該カテゴリーに該当する判断のためのポイントを付加することが特徴である。
【０３３５】
図３３記載の「ｙ＿０４＿００２」のようにＷＥＢページの中に、ユーザーがデータベース等への情報入力と該ＷＥＢサイトへ入力した情報の反映を目的として、任意の情報を入力する項目が表示されており、
前記リクエストをユーザー自身の意図とタイミングによって、選択およびマウスクリックを行うことで、前記リクエストを可能にする機能関数としてのフォームやタグデータが該ＷＥＢサイトのソース上に含まれている場合、
ブログサイトの属性値として該カテゴリーに該当する判断のためのポイントを付加することが特徴である。
【０３３６】
図３３記載の「ｙ＿０４＿００３」のようにＷＥＢページ中に、該ＷＥＢページ以外の外部プログラムを読み込み、同一ＷＥＢサイトと該ＷＥＢページに表示をおこなうバイナリーデータ読み込み指示が該ＷＥＢページのソースコードが含まれており、
そのコードにより表示される項目の任意の縦横のＷＥＢページ上に表示させるキャンパスサイズの長さがアドミニストレーターがブログパーツとして使用される頻度の高い長さとして指定した値に該当する場合、
ブログサイトの属性値として該カテゴリーに該当する判断のためのポイントを付加することが特徴である。
【０３３７】
この項目は通常、１つのサイトの中で、複数構成要素の該当数が該当する事があることが特徴である。その場合、該当数にともない、付加される属性値は変化する。
【０３３８】
具体的なソース上のプログラミング言語としては、Ｓｕｎ  Ｍｉｃｒｏｓｙｓｔｅｍｓ社およびＮｅｔｓｃａｐｅ  Ｃｏｍｍｕｎｉｃａｔｉｏｎｓ社開発による「ｊａｖａｓｃｒｉｐｔ」、ＭＡＣＲＯＭＥＤＩＡ社（現ＡＤＯＢＥ  ＳＹＳＴＥＭＳ社）によるＦＬＡＳＨ、  Ｍｉｃｒｏｓｏｆｔ社による「Ａｃｔｉｖｅ  Ｘ」があげられる。
【０３３９】
図３３記載の「ｙ＿０４＿００４」のように、該ＷＥＢサイトＵＲＬから知名度の高くアドミニストレーターがブログサービスサイトとして指定した任意のサービス業者が提供する同サービス内ページである場合、
ブログサイトの属性値として該カテゴリーに該当する判断のためのポイントを付加することが特徴である。
【０３４０】
図３３記載の「ｙ＿０４＿００５」のように、該ＷＥＢページのＵＲＬの末尾が、「．ｃｇｉ」であるなどサーバー側でのプログラムの処理結果に基づいて動的に生成・送出されるＷＥＢページである場合、
ブログサイトの属性値として該カテゴリーに該当する判断のためのポイントを付加することが特徴である。
【０３４１】
図３３記載の「ｙ＿０４＿００６」のように、「トラックバック」「ｔｒａｃｋｂａｃｋ」など、他ＷＥＢサイトから該ＷＥＢサイトへのハイパーリンクを作成する機能をあらわす文字列がソース上にあり、ＷＥＢページ上に表示されている場合、
ブログサイトの属性値として該カテゴリーに該当する判断のためのポイントを付加することが特徴である。
【０３４２】
この項目は通常、１つのサイトの中で、複数構成要素の該当数が該当する事があることが特徴である。その場合、該当数にともない、付加される属性値は変化する。
【０３４３】
図３３記載の「ｙ＿０４＿００７」のようにＷＥＢページの中に、他のＷＥＢページから該ＷＥＢページへの遷移を目的としたハイパーリンクの作成を希望するアクセスを行なうことにより、自動的に該ＷＥＢページからアクセス元の指定するＷＥＢページへハイパーリンクを作成するプログラムが組み込まれているＵＲＬが表示されている場合、
ブログサイトの属性値として該カテゴリーに該当する判断のためのポイントを付加することが特徴である。
【０３４４】
図３３記載の「ｙ＿０４＿００８」のように、該ＷＥＢページでブラウザ上でユーザーが視認できる表示データの内、全体の容量における文字列の容量の割合が、一定以上を超える場合、
ブログサイトの属性値として該カテゴリーに該当する判断のためのポイントを付加することが特徴である。
【０３４５】
図３３記載の「ｙ＿０４＿００９」のようにＷＥＢページの中に、画像または文字列等として表示されている項目から、外部ページへの遷移を目的としたハイパーリンクを表すソースコードが含まれており、遷移先ＷＥＢページのＵＲＬに任意の広告仲介サービス業者独自の、広告データとして認識が可能な文字列が含まれている場合、
ブログサイトの属性値として該カテゴリーに該当する判断のためのポイントを付加することが特徴である。
【０３４６】
この項目は通常、１つのサイトの中で、複数構成要素の該当数が該当する事があることが特徴である。その場合、該当数にともない、付加される属性値は変化する。
【０３４７】
図３３記載の「ｙ＿０４＿０１２」のようにソース上に「ｍａｉｌｔｏ」などで表記された、ユーザーが他者へのメール送信やデータベース等への情報の送信を行なう目的で、ＷＥＢページの閲覧を行なっているブラウザ以外の外部プログラムの起動を促すコードが含まれている場合、
ブログサイトの属性値として該カテゴリーに該当する判断のためのポイントを付加することが特徴である。
【０３４８】
この項目は通常、１つのサイトの中で、複数構成要素の該当数が該当する事があることが特徴である。その場合、該当数にともない、付加される属性値は変化する。
【０３４９】
図３３記載の「ｙ＿０４＿０１３」のようにＷＥＢページの中に、ＷＥＢページの閲覧を行なうブラウザ上に外部プログラムのバイナリーデータを読み込み同一ＷＥＢサイトと該ＷＥＢページに表示をおこなうバイナリーデータ読み込み指示が該ＷＥＢページのソースコードが含まれている場合、
ブログサイトの属性値として該カテゴリーに該当する判断のためのポイントを付加することが特徴である。
【０３５０】
具体的なソース上のプログラミング言語としては、Ｓｕｎ  Ｍｉｃｒｏｓｙｓｔｅｍｓ社およびＮｅｔｓｃａｐｅ  Ｃｏｍｍｕｎｉｃａｔｉｏｎｓ社開発による「ｊａｖａｓｃｒｉｐｔ」、ＭＡＣＲＯＭＥＤＩＡ社（現ＡＤＯＢＥ  ＳＹＳＴＥＭＳ社）によるＦＬＡＳＨ、  Ｍｉｃｒｏｓｏｆｔ社による「Ａｃｔｉｖｅ  Ｘ」があげられる。
【０３５１】
図３３記載の「ｙ＿０４＿０１４」のようにＷＥＢページの中に画像データとして表示指示を行いつつ、外部の画像ファイルへの遷移を目的としたハイパーリンクの指示、を表すソースコードが含まれている場合、
ブログサイトの属性値として該カテゴリーに該当する判断のためのポイントを付加することが特徴である。
【０３５２】
この項目は通常、１つのサイトの中で、複数構成要素の該当数が該当する事があることが特徴である。その場合、該当数にともない、付加される属性値は変化する。
【０３５３】
図３３記載の「ｙ＿０４＿０１５」のように、「続きを読む」など、中途まで表示されているデータの全体を表示することをユーザーが選択することを促す文字列がソース上にあり、
全体データの表示のリクエストをユーザー自身の意図とタイミングによって、選択およびマウスクリックを行うことで、ＷＥＢページ上に表示される事を可能にする機能関数としてのフォームやタグデータが該ＷＥＢサイトのソース上に含まれている場合、
ブログサイトの属性値として該カテゴリーに該当する判断のためのポイントを付加することが特徴である。
【０３５４】
この項目は通常、１つのサイトの中で、複数構成要素の該当数が該当する事があることが特徴である。その場合、該当数にともない、付加される属性値は変化する。
【０３５５】
図３３記載の「ｙ＿０４＿０１７」のようにＷＥＢページの中に、該ＷＥＢページ以外の外部プログラムの処理を利用してＷＥＢページの表示をおこなうソースコードが含まれており、
ＷＥＢブラウザ上で表示される箇所におけるキャンパスサイズの縦横のキャンパスサイズがアドミニストレーターによって動画データとして使用される頻度の高い範囲として指定した値で構成されている場合
ブログサイトの属性値として該カテゴリーに該当する判断のためのポイントを付加することが特徴である。
【０３５６】
この項目は通常、１つのサイトの中で、複数構成要素の該当数が該当する事があることが特徴である。その場合、該当数にともない、付加される属性値は変化する。
【０３５７】
図３６はインターネット上のアダルトサイトにおいて、本発明の属性要素判定処理が終了した後の属性ＤＢ３２３の内容例を示す図表である。
【０３５８】
図３３記載の「ｙ＿０５＿００１」のようにＷＥＢページの中に、ユーザーの該ページの閲覧を抑制する目的で外部ページ（主に大手ポータルサイトなど）へ遷移をおこなうハイパーリンクを表すソースコードが含まれている場合、
アダルトサイトの属性値として該カテゴリーに該当する判断のためのポイントを付加することが特徴である。
【０３５９】
図３３記載の「ｙ＿０５＿００２」のようにＷＥＢページの背景を指定するソースコードまたはスタイルシート上のソースコードにおいて、
アドミニストレーターがアダルトサイトに使用される頻度の高い背景色の色設定データとして指定した値が使用されている場合、
アダルトサイトの属性値として該カテゴリーに該当する判断のためのポイントを付加することが特徴である。
【０３６０】
図３３記載の「ｙ＿０５＿００３」のようにＷＥＢブラウザ上において、文字列または画像データを表示させる指示を出しつつも、該文字列および画像データにハイパーリンクの指示を行い、かつ、
そのソースがあらわすハイパーリンク先のページのＵＲＬの末尾が本来のデータ容量に比べて少量のデータ量に加工されていることを表すフォーマット形式の拡張子である場合、
アダルトサイトの属性値として該カテゴリーに該当する判断のためのポイントを付加することが特徴である。
【０３６１】
この項目は通常、１つのサイトの中で、複数構成要素の該当数が該当する事があることが特徴である。その場合、該当数にともない、付加される属性値は変化する。
【０３６２】
図３３記載の「ｙ＿０５＿００４」のようにＷＥＢページの中に、
該ＷＥＢページ以外の外部プログラムの処理を利用してＷＥＢページの表示をおこなうソースコードが含まれており、
ＷＥＢブラウザ上で表示される箇所におけるキャンパスサイズの縦横のキャンパスサイズがアドミニストレーターによって動画データとして使用される頻度の高い範囲として指定した値で構成されている場合
アダルトサイトの属性値として該カテゴリーに該当する判断のためのポイントを付加することが特徴である。
【０３６３】
この項目は通常、１つのサイトの中で、複数構成要素の該当数が該当する事があることが特徴である。その場合、該当数にともない、付加される属性値は変化する。
【０３６４】
図３３記載の「ｙ＿０５＿００６」のように文字列または画像データを表示させる指示を出しつつも、該文字列および画像データにハイパーリンクの指示がソース上に含まれており、
そのハイパーリンク先の外部ＷＥＢページのＵＲＬドメインが、アドミニストレーターによってアダルトサイトとして使用される頻度の高いものとして指定したドメインである場合、
アダルトサイトの属性値として該カテゴリーに該当する判断のためのポイントを付加することが特徴である。
【０３６５】
この項目は通常、１つのサイトの中で、複数構成要素の該当数が該当する事があることが特徴である。その場合、該当数にともない、付加される属性値は変化する。
【０３６６】
図３３記載の「ｙ＿０５＿００７」のように、「１８歳以上」、「１８歳未満」など、「Ｎ歳以上」「Ｎ歳以下」、または「ｏｖｅｒＮ」「ｕｎｄｅｒＮ」（Ｎは年齢を表す数字および漢数字などの文字列。）など、数値を表す文字列に隣接して年齢を表す文字列がソース上にあり、ＷＥＢページ上に表示されている場合、
アダルトサイトの属性値として該カテゴリーに該当する判断のためのポイントを付加することが特徴である。
【０３６７】
図３９はインターネット上のインターネットオークションサイトにおいて、本発明の属性要素判定処理が終了した後の属性ＤＢ３２３の内容例を示す図表である。
【０３６８】
図３３記載の「ｙ＿０６＿００１」のように、「￥１００」「￥５９８０」など、「￥Ｎ」（Ｎは金額を表す数字および漢数字などの文字列。）、または「Ｎ円」など、数値を表す文字列に隣接して金銭単位を表す文字列がソース上にあり、ＷＥＢページ上に表示されていることが特徴である場合、
インターネットオークションサイトの属性値として該カテゴリーに該当する判断のためのポイントを付加することが特徴である。
【０３６９】
この項目は通常、１つのサイトの中で、複数構成要素の該当数が該当する事があることが特徴である。その場合、該当数にともない、付加される属性値は変化する。
【０３７０】
図３３記載の「ｙ＿０６＿００２」のように、「ありがとうございました」「Ｔｈａｎｋ  ｙｏｕ」など、ユーザーの購入に対する謝意を意味する文字列がソース上にあり、ＷＥＢページ上に表示されている場合、
インターネットオークションサイトの属性値として該カテゴリーに該当する判断のためのポイントを付加することが特徴である。
【０３７１】
図３３記載の「ｙ＿０６＿００３」のように、「残り時間」など、該ＷＥＢサイトの提供するサービスの残り時間をＷＥＢページ上に表示させる指示をあらわす文字列がソース上にあり、ＷＥＢページ上に表示されている場合、
インターネットオークションサイトの属性値として該カテゴリーに該当する判断のためのポイントを付加することが特徴である。
【０３７２】
この項目は通常、１つのサイトの中で、複数構成要素の該当数が該当する事があることが特徴である。その場合、該当数にともない、付加される属性値は変化する。
【０３７３】
図３３記載の「ｙ＿０６＿００４」のように、「入札」など該ＷＥＢサイトの提供するサービス上で使用する、売買などの契約者を決める競争契約の方法をあらわす文字列をＷＥＢページ上に表示させる指示をあらわす文字列がソース上にあり、ＷＥＢページ上に表示されている場合、
インターネットオークションサイトの属性値として該カテゴリーに該当する判断のためのポイントを付加することが特徴である。
【０３７４】
この項目は通常、１つのサイトの中で、複数構成要素の該当数が該当する事があることが特徴である。その場合、該当数にともない、付加される属性値は変化する。
【０３７５】
図３３記載の「ｙ＿０６＿００５」のように、「出品者」など、該ＷＥＢサイトの提供するサービス上で使用する、売買等における商品等の提供者をあらわす文字列文字列をＷＥＢページ上に表示させる指示をあらわす文字列がソース上にあり、ＷＥＢページ上に表示されている場合、
インターネットオークションサイトの属性値として該カテゴリーに該当する判断のためのポイントを付加することが特徴である。
【０３７６】
この項目は通常、１つのサイトの中で、複数構成要素の該当数が該当する事があることが特徴である。その場合、該当数にともない、付加される属性値は変化する。
【０３７７】
図３３記載の「ｙ＿０６＿００７」のように、ＷＥＢサイトの中の該ページのディレクトリ内における所在位置を、ＷＥＢブラウザ上で階層構造の上位ページから表示させる指示を出しつつ、かつ、各上位階層へハイパーリンクの設定指示がソース上にある場合、
インターネットオークションサイトの属性値として該カテゴリーに該当する判断のためのポイントを付加することが特徴である。
【０３７８】
図３３記載の「ｙ＿０６＿００８」のように、該ＷＥＢページの中に画像として表示されている指示がソースコードが含まれており、該画像ファイルの縦横のキャンパスサイズの長さが、アドミニストレーターによって商品画像データとして使用される頻度の高い長さとして指定された値以上である場合、
インターネットオークションサイトの属性値として該カテゴリーに該当する判断のためのポイントを付加することが特徴である。
【０３７９】
この項目は通常、１つのサイトの中で、複数構成要素の該当数が該当する事があることが特徴である。その場合、該当数にともない、付加される属性値は変化する。
【０３８０】
図３３記載の「ｙ＿０６＿００９」のように、該ＷＥＢページのＵＲＬの末尾のＷＥＢサイトのファイルデータの拡張子から、サーバー側で動的にＨＴＭＬデータを生成することによって、動的なウェブページを実現することを主な目的としたＷＥＢページであることが特徴である場合、
インターネットオークションサイトの属性値として該カテゴリーに該当する判断のためのポイントを付加することが特徴である。
【０３８１】
図３３記載の「ｙ＿０６＿０１０」のように、該ＷＥＢページのＵＲＬの末尾のＷＥＢサイトのファイルデータの拡張子から、サーバー側でのプログラムの処理結果に基づいて動的に生成・送出されるＷＥＢページである場合、
インターネットオークションサイトの属性値として該カテゴリーに該当する判断のためのポイントを付加することが特徴である。
【０３８２】
以上の内容によって、インターネット上に存在する各ＷＥＢサイトの情報を記憶するデータベースに関して、
各ＷＥＢサイトの発信する情報の種類や手段からサイトの属性を判定し、前記判定した各ＷＥＢサイトの属性を記録する手法を実現させるデータベースシステムおよび手法が実現した。
【０３８３】
以上の内容によって、インターネット上に存在する各ＷＥＢサイトの情報を記憶するデータベースに関して、
該データベースシステムおよび手法において、
ＥＣサイト（インターネットサイト）、
ＰＲおよび告知サイト、
アダルトサイト、
インターネット掲示板サイト、
ブログサイト、
インターネットオークションサイト、
の各ＷＥＢサイトの構成要素を判定する処理を行い、その判定された構成要素を基に、該ＷＥＢサイトの目的や手段の属性をカテゴリー化した属性要素を判定する処理を行うことで、
各ＷＥＢサイトの発信する情報の種類や手段からサイトの属性を判定し、前記判定した各ＷＥＢサイトの属性を記録する手法を実現させるデータベースシステムおよび手法が実現した。
【図面の簡単な説明】
【０３８４】
【図１】本発明により提供される通信回線を介しインターネット上に存在する各ＷＥＢサイトの情報を記憶するデータベースを実施することを例に説明する為のシステムの構成を示す図である。
【図２】本発明の実施の形態に関わるデータベースサーバー（情報保存装置）の電子回路の構成を示すブロック図である。
【図３】本発明の実施の形態に関わるデータベースサーバーの構成例を示す機能ブロック図である。
【図４】本発明のデータベースシステムのメインフローチャートを示す図である。
【図５】本発明のＵＲＬデータの内容例を示す図である。
【図６】本発明による構成要素および属性要素を判定するＷＥＢサイトのコードを示す図表である。
【図７】本発明の構成要素判定処理のフローチャートを図示したものである。
【図８】本発明の構成要素データテーブルの内容例を示す図表である。
【図９】本発明の構成要素判定処理作業にて構成要素を検索された該当ＷＥＢサイトの要素ＤＢの内容例を示す図表である。
【図１０】本発明のサイトの属性要素判定処理を実施する工程を説明するフローチャートの前半である。
【図１１】本発明のサイトの属性要素判定処理を実施する工程を説明するフローチャートの後半である。
【図１２】本発明の属性要素データテーブル３１２の内容例を示す図表である。
【図１３】本発明による属性要素判定処理作業にて属性要素スコアを判定されたＷＥＢサイトの属性ＤＢの内容例を示す図表である。
【図１４】本発明のＹの全カテゴリー結果後の画面を示す図表である。
【図１５】本発明による端末上で確認できるＥＣサイトをブラウザソフトにて表示された場合の例を示す図表である。
【図１６】本発明による前記ＥＣサイトのコードを示す図表である。
【図１７】本発明による端末上で確認できるＰＲおよび告知サイトをブラウザソフトにて表示された場合の例を示す図表である。
【図１８】本発明による前記ＰＲおよび告知サイトのコードを示す図表である。
【図１９】本発明による端末上で確認できるアダルトサイトをブラウザソフトにて表示された場合の例を示す図表である。
【図２０】本発明による前記アダルトサイトのコードを示す図表である。
【図２１】本発明による端末上で確認できるインターネット掲示板サイトをブラウザソフトにて表示された場合の例を示す図表である。
【図２２】本発明による前記インターネット掲示板のコードを示す図表である。
【図２３】本発明による端末上で確認できるブログサイトをブラウザソフトにて表示された場合の例を示す図表である。
【図２４】本発明による前記ブログサイトのコードを示す図表である。
【図２５】本発明による端末上で確認できるインターネットオークションサイトをブラウザソフトにて表示された場合の例を示す図表である。
【図２６】本発明による前記インターネットオークションサイトのコードを示す図表である。
【図２７】本発明による前記、ＥＣサイト、ＰＲおよび告知サイト、アダルトサイト、インターネット掲示板、ブログサイト、オークションサイトのＵＲＬＤＢ３２１を参照用として図示したものである。
【図２８】本発明によるテーブルデータ格納部３１０にある構成要素データテーブル３１１を、前記ＥＣサイト、ＰＲおよび告知サイト、アダルトサイト、インターネット掲示板、ブログサイト、インターネットオークションサイトの各サイト属性を分類するための実施例として図示したものの前半である。
【図２９】本発明によるテーブルデータ格納部３１０にある構成要素データテーブル３１１を、前記ＥＣサイト、ＰＲおよび告知サイト、アダルトサイト、インターネット掲示板、ブログサイト、インターネットオークションサイトの各サイト属性を分類するための実施例として図示したものの後半である。
【図３０】本発明による前記、ＥＣサイト、ＰＲおよび告知サイト、アダルトサイト、インターネット掲示板、ブログサイト、インターネットオークションサイトの各サイトの構成要素判定を行った後の要素ＤＢ３２２を参照用として図示したものの前半である。
【図３１】本発明による前記、ＥＣサイト、ＰＲおよび告知サイト、アダルトサイト、インターネット掲示板、ブログサイト、インターネットオークションサイトの各サイトの構成要素判定を行った後の要素ＤＢ３２２を参照用として図示したものの後半である。
【図３２】本発明によるテーブルデータ格納部３１０にある属性要素データテーブル３１２を、前記ＥＣサイト、ＰＲおよび告知サイト、アダルトサイト、インターネット掲示板、ブログサイト、インターネットオークションサイトの各サイト属性を分類するための実施例として図示したものである。
【図３３】本発明によるテーブルデータ格納部３１０にある属性要素データテーブル３１２を、前記ＥＣサイト、ＰＲおよび告知サイト、アダルトサイト、インターネット掲示板、ブログサイト、インターネットオークションサイトの各サイト属性を分類するための実施例として図示したものである。
【図３４】インターネット上のＥＣサイトにおいて、本発明の属性要素判定処理が終了した後の属性ＤＢ３２３の内容例を示す図表である。
【図３５】インターネット上のＰＲおよび告知サイトにおいて、本発明の属性要素判定処理が終了した後の属性ＤＢ３２３の内容例を示す図表である。
【図３６】インターネット上のアダルトサイトにおいて、本発明の属性要素判定処理が終了した後の属性ＤＢ３２３の内容例を示す図表である。
【図３７】インターネット上のインターネット掲示板サイトにおいて、本発明の属性要素判定処理が終了した後の属性ＤＢ３２３の内容例を示す図表である。
【図３８】インターネット上のブログサイトにおいて、本発明の属性要素判定処理が終了した後の属性ＤＢ３２３の内容例を示す図表である。
【図３９】インターネット上のオークションサイトにおいて、本発明の属性要素判定処理が終了した後の属性ＤＢ３２３の内容例を示す図表である。
【符号の説明】
【０３８５】
１  データベースサーバー（情報保存装置）
２  インターネット網
３  アドミニストレーター
４  ＷＥＢサイトユーザー
５  各ＷＥＢサイト
６  通信リンク
７  パーソナルコンピュータ
８  無線携帯電話
１１  サービスサーバーシステム
１２  ＷＥＢサーバー
１５  通信ケーブル
３１  ＣＰＵ
３２  入力装置
３３  メモリ
３４  通信装置
３５  記憶装置
３６  データベース装置
３７  メインバス
【図１】
2010157006.tif 000003
【図２】
2010157006.tif 000004
【図３】
2010157006.tif 000005
【図４】
2010157006.tif 000006
【図５】
2010157006.tif 000007
【図６】
2010157006.tif 000008
【図７】
2010157006.tif 000009
【図８】
2010157006.tif 000010
【図９】
2010157006.tif 000011
【図１０】
2010157006.tif 000012
【図１１】
2010157006.tif 000013
【図１２】
2010157006.tif 000014
【図１３】
2010157006.tif 000015
【図１４】
2010157006.tif 000016
【図１５】
2010157006.tif 000017
【図１６】
2010157006.tif 000018
【図１７】
2010157006.tif 000019
【図１８】
2010157006.tif 000020
【図１９】
2010157006.tif 000021
【図２０】
2010157006.tif 000022
【図２１】
2010157006.tif 000023
【図２２】
2010157006.tif 000024
【図２３】
2010157006.tif 000025
【図２４】
2010157006.tif 000026
【図２５】
2010157006.tif 000027
【図２６】
2010157006.tif 000028
【図２７】
2010157006.tif 000029
【図２８】
2010157006.tif 000030
【図２９】
2010157006.tif 000031
【図３０】
2010157006.tif 000032
【図３１】
2010157006.tif 000033
【図３２】
2010157006.tif 000034
【図３３】
2010157006.tif 000035
【図３４】
2010157006.tif 000036
【図３５】
2010157006.tif 000037
【図３６】
2010157006.tif 000038
【図３７】
2010157006.tif 000039
【図３８】
2010157006.tif 000040
【図３９】
2010157006.tif 000041